(57)【要約】【課題】陳列具において、箱詰めで運搬された商品の陳列を容易とする陳列具を提供することを目的とする。【解決手段】陳列具５Ａは、本体部１０と、本体部１０に対して設置される引出し部３５０とを有し、本体部１０は、右構成部２０と、右構成部２０と間隔を介して設けられた左構成部７０と、右構成部２０及び左構成部７０の背面側の端部から連設された背面構成部１００と、本体部１０の底部を構成する底構成部１２０とを有している。また、引出し部３５０は、包装箱から引出し部以外の部分を除去することにより形成されたもので、包装箱は、スリーブ状部と、スリーブ状部の下辺から連設された底面部と、蓋部等を有し、スリーブ状部に周設されたジッパーを取り除くことにより、ジッパーよりも下側の部分が引出し部３５０となる。【選択図】図１
2016106738.tif 000002
【特許請求の範囲】
【請求項１】
陳列具であって、
本体部（１０）と、本体部に着脱可能な引出し部（３５０、３５１）とを有し、
引出し部が、シート状のブランクにより形成された包装箱（２０１、４０１）から引出し部以外の部分である非引出し部を除去することにより形成されたものであり、
引出し部が、
引出し部底面部（２５０、４５０）と、
引出し部底面部の右側面側の辺部から形成された引出し部右側面部で、引出し部底面部の右側面側の辺部から形成された右主構成部（２２０−１ａ、４２２−１）と、右主構成部から折れ線を介して連設された右差込み部（２２１、４２５）とを有する引出し部右側面部（２２０−１、４２２）と、
引出し部底面部の左側面側の辺部から形成された引出し部左側面部で、引出し部底面部の左側面側の辺部から形成された左主構成部（２３０−１ａ、４３２−１）と、左主構成部から折れ線を介して連設された左差込み部（２３１、４３５）とを有する引出し部左側面部（２３０−１、４３２）と、
引出し部底面部の背面側の辺部から形成された引出し部背面部（２４０−１、４４０）と、を有し、
本体部が、
右構成部（２０）と、左構成部（７０）と、右構成部の背面側の辺部と左構成部の背面側の辺部間に設けられた背面構成部（１００）とを有し、
右構成部が、
右構成部の外側の面を構成する外側右板部（２２）と、
外側右板部の正面側の辺部から折れ線を介して連設され、外側右板部の正面側の辺部に沿って帯状に形成された右構成部帯状部（２４）と、
右構成部帯状部の外側右板部とは反対側の辺部から折れ線を介して連設され、外側右板部の内側に外側右板部と略平行に設けられた内側右板部（３０）と、を有し、
内側右板部には、右構成部帯状部から内側右板部にかけて切り欠いて右被差込み部（３２、３４）が設けられるとともに、内側右板部の領域の一部を折れ線を介して回動可能に形成してなる右支持フラップ（３６、３８）が設けられ、
左構成部が、
左構成部の外側の面を構成する外側左板部（７２）と、
外側左板部の正面側の辺部から折れ線を介して連設され、外側左板部の正面側の辺部に沿って帯状に形成された左構成部帯状部（７４）と、
左構成部帯状部の外側左板部とは反対側の辺部から折れ線を介して連設され、外側左板部の内側に外側左板部と略平行に設けられた内側左板部（８０）と、を有し、
内側左板部には、左構成部帯状部から内側左板部にかけて切り欠いて左被差込み部（８２、８４）が設けられるとともに、内側左板部の領域の一部を折れ線を介して回動可能に形成してなる左支持フラップ（８６、８８）が設けられ、
右構成部と左構成部とを左右両側に対向させた本体部の組立て状態において、右被差込み部と左被差込み部とは左右両側に互いに対向して設けられるとともに、右支持フラップと左支持フラップとは左右両側に互いに対向して設けられ、
引出し部を本体部に取り付ける際には、右支持フラップを内側右板部における右支持フラップが折れ線を介して連設された領域（３１）に対して回動させるとともに、左支持フラップを内側左板部における左支持フラップが折れ線を介して連設された領域（８１）に対して回動させた状態で、引出し部の右差込み部を右主構成部との間の折れ線を介して右主構成部に対して外側下向きに折り曲げた状態で、右被差込み部に差し込んで、右差込み部の少なくとも先端側の領域を外側右板部と内側右板部の間に設けるとともに、引出し部の左差込み部を左主構成部との間の折れ線を介して左主構成部に対して外側下向きに折り曲げた状態で、左被差込み部に差し込んで、左差込み部の少なくとも先端側の領域を外側左板部と内側左板部の間に設けることにより、引出し部が本体部に取り付けられ、引出し部を本体部に取り付けた状態では、右支持フラップと左支持フラップが引出し部の引出し部底面部に接触することを特徴とする陳列具。
【請求項２】
引出し部が、引出し部底面部の正面側の辺部から形成された引出し部正面部（２１０−１、４１０）を有することを特徴とする請求項１に記載の陳列具。
【請求項３】
引出し部を有する包装箱が、包装箱の底面を構成する箱底面部（２５０）と、包装箱の正面を構成する箱正面部（２１０）と、包装箱の右側面を構成する箱右側面部（２２０）と、包装箱の左側面を構成する箱左側面部（２３０）と、包装箱の背面を構成する箱背面部（２４０）と、包装箱の上面を構成する蓋部（３００）とを有し、
箱正面部と底面部とを分離するための切目線と、箱右側面部と箱左側面部とを上側領域と下側領域に分離するための切目線とを有する分離用切目線が設けられ、
箱右側面部の下側領域には、該右主構成部と該右差込み部が設けられ、該右差込み部は、箱右側面部の下側領域における分離用切目線に接した領域に設けられ、
箱左側面部の下側領域には、該左主構成部と該左差込み部が設けられ、該左差込み部は、箱左側面部の下側領域における分離用切目線に接した領域に設けられ、
分離用切目線を破断して、分離用切目線よりも上側の部分を含む該非引出し部を取り除くことにより該引出し部が形成され、引出し部底面部が箱底面部により構成され、引出し部右側面部が箱右側面部の下側領域により構成され、引出し部左側面部が箱左側面部の下側領域により構成され、引出し部背面部が箱背面部により構成されることを特徴とする請求項１に記載の陳列具。
【請求項４】
引出し部を有する包装箱が、包装箱の底面を構成する箱底面部（２５０）と、包装箱の正面を構成する箱正面部（２１０）と、包装箱の右側面を構成する箱右側面部（２２０）と、包装箱の左側面を構成する箱左側面部（２３０）と、包装箱の背面を構成する箱背面部（２４０）と、包装箱の上面を構成する蓋部（３００）とを有し、
箱正面部と箱右側面部と箱左側面部とを上側領域と下側領域に分離するための切目線である分離用切目線（３１０−１、３１０−２）が設けられ、
箱右側面部の下側領域には、該右主構成部と該右差込み部が設けられ、該右差込み部は、箱右側面部の下側領域における分離用切目線に接した領域に設けられ、
箱左側面部の下側領域には、該左主構成部と該左差込み部が設けられ、該左差込み部は、箱左側面部の下側領域における分離用切目線に接した領域に設けられ、
分離用切目線を破断して、分離用切目線よりも上側の部分を含む該非引出し部を取り除くことにより該引出し部（３５０）が形成され、引出し部底面部が箱底面部により構成され、引出し部正面部が箱正面部の下側領域により構成され、引出し部右側面部が箱右側面部の下側領域により構成され、引出し部左側面部が箱左側面部の下側領域により構成され、引出し部背面部が箱背面部により構成されることを特徴とする請求項２に記載の陳列具。
【請求項５】
分離用切目線が、箱背面部を上側領域と下側領域とに分離する切目線を有し、引出し部背面部が箱背面部の下側領域により構成されることを特徴とする請求項３又は４に記載の陳列具。
【請求項６】
右差込み部は、分離用切目線から連設された第１切目線（Ｋ２２０）を介して該右主構成部と隣接し、
左差込み部は、分離用切目線から連設された第１切目線（Ｋ２２０）を介して該右主構成部と隣接し、
右差込み部を右主構成部との間の折れ線を介して右主構成部に対して外側下向きに折り曲げることにより、右差込み部における第１切目線に沿った辺部が右主構成部における第１切目線と接した辺部から分離し、左差込み部を左主構成部との間の折れ線を介して左主構成部に対して外側下向きに折り曲げることにより、左差込み部における第２切目線に沿った辺部が右主構成部における第２切目線と接した辺部から分離することを特徴とする請求項３又は４又は５に記載の陳列具。
【請求項７】
分離用切目線が平行に２本形成されることにより、該２つの分離用切目線により形成されたジッパー（３１０）が設けられていることを特徴とする請求項３又は４又は５又は６に記載の陳列具。
【請求項８】
引出し部を有する包装箱が、内箱部（Ａ１）と、内箱部を覆う外箱部（Ａ２）とを有し、
内箱部が、
正面側の辺部と左右両側の辺部と背面側の辺部を有する底面部（４５０）と、
底面部の各辺から立設し底面部に対して略直角をなす内側スリーブ状部で、内側正面部（４１０）と、相対する一対の内側側面部（４２０、４３０）と、内側背面部（４４０）とからなる内側スリーブ状部（４０５）と、を有していて、内箱部の上部が開口し、
相対する一対の内側側面部において、内側側面部の一部が分離部（４２４）として分離部以外の部分である内側側面部本体部（４２２）と切目線を介して分離可能に形成され、
外箱部が、
内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部（５１０）と、一対の内側側面部における各内側側面部の外側の面に沿ってそれぞれ形成された外側側面部（５２０、５３０）と、内側背面部の外側の面に沿って形成された外側背面部（５４０）とを有する外側スリーブ状部（５０５）と、
外側スリーブ状部の上端から折れ線を介して連設された蓋部（５７０、５８０）と、を有し、
内箱部における分離部が設けられた内側側面部に対応した外側側面部に分離部が接着され、外側側面部における分離部が接着された領域を含み切目線を介して形成された片部（５２２、５３２）が該外側側面部の他の部分に対して回動可能に形成され、
内箱部と外箱部とが、それぞれシート状のブランクにより形成されていて、
右側面側の内側側面部である右内側側面部には、該右主構成部と該右差込み部が設けられ、該右差込み部は、右内側側面部における上辺で正面側の上端から背面側の上端までの上辺における少なくとも一部に接した領域に設けられ、
左側面側の内側側面部である左内側側面部には、該左主構成部と該左差込み部が設けられ、該左差込み部は、左内側側面部における上辺で正面側の上端から背面側の上端までの上辺における少なくとも一部に接した領域に設けられ、
外側側面部における分離部が接着された片部を該外側側面部の他の部分に対して回動させることにより、分離部と内側側面部本体部間の切目線が破断して分離部が第１片部に接着した状態のまま内箱部から分離し、外箱部と内箱部における分離部とからなる非引出し部を除去することにより、分離部が分離した内箱部が該引出し部（３５１）となり、引出し部底面部が内箱部の底面部により構成され、引出し部正面部が内側正面部により構成され、引出し部右側面部が分離部が分離した右内側側面部により構成され、引出し部左側面部が分離部が分離した左内側側面部により構成され、引出し部背面部が内側背面部により構成されることを特徴とする請求項２に記載の陳列具。
【請求項９】
右差込み部は、右内側側面部の上辺から連設された第１切目線（Ｋ４２０）を介して右主構成部と隣接し、
左差込み部は、左内側側面部の上辺から連設された第２切目線（Ｋ４３０）を介して該右主構成部と隣接し、
右差込み部を右主構成部との間の折れ線を介して右主構成部に対して外側下向きに折り曲げることにより、右差込み部における第１切目線に沿った辺部が右主構成部における第１切目線と接した辺部から分離し、左差込み部を左主構成部との間の折れ線を介して左主構成部に対して外側下向きに折り曲げることにより、左差込み部における第２切目線に沿った辺部が右主構成部における第２切目線と接した辺部から分離することを特徴とする請求項８に記載の陳列具。
【請求項１０】
右被差込み部は、
内側右板部の正面側の辺部から形成された右切欠きで、正面側の辺部から形成された右幅広部で、内側右板部における正面側の辺部の方向の幅が引出し部の右差込み部を差込み可能な幅に形成された右幅広部（Ｊ３２ａ、Ｊ３４ａ）と、右幅広部の背面側の端部から帯状に形成され、内側右板部における正面側の辺部の方向の幅が右幅広部よりも短く形成された右幅狭部（Ｊ３２ｂ、Ｊ３４ｂ）とを有する右切欠き（Ｊ３２、Ｊ３４）と、
右構成部帯状部に形成された右開設部で、右切欠きから連設され、凹状の切欠き又は右構成部帯状部を上側と下側に分離する隙間により形成された右開設部（Ｊ２５、Ｊ２６）と、を有し、
左被差込み部は、
内側左板部の正面側の辺部から形成された左切欠きで、正面側の辺部から形成された幅広部で、内側右板部における正面側の辺部の方向の幅が引出し部の右差込み部を差込み可能な幅に形成された左幅広部（Ｊ８２ａ、Ｊ８４ａ）と、左幅広部の背面側の端部から帯状に形成され、内側左板部における正面側の辺部の方向の幅が左幅広部よりも短く形成された左幅狭部（Ｊ８２ｂ、Ｊ８４ｂ）とを有する左切欠き（Ｊ８２、Ｊ８４）と、
左構成部帯状部に形成された左開設部で、左切欠きから連設され、凹状の切欠き又は左構成部帯状部を上側と下側に分離する隙間により形成された左開設部（Ｊ７５、Ｊ７６）と、を有することを特徴とする請求項１又は２又は３又は４又は５又は６又は７又は８又は９に記載の陳列具。
【請求項１１】
内側右板部の背面側の辺部から折返し右接着部（４３）が設けられ、折返し右接着部は、内側右板部の内側に折り返した状態で、外側右板部に接着され、
内側左板部の背面側の辺部から折返し左接着部（９３）が設けられ、折返し左接着部は、内側左板部の内側に折り返した状態で、外側左板部に接着されていることを特徴とする請求項１又は２又は３又は４又は５又は６又は７又は８又は９又は１０に記載の陳列具。
【請求項１２】
右構成部の正面側の下端部と左構成部の正面側の下端部間に固定して設けられた底正面部（１２２）と、底正面部の上辺から折れ線を介して連設された台板部（１２４）と、台板部の底正面部とは反対側の辺部から折れ線を介して連設された背面板部（１２６）と、台板部の右側面側の辺部から折れ線を介して連設された右側片部（１２８）と、台板部の左側面側の辺部から折れ線を介して連設された左側片部（１３０）とを有し、
本体部の組立て状態では、台板部が内側右板部と内側左板部間に設けられ、右側片部が台板部に対して下側に折曲されて、内側右板部に沿って設けられるとともに、右側片部の下端の上下方向の高さが右構成部の下端の上下方向の高さと一致して設けられ、左側片部が台板部に対して下側に折曲されて、内側左板部に沿って設けられるとともに、左側片部の下端の上下方向の高さが左構成部の下端の上下方向の高さと一致して設けられ、背面板部は、台板部に対して上側に折曲されて、背面板部の上端が背面構成部の正面側の面に接し、台板部の上面に引出し部が載置されることを特徴とする請求項１又は２又は３又は４又は５又は６又は７又は８又は９又は１０又は１１に記載の陳列具。
【請求項１３】
右差込み部が、右主構成部から折れ線を介して連設された右差込み部帯状部であって、右主構成部との該折れ線に沿って帯状に形成された右差込み部帯状部（２２２、４２６）と、右差込み部帯状部の右主構成部とは反対側の辺部から折れ線を介して連設された右フラップ部（２２４、４２８）とを有し、
左差込み部が、左主構成部から折れ線を介して連設された左差込み部帯状部であって、左主構成部との該折れ線に沿って帯状に形成された左差込み部帯状部（２３２、４３６）と、左差込み部帯状部の左主構成部とは反対側の辺部から折れ線を介して連設された左フラップ部（２３４、４３８）とを有し、
引出し部を本体部に取り付けた場合には、右差込み部帯状部が内側右板部における右被差込み部の辺部の上に設けられ、右フラップ部は、外側右板部と内側右板部の間に設けられ、左差込み部帯状部が内側左板部における左被差込み部の辺部の上に設けられ、左フラップ部は、外側左板部と内側左板部の間に設けられることを特徴とする請求項１又は２又は３又は４又は５又は６又は７又は８又は９又は１０又は１１又は１２に記載の陳列具。
【請求項１４】
陳列具用本体部（１０）と、陳列具用本体部に取り付ける引出し部（３５０、３５１）を有する包装箱（２０１、４０１）とを有する陳列具セットであって、
包装箱が、引出し部（３５０、３５１）と、引出し部以外の部分である非引出し部とを有し、
引出し部が、
引出し部底面部（２５０、４５０）と、
引出し部底面部の右側面側の辺部から形成された引出し部右側面部で、引出し部底面部の右側面側の辺部から形成された右主構成部（２２０−１ａ、４２２−１）と、右主構成部から折れ線を介して連設された右差込み部（２２１、４２５）とを有する引出し部右側面部（２２０−１、４２２）と、
引出し部底面部の左側面側の辺部から形成された引出し部左側面部で、引出し部底面部の左側面側の辺部から形成された左主構成部（２３０−１ａ、４３２−１）と、左主構成部から折れ線を介して連設された左差込み部（２３１、４３５）とを有する引出し部左側面部（２３０−１、４３２）と、
引出し部底面部の背面側の辺部から形成された引出し部背面部（２４０−１、４４０）と、を有し、
包装箱が、シート状のブランクにより形成され、
陳列具用本体部が、
右構成部（２０）と、左構成部（７０）と、右構成部の背面側の辺部と左構成部の背面側の辺部間に設けられた背面構成部（１００）とを有し、
右構成部が、
右構成部の外側の面を構成する外側右板部（２２）と、
外側右板部の正面側の辺部から折れ線を介して連設され、外側右板部の正面側の辺部に沿って帯状に形成された右構成部帯状部（２４）と、
右構成部帯状部の外側右板部とは反対側の辺部から折れ線を介して連設され、外側右板部の内側に外側右板部と略平行に設けられた内側右板部（３０）と、を有し、
内側右板部には、右構成部帯状部から内側右板部にかけて切り欠いて右被差込み部（３２、３４）が設けられるとともに、内側右板部の領域の一部を折れ線を介して回動可能に形成してなる右支持フラップ（３６、３８）が設けられ、
左構成部が、
左構成部の外側の面を構成する外側左板部（７２）と、
外側左板部の正面側の辺部から折れ線を介して連設され、外側左板部の正面側の辺部に沿って帯状に形成された左構成部帯状部（７４）と、
左構成部帯状部の外側左板部とは反対側の辺部から折れ線を介して連設され、外側左板部の内側に外側左板部と略平行に設けられた内側左板部（８０）と、を有し、
内側左板部には、左構成部帯状部から内側左板部にかけて切り欠いて左被差込み部（８２、８４）が設けられるとともに、内側左板部の領域の一部を折れ線を介して回動可能に形成してなる左支持フラップ（８６、８８）が設けられ、
右構成部と左構成部とを左右両側に対向させた本体部の組立て状態において、右被差込み部と左被差込み部とは左右両側に互いに対向して設けられるとともに、右支持フラップと左支持フラップとは左右両側に互いに対向して設けられ、
引出し部を陳列具用本体部に取り付ける際には、包装箱から非引出し部を除去して引出し部を形成し、右支持フラップを内側右板部における右支持フラップが折れ線を介して連設された領域（３１）に対して回動させるとともに、左支持フラップを内側左板部における左支持フラップが折れ線を介して連設された領域（８１）に対して回動させた状態で、引出し部の右差込み部を右主構成部との間の折れ線を介して右主構成部に対して外側下向きに折り曲げた状態で、右被差込み部に差し込んで、右差込み部の少なくとも先端側の領域を外側右板部と内側右板部の間に設けるとともに、引出し部の左差込み部を左主構成部との間の折れ線を介して左主構成部に対して外側下向きに折り曲げた状態で、左被差込み部に差し込んで、左差込み部の少なくとも先端側の領域を外側左板部と内側左板部の間に設けることにより、引出し部が陳列具用本体部に取り付けられ、引出し部を陳列具用本体部に取り付けた状態では、右支持フラップと左支持フラップが引出し部の引出し部底面部に接触することを特徴とする陳列具セット。
【請求項１５】
引出し部が、引出し部底面部の正面側の辺部から形成された引出し部正面部（２１０−１、４１０）を有することを特徴とする請求項１４に記載の陳列具セット。
【請求項１６】
包装箱が、包装箱の底面を構成する箱底面部（２５０）と、包装箱の正面を構成する箱正面部（２１０）と、包装箱の右側面を構成する箱右側面部（２２０）と、包装箱の左側面を構成する箱左側面部（２３０）と、包装箱の背面を構成する箱背面部（２４０）と、包装箱の上面を構成する蓋部（３００）とを有し、
箱正面部と底面部とを分離するための切目線と、箱右側面部と箱左側面部とを上側領域と下側領域に分離するための切目線とを有する分離用切目線が設けられ、
箱右側面部の下側領域には、該右主構成部（２２０−１ａ）と該右差込み部（２２１）が設けられ、該右差込み部は、箱右側面部の下側領域における分離用切目線に接した領域に設けられ、
箱左側面部の下側領域には、該左主構成部（２３０−１ａ）と該左差込み部（２３１）が設けられ、該左差込み部は、箱左側面部の下側領域における分離用切目線に接した領域に設けられ、
分離用切目線を破断して、分離用切目線よりも上側の部分を含む該非引出し部を取り除くことにより該引出し部が形成され、引出し部底面部が箱底面部により構成され、引出し部正面部が箱正面部の下側領域により構成され、引出し部右側面部が箱右側面部の下側領域により構成され、引出し部左側面部が箱左側面部の下側領域により構成され、引出し部背面部が箱背面部により構成されることを特徴とする請求項１４に記載の陳列具セット。
【請求項１７】
包装箱が、包装箱の底面を構成する箱底面部（２５０）と、包装箱の正面を構成する箱正面部（２１０）と、包装箱の右側面を構成する箱右側面部（２２０）と、包装箱の左側面を構成する箱左側面部（２３０）と、包装箱の背面を構成する箱背面部（２４０）と、包装箱の上面を構成する蓋部（３００）とを有し、
箱正面部と箱右側面部と箱左側面部とを上側領域と下側領域に分離するための切目線である分離用切目線（３１０−１、３１０−２）が設けられ、
箱右側面部の下側領域には、該右主構成部（２２０−１ａ）と該右差込み部（２２１）が設けられ、該右差込み部は、箱右側面部の下側領域における分離用切目線に接した領域に設けられ、
箱左側面部の下側領域には、該左主構成部（２３０−１ａ）と該左差込み部（２３１）が設けられ、該左差込み部は、箱左側面部の下側領域における分離用切目線に接した領域に設けられ、
分離用切目線を破断して、分離用切目線よりも上側の部分を含む該非引出し部を取り除くことにより該引出し部（３５０）が形成され、引出し部底面部が箱底面部により構成され、引出し部正面部が箱正面部の下側領域により構成され、引出し部右側面部が箱右側面部の下側領域により構成され、引出し部左側面部が箱左側面部の下側領域により構成され、引出し部背面部が箱背面部により構成されることを特徴とする請求項１５に記載の陳列具セット。
【請求項１８】
分離用切目線が、箱背面部を上側領域と下側領域とに分離する切目線を有し、引出し部背面部が箱背面部の下側領域により構成されることを特徴とする請求項１６又は１７に記載の陳列具セット。
【請求項１９】
右差込み部は、分離用切目線から連設された第１切目線（Ｋ２２０）を介して該右主構成部と隣接し、
左差込み部は、分離用切目線から連設された第１切目線（Ｋ２２０）を介して該右主構成部と隣接し、
右差込み部を右主構成部との間の折れ線を介して右主構成部に対して外側下向きに折り曲げることにより、右差込み部における第１切目線に沿った辺部が右主構成部における第１切目線と接した辺部から分離し、左差込み部を左主構成部との間の折れ線を介して左主構成部に対して外側下向きに折り曲げることにより、左差込み部における第２切目線に沿った辺部が右主構成部における第２切目線と接した辺部から分離することを特徴とする請求項１６又は１７又は１８に記載の陳列具セット。
【請求項２０】
分離用切目線が平行に２本形成されることにより、ジッパー（３１０）が形成されていることを特徴とする請求項１６又は１７又は１８又は１９に記載の陳列具セット。
【請求項２１】
包装箱が、内箱部（Ａ１）と、内箱部を覆う外箱部（Ａ２）とを有し、
内箱部が、
正面側の辺部と左右両側の辺部と背面側の辺部を有する底面部（４５０）と、
底面部の各辺から立設し底面部に対して略直角をなす内側スリーブ状部で、内側正面部（４１０）と、相対する一対の内側側面部（４２０、４３０）と、内側背面部（４４０）とからなる内側スリーブ状部（４０５）と、を有していて、内箱部の上部が開口し、
相対する一対の内側側面部において、内側側面部の一部が分離部（４２４）として分離部以外の部分である内側側面部本体部（４２２）と切目線を介して分離可能に形成され、
外箱部が、
内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部（５１０）と、一対の内側側面部における各内側側面部の外側の面に沿ってそれぞれ形成された外側側面部（５２０、５３０）と、内側背面部の外側の面に沿って形成された外側背面部（５４０）とを有する外側スリーブ状部（５０５）と、
外側スリーブ状部の上端から折れ線を介して連設された蓋部（５７０、５８０）と、を有し、
内箱部における分離部が設けられた内側側面部に対応した外側側面部に分離部が接着され、外側側面部における分離部が接着された領域を含み切目線を介して形成された片部（５２２、５３２）が該外側側面部の他の部分に対して回動可能に形成され、
内箱部と外箱部とが、それぞれシート状のブランクにより形成されていて、
右側面側の内側側面部である右内側側面部には、該右主構成部（４２２−１）と該右差込み部（４２５）が設けられ、該右差込み部は、右内側側面部における上辺で正面側の上端から背面側の上端までの上辺における少なくとも一部に接した領域に設けられ、
左側面側の内側側面部である左内側側面部には、該左主構成部（４３２−１）と該左差込み部（４３５）が設けられ、該左差込み部は、左内側側面部における上辺で正面側の上端から背面側の上端までの上辺における少なくとも一部に接した領域に設けられ、
外側側面部における分離部が接着された片部を該外側側面部の他の部分に対して回動させることにより、分離部と内側側面部本体部間の切目線が破断して分離部が第１片部に接着した状態のまま内箱部から分離し、外箱部と内箱部における分離部とからなる非引出し部を除去することにより、分離部が分離した内箱部が該引出し部（３５１）となり、引出し部底面部が内箱部の底面部により構成され、引出し部正面部が内側正面部により構成され、引出し部右側面部が分離部が分離した右内側側面部により構成され、引出し部左側面部が分離部が分離した左内側側面部により構成され、引出し部背面部が内側背面部により構成されることを特徴とする請求項１５に記載の陳列具セット。
【請求項２２】
右差込み部は、右内側側面部の上辺から連設された第１切目線（Ｋ４２０）を介して右主構成部と隣接し、
左差込み部は、左内側側面部の上辺から連設された第２切目線（Ｋ４３０）を介して該右主構成部と隣接し、
右差込み部を右主構成部との間の折れ線を介して右主構成部に対して外側下向きに折り曲げることにより、右差込み部における第１切目線に沿った辺部が右主構成部における第１切目線と接した辺部から分離し、左差込み部を左主構成部との間の折れ線を介して左主構成部に対して外側下向きに折り曲げることにより、左差込み部における第２切目線に沿った辺部が右主構成部における第２切目線と接した辺部から分離することを特徴とする請求項２１に記載の陳列具セット。
【請求項２３】
右被差込み部は、
内側右板部の正面側の辺部から形成された右切欠きで、正面側の辺部から形成された右幅広部で、内側右板部における正面側の辺部の方向の幅が引出し部の右差込み部を差込み可能な幅に形成された右幅広部（Ｊ３２ａ、Ｊ３４ａ）と、右幅広部の背面側の端部から帯状に形成され、内側右板部における正面側の辺部の方向の幅が右幅広部よりも短く形成された右幅狭部（Ｊ３２ｂ、Ｊ３４ｂ）とを有する右切欠き（Ｊ３２、Ｊ３４）と、
右構成部帯状部に形成された右開設部で、右切欠きから連設され、凹状の切欠き又は右構成部帯状部を上側と下側に分離する隙間により形成された右開設部（Ｊ２５、Ｊ２６）と、を有し、
左被差込み部は、
内側左板部の正面側の辺部から形成された左切欠きで、正面側の辺部から形成された幅広部で、内側右板部における正面側の辺部の方向の幅が引出し部の右差込み部を差込み可能な幅に形成された左幅広部（Ｊ８２ａ、Ｊ８４ａ）と、左幅広部の背面側の端部から帯状に形成され、内側左板部における正面側の辺部の方向の幅が左幅広部よりも短く形成された左幅狭部（Ｊ８２ｂ、Ｊ８４ｂ）とを有する左切欠き（Ｊ８２、Ｊ８４）と、
左構成部帯状部に形成された左開設部で、左切欠きから連設され、凹状の切欠き又は左構成部帯状部を上側と下側に分離する隙間により形成された左開設部（Ｊ７５、Ｊ７６）と、を有することを特徴とする請求項１４又は１５又は１６又は１７又は１８又は１９又は２０又は２１又は２２に記載の陳列具セット。
【請求項２４】
内側右板部の背面側の辺部から折返し右接着部（４３）が設けられ、折返し右接着部は、内側右板部の内側に折り返した状態で、外側右板部に接着され、
内側左板部の背面側の辺部から折返し左接着部（９３）が設けられ、折返し左接着部は、内側左板部の内側に折り返した状態で、外側左板部に接着されていることを特徴とする請求項１４又は１５又は１６又は１７又は１８又は１９又は２０又は２１又は２２又は２３に記載の陳列具セット。
【請求項２５】
右構成部の正面側の下端部と左構成部の正面側の下端部間に固定して設けられた底正面部（１２２）と、底正面部の上辺から折れ線を介して連設された台板部（１２４）と、台板部の底正面部とは反対側の辺部から折れ線を介して連設された背面板部（１２６）と、台板部の右側面側の辺部から折れ線を介して連設された右側片部（１２８）と、台板部の左側面側の辺部から折れ線を介して連設された左側片部（１３０）とを有し、
陳列具用本体部の組立て状態では、台板部が内側右板部と内側左板部間に設けられ、右側片部が台板部に対して下側に折曲されて、内側右板部に沿って設けられるとともに、右側片部の下端の上下方向の高さが右構成部の下端の上下方向の高さと一致して設けられ、左側片部が台板部に対して下側に折曲されて、内側左板部に沿って設けられるとともに、左側片部の下端の上下方向の高さが左構成部の下端の上下方向の高さと一致して設けられ、背面板部は、台板部に対して上側に折曲されて、背面板部の上端が背面構成部の正面側の面に接し、台板部の上面に引出し部が載置されることを特徴とする請求項１４又は１５又は１６又は１７又は１８又は１９又は２０又は２１又は２２又は２３又は２４に記載の陳列具セット。
【請求項２６】
右差込み部が、右主構成部から折れ線を介して連設された右差込み部帯状部であって、右主構成部との該折れ線に沿って帯状に形成された右差込み部帯状部（２２２、４２６）と、右差込み部帯状部の右主構成部とは反対側の辺部から折れ線を介して連設された右フラップ部（２２４、４２８）とを有し、
左差込み部が、左主構成部から折れ線を介して連設された左差込み部帯状部であって、左主構成部との該折れ線に沿って帯状に形成された左差込み部帯状部（２３２、４３６）と、左差込み部帯状部の左主構成部とは反対側の辺部から折れ線を介して連設された左フラップ部（２３４、４３８）とを有し、
引出し部を陳列具用本体部に取り付けた場合には、右差込み部帯状部が内側右板部における右被差込み部の辺部の上に設けられ、右フラップ部は、外側右板部と内側右板部の間に設けられ、左差込み部帯状部が内側左板部における左被差込み部の辺部の上に設けられ、左フラップ部は、外側左板部と内側左板部の間に設けられることを特徴とする請求項１４又は１５又は１６又は１７又は１８又は１９又は２０又は２１又は２２又は２３又は２４又は２５に記載の陳列具セット。
【請求項２７】
陳列具用本体部（１０）に取り付けるための引出し部（３５０）を有する陳列具用包装箱（２０１）であって、
陳列具用包装箱の底面を構成する箱底面部（２５０）と、陳列具用包装箱の正面を構成する箱正面部（２１０）と、陳列具用包装箱の右側面を構成する箱右側面部（２２０）と、陳列具用包装箱の左側面を構成する箱左側面部（２３０）と、陳列具用包装箱の背面を構成する箱背面部（２４０）と、陳列具用包装箱の上面を構成する蓋部（３００）とを有し、
箱正面部と底面部とを分離するための切目線と、箱右側面部と箱左側面部とを上側領域と下側領域に分離するための切目線とを有する分離用切目線が設けられ、
箱右側面部の下側領域には、箱底面部の右側面側の辺部から形成された右主構成部（２２０−１ａ）と、右主構成部から折れ線を介して連設された右差込み部（２２１）とが設けられ、該右差込み部は、箱右側面部の下側領域における分離用切目線に接した領域に設けられ、
箱左側面部の下側領域には、箱底面部の左側面側の辺部から形成された左主構成部（２３０−１ａ）と、左主構成部から折れ線を介して連設された左差込み部（２３１）とが設けられ、該左差込み部は、箱左側面部の下側領域における分離用切目線に接した領域に設けられ、
陳列具用包装箱が、シート状のブランクにより形成され、
陳列具用包装箱における分離用切目線を破断して、分離用切目線よりも上側の部分を含む非引出し部を取り除くことにより該引出し部（３５０）が形成され、引出し部の底面部が箱底面部により構成され、引出し部の右側面部が箱右側面部の下側領域により構成され、引出し部の左側面部が箱左側面部の下側領域により構成され、引出し部の背面部が箱背面部により構成され、
陳列具用本体部には、右差込み部を差し込むための右被差込み部と左差込み部を差し込むための左被差込み部が設けられ、右差込み部を右主構成部との間の折れ線を介して右主構成部に対して外側下向きに折り曲げた状態で、右被差込み部に差し込むとともに、左差込み部を左主構成部との間の折れ線を介して左主構成部に対して外側下向きに折り曲げた状態で、左被差込み部に差し込むことにより、引出し部が陳列具用本体部に取り付けられることを特徴とする陳列具用包装箱。
【請求項２８】
陳列具用本体部（１０）に取り付けるための引出し部（３５０）を有する陳列具用包装箱（２０１）であって、
陳列具用包装箱の底面を構成する箱底面部（２５０）と、陳列具用包装箱の正面を構成する箱正面部（２１０）と、陳列具用包装箱の右側面を構成する箱右側面部（２２０）と、陳列具用包装箱の左側面を構成する箱左側面部（２３０）と、陳列具用包装箱の背面を構成する箱背面部（２４０）と、陳列具用包装箱の上面を構成する蓋部（３００）とを有し、
箱正面部と箱右側面部と箱左側面部とを上側領域と下側領域に分離するための切目線である分離用切目線（３１０−１、３１０−２）が設けられ、
箱右側面部の下側領域には、箱底面部の右側面側の辺部から形成された右主構成部（２２０−１ａ）と、右主構成部から折れ線を介して連設された右差込み部（２２１）とが設けられ、該右差込み部は、箱右側面部の下側領域における分離用切目線に接した領域に設けられ、
箱左側面部の下側領域には、箱底面部の左側面側の辺部から形成された左主構成部（２３０−１ａ）と、左主構成部から折れ線を介して連設された左差込み部（２３１）とが設けられ、該左差込み部は、箱左側面部の下側領域における分離用切目線に接した領域に設けられ、
陳列具用包装箱が、シート状のブランクにより形成され、
陳列具用包装箱における分離用切目線を破断して、分離用切目線よりも上側の部分を含む非引出し部を取り除くことにより該引出し部（３５０）が形成され、引出し部の底面部が箱底面部により構成され、引出し部の正面部が箱正面部の下側領域により構成され、引出し部の右側面部が箱右側面部の下側領域により構成され、引出し部の左側面部が箱左側面部の下側領域により構成され、引出し部の背面部が箱背面部により構成され、
陳列具用本体部には、右差込み部を差し込むための右被差込み部と左差込み部を差し込むための左被差込み部が設けられ、右差込み部を右主構成部との間の折れ線を介して右主構成部に対して外側下向きに折り曲げた状態で、右被差込み部に差し込むとともに、左差込み部を左主構成部との間の折れ線を介して左主構成部に対して外側下向きに折り曲げた状態で、左被差込み部に差し込むことにより、引出し部が陳列具用本体部に取り付けられることを特徴とする陳列具用包装箱。
【請求項２９】
分離用切目線が、箱背面部を上側領域と下側領域とに分離する切目線を有し、引出し部背面部が箱背面部の下側領域により構成されることを特徴とする請求項２７又は２８に記載の陳列具。
【請求項３０】
右差込み部は、分離用切目線から連設された第１切目線（Ｋ２２０）を介して該右主構成部と隣接し、
左差込み部は、分離用切目線から連設された第１切目線（Ｋ２２０）を介して該右主構成部と隣接し、
右差込み部を右主構成部との間の折れ線を介して右主構成部に対して外側下向きに折り曲げることにより、右差込み部における第１切目線に沿った辺部が右主構成部における第１切目線と接した辺部から分離し、左差込み部を左主構成部との間の折れ線を介して左主構成部に対して外側下向きに折り曲げることにより、左差込み部における第２切目線に沿った辺部が右主構成部における第２切目線と接した辺部から分離することを特徴とする請求項２７又は２８又は２９に記載の陳列具用包装箱。
【請求項３１】
分離用切目線が平行に２本形成されることにより、該２つの分離用切目線により形成されたジッパー（３１０）が設けられていることを特徴とする請求項２７又は２８又は２９又は３０に記載の陳列具用包装箱。
【請求項３２】
陳列具用本体部（１０）に取り付けるための引出し部（３５０）を有する陳列具用包装箱（４０１）であって、
陳列具用包装箱が、内箱部（Ａ１）と、内箱部を覆う外箱部（Ａ２）とを有し、
内箱部が、
正面側の辺部と左右両側の辺部と背面側の辺部を有する底面部（４５０）と、
底面部の各辺から立設し底面部に対して略直角をなす内側スリーブ状部で、内側正面部（４１０）と、相対する一対の内側側面部（４２０、４３０）と、内側背面部（４４０）とからなる内側スリーブ状部（４０５）と、を有していて、内箱部の上部が開口し、
相対する一対の内側側面部において、内側側面部の一部が分離部（４２４）として分離部以外の部分である内側側面部本体部（４２２）と切目線を介して分離可能に形成され、
外箱部が、
内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部（５１０）と、一対の内側側面部における各内側側面部の外側の面に沿ってそれぞれ形成された外側側面部（５２０、５３０）と、内側背面部の外側の面に沿って形成された外側背面部（５４０）とを有する外側スリーブ状部（５０５）と、
外側スリーブ状部の上端から折れ線を介して連設された蓋部（５７０、５８０）と、を有し、
内箱部における分離部が設けられた内側側面部に対応した外側側面部に分離部が接着され、外側側面部における分離部が接着された領域を含み切目線を介して形成された片部（５２２、５３２）が該外側側面部の他の部分に対して回動可能に形成され、
内箱部と外箱部とが、それぞれシート状のブランクにより形成されていて、
右側面側の内側側面部である右内側側面部には、該右主構成部（４２２−１）と該右差込み部（４２５）が設けられ、該右差込み部は、右内側側面部における上辺で正面側の上端から背面側の上端までの上辺における少なくとも一部に接した領域に設けられ、
左側面側の内側側面部である左内側側面部には、該左主構成部（４３２−１）と該左差込み部（４３５）が設けられ、該左差込み部は、左内側側面部における上辺で正面側の上端から背面側の上端までの上辺における少なくとも一部に接した領域に設けられ、
外側側面部における分離部が接着された片部を該外側側面部の他の部分に対して回動させることにより、分離部と内側側面部本体部間の切目線が破断して分離部が第１片部に接着した状態のまま内箱部から分離し、外箱部と内箱部における分離部とからなる非引出し部を除去することにより、分離部が分離した内箱部が該引出し部（３５１）となり、
陳列具用本体部には、右差込み部を差し込むための右被差込み部と左差込み部を差し込むための左被差込み部が設けられ、右差込み部を右主構成部との間の折れ線を介して右主構成部に対して外側下向きに折り曲げた状態で、右被差込み部に差し込むとともに、左差込み部を左主構成部との間の折れ線を介して左主構成部に対して外側下向きに折り曲げた状態で、左被差込み部に差し込むことにより、引出し部が陳列具用本体部に取り付けられることを特徴とする陳列具用包装箱。
【請求項３３】
右差込み部は、右内側側面部の上辺から連設された第１切目線（Ｋ４２０）を介して右主構成部と隣接し、
左差込み部は、左内側側面部の上辺から連設された第２切目線（Ｋ４３０）を介して該右主構成部と隣接し、
右差込み部を右主構成部との間の折れ線を介して右主構成部に対して外側下向きに折り曲げることにより、右差込み部における第１切目線に沿った辺部が右主構成部における第１切目線と接した辺部から分離し、左差込み部を左主構成部との間の折れ線を介して左主構成部に対して外側下向きに折り曲げることにより、左差込み部における第２切目線に沿った辺部が右主構成部における第２切目線と接した辺部から分離することを特徴とする請求項３２に記載の陳列具用包装箱。
【請求項３４】
陳列具用本体部は、
右構成部（２０）と、左構成部（７０）と、右構成部の背面側の辺部と左構成部の背面側の辺部間に設けられた背面構成部（１００）とを有し、
右構成部が、
右構成部の外側の面を構成する外側右板部（２２）と、
外側右板部の正面側の辺部から折れ線を介して連設され、外側右板部の正面側の辺部に沿って帯状に形成された右構成部帯状部（２４）と、
右構成部帯状部の外側右板部とは反対側の辺部から折れ線を介して連設され、外側右板部の内側に外側右板部と略平行に設けられた内側右板部（３０）と、を有し、
内側右板部には、右構成部帯状部から内側右板部にかけて切り欠いて右被差込み部（３２、３４）が設けられるとともに、内側右板部の領域の一部を折れ線を介して回動可能に形成してなる右支持フラップ（３６、３８）が設けられ、
左構成部が、
左構成部の外側の面を構成する外側左板部（７２）と、
外側左板部の正面側の辺部から折れ線を介して連設され、外側左板部の正面側の辺部に沿って帯状に形成された左構成部帯状部（７４）と、
左構成部帯状部の外側左板部とは反対側の辺部から折れ線を介して連設され、外側左板部の内側に外側左板部と略平行に設けられた内側左板部（８０）と、を有し、
内側左板部には、左構成部帯状部から内側左板部にかけて切り欠いて左被差込み部（８２、８４）が設けられるとともに、内側左板部の領域の一部を折れ線を介して回動可能に形成してなる左支持フラップ（８６、８８）が設けられ、
右構成部と左構成部とを左右両側に対向させた陳列具用本体部の組立て状態において、右被差込み部と左被差込み部とは左右両側に互いに対向して設けられるとともに、右支持フラップと左支持フラップとは左右両側に互いに対向して設けられ、
引出し部を陳列具用本体部に取り付ける際には、右支持フラップを内側右板部における右支持フラップが折れ線を介して連設された領域（３１）に対して回動させるとともに、左支持フラップを内側左板部における左支持フラップが折れ線を介して連設された領域（８１）に対して回動させた状態で、引出し部の右差込み部を右主構成部との間の折れ線を介して右主構成部に対して外側下向きに折り曲げた状態で、右被差込み部に差し込んで、右差込み部の少なくとも先端側の領域を外側右板部と内側右板部の間に設けるとともに、引出し部の左差込み部を左主構成部との間の折れ線を介して左主構成部に対して外側下向きに折り曲げた状態で、左被差込み部に差し込んで、左差込み部の少なくとも先端側の領域を外側左板部と内側左板部の間に設けることにより、引出し部が陳列具用本体部に取り付けられ、引出し部を陳列具用本体部に取り付けた状態では、右支持フラップと左支持フラップが箱底面部に接触することを特徴とする請求項２７又は２８又は２９又は３０又は３２又は３３に記載の陳列具用包装箱。
【発明の詳細な説明】
【技術分野】
【０００１】
本発明は、陳列具に関するものであり、特に、複数の棚部を有する陳列具に関するものである。
【背景技術】
【０００２】
従来より複数の棚部を有する陳列具で段ボール材等の紙材により形成されたものとして、特許文献１に記載の陳列スタンドや、特許文献２に記載の陳列棚や、特許文献３に記載の箱形スタンド状広告媒体が存在する。
【０００３】
特許文献１に記載の陳列スタンドにおいては、間隔を置いて対向配置される２枚の支持板１０、１２と、支持板の間に配置される複数の収納箱１４とから構成され、収納箱には、支持板側の両側面に形成された係止部が設けられ、支持板には、前記係止部を係止する係合部が設けられいる。また、収納箱の係止部は、両側面を切り欠いて形成した切欠片２４ａ、２４ｂにより構成され、各支持板の各係合部は、対応する前記切欠片の一部を前記各支持板の外側で支持するために各切欠片が順次に挿入される相互に平行な一対の長穴１６ａ、１６ｂにより構成されている。
【０００４】
また、特許文献２に記載の陳列棚においては、４段の折りたたみ可能な棚部材２００−１、２００−２、２００−３、２００−４を折りたたみ可能な棚支持部材３００に下段ほど前側に位置するように配置し、棚部材は、陳列品を載置できる底部２６０、奥板２１０、２枚の側板２２０、２４０、奥板より低い前板２３０を備え、棚支持部材は、背板、２枚の支持側板３２０、底支持板３４０から構成すされ、棚部材の底部は、下段に配置する棚部材の奥板で支持し、最下段の棚部材は棚支持部材の底支持板で支持するものである。
【０００５】
また、特許文献３に記載の箱形スタンド状広告媒体においては、前後面と両側に設けた折り目で折り曲げて装着面部壁、側面壁、背面壁とが構成され後部の両側に係止部１２を有する棚部材１１における係止部１２が広告媒体１の差し込み孔１０に差し込み支持されて棚部材付き箱形スタンド状広告媒体が構成される。
【先行技術文献】
【特許文献】
【０００６】
【特許文献１】特開２０００−２３７００３号公報
【特許文献２】実用新案登録第３１８９３６２号公報
【特許文献３】実用新案登録第３１２９５９１号公報
【発明の概要】
【発明が解決しようとする課題】
【０００７】
しかし、特許文献１〜３の構成においては、陳列すべき商品を陳列スタンド（陳列棚、箱形スタンド状広告媒体）の設置場所まで運び、商品を収納箱（棚部材）に移し替える必要があり、商品の陳列作業が面倒であった。すなわち、箱詰めで運搬された商品に対して、商品の運搬に使用した箱から商品を取り出して、陳列スタンド（陳列棚、箱形スタンド状広告媒体）に設けられた収納箱（棚部材）に収納する必要がある。
【０００８】
そこで、本発明は、陳列具であって、箱詰めで運搬された商品の陳列を容易とする陳列具を提供することを目的とするものである。
【課題を解決するための手段】
【０００９】
本発明は上記問題点を解決するために創作されたものであって、第１には、陳列具であって、本体部（１０）と、本体部に着脱可能な引出し部（３５０、３５１）とを有し、
引出し部が、シート状のブランクにより形成された包装箱（２０１、４０１）から引出し部以外の部分である非引出し部を除去することにより形成されたものであり、引出し部が、引出し部底面部（２５０、４５０）と、引出し部底面部の正面側の辺部から形成された引出し部正面部（２１０−１、４１０）と、引出し部底面部の右側面側の辺部から形成された引出し部右側面部で、引出し部底面部の右側面側の辺部から形成された右主構成部（２２０−１ａ、４２２−１）と、右主構成部から折れ線を介して連設された右差込み部（２２１、４２５）とを有する引出し部右側面部（２２０−１、４２２）と、引出し部底面部の左側面側の辺部から形成された引出し部左側面部で、引出し部底面部の左側面側の辺部から形成された左主構成部（２３０−１ａ、４３２−１）と、左主構成部から折れ線を介して連設された左差込み部（２３１、４３５）とを有する引出し部左側面部（２３０−１、４３２）と、引出し部底面部の背面側の辺部から形成された引出し部背面部（２４０−１、４４０）と、を有し、本体部が、右構成部（２０）と、左構成部（７０）と、右構成部の背面側の辺部と左構成部の背面側の辺部間に設けられた背面構成部（１００）とを有し、右構成部が、右構成部の外側の面を構成する外側右板部（２２）と、外側右板部の正面側の辺部から折れ線を介して連設され、外側右板部の正面側の辺部に沿って帯状に形成された右構成部帯状部（２４）と、右構成部帯状部の外側右板部とは反対側の辺部から折れ線を介して連設され、外側右板部の内側に外側右板部と略平行に設けられた内側右板部（３０）と、を有し、内側右板部には、右構成部帯状部から内側右板部にかけて切り欠いて右被差込み部（３２、３４）が設けられるとともに、内側右板部の領域の一部を折れ線（第１折れ線）を介して回動可能に形成してなる右支持フラップ（３６、３８）が設けられ、左構成部が、左構成部の外側の面を構成する外側左板部（７２）と、外側左板部の正面側の辺部から折れ線を介して連設され、外側左板部の正面側の辺部に沿って帯状に形成された左構成部帯状部（７４）と、左構成部帯状部の外側左板部とは反対側の辺部から折れ線を介して連設され、外側左板部の内側に外側左板部と略平行に設けられた内側左板部（８０）と、を有し、内側左板部には、左構成部帯状部から内側左板部にかけて切り欠いて左被差込み部（８２、８４）が設けられるとともに、内側左板部の領域の一部を折れ線（第２折れ線）を介して回動可能に形成してなる左支持フラップ（８６、８８）が設けられ、右構成部と左構成部とを左右両側に対向させた本体部の組立て状態において、右被差込み部と左被差込み部とは左右両側に互いに対向して設けられるとともに、右支持フラップと左支持フラップとは左右両側に互いに対向して設けられ、引出し部を本体部に取り付ける際には、右支持フラップを内側右板部における右支持フラップが折れ線（第１折れ線）を介して連設された領域（３１）に対して（「内側右板部における右支持フラップ以外の領域である内側右板部本体（３１）に対して」としてもよい。第１４、第２７、第２８、第３１の構成においても同じ）回動させる（「外側に回動させる」、「略直角に回動させる」としてもよい）とともに、左支持フラップを内側左板部における左支持フラップが折れ線（第２折れ線）を介して連設された領域（８１）に対して（「内側左板部における左支持フラップ以外の領域である内側右板部本体（８１）に対して」としてもよい。第１４、第２７、第２８、第３１の構成においても同じ）回動させた状態（「外側に回動させた状態で」、「略直角に回動させた状態で」としてもよい）で、引出し部の右差込み部を右主構成部との間の折れ線を介して右主構成部に対して外側下向きに折り曲げた状態で、右被差込み部に差し込んで（「挿入して」としてもよい）、右差込み部の少なくとも先端側の領域を外側右板部と内側右板部の間に設けるとともに、引出し部の左差込み部を左主構成部との間の折れ線を介して左主構成部に対して外側下向きに折り曲げた状態で、左被差込み部に差し込んで（「挿入して」としてもよい）、左差込み部の少なくとも先端側の領域を外側左板部と内側左板部の間に設けることにより、引出し部が本体部に取り付けられ、引出し部を本体部に取り付けた状態では、右支持フラップと左支持フラップが引出し部の引出し部底面部に接触することを特徴とする。
【００１０】
第１の構成の陳列具によれば、商品の運搬に使用した包装箱の一部をそのまま利用して引出し部とできるので、商品を包装箱から移し替える必要がなく、運搬された商品の陳列を容易とすることができる。
【００１１】
また、第２には、上記第１の構成において、引出し部が、引出し部底面部の正面側の辺部から形成された引出し部正面部（２１０−１、４１０）を有することを特徴とする。
【００１２】
また、第３には、上記第１の構成において、引出し部を有する包装箱が、包装箱の底面を構成する箱底面部（２５０）と、包装箱の正面を構成する箱正面部（２１０）と、包装箱の右側面を構成する箱右側面部（２２０）と、包装箱の左側面を構成する箱左側面部（２３０）と、包装箱の背面を構成する箱背面部（２４０）と、包装箱の上面を構成する蓋部（「包装箱の上面を構成し、箱正面部と箱右側面部と箱左側面部と箱背面部からなる周壁部の上端から形成され、包装箱を開閉する蓋部」としてもよい）（３００）とを有し（「引出し部を有する包装箱が、スリーブ状部（２０５）と、スリーブ状部の下端に設けられた箱底面部（２５０）と、スリーブ状部の上端に設けられた蓋部（３００）とを有し、スリーブ状部は、スリーブ状部の正面側を構成する箱正面部（２１０）と、スリーブ状部の右側面側を構成する箱右側面部（２２０）と、スリーブ状部の左側面側を構成する箱左側面部（２３０）と、スリーブ状部の背面側を構成する箱背面部（２４０）とを有し」としてもよい）、箱正面部と底面部とを分離するための切目線と、箱右側面部と箱左側面部とを上側領域と下側領域に分離するための切目線とを有する分離用切目線が設けられ、箱右側面部の下側領域には、該右主構成部と該右差込み部が設けられ、該右差込み部は、箱右側面部の下側領域における分離用切目線に接した領域に設けられ、箱左側面部の下側領域には、該左主構成部と該左差込み部が設けられ、該左差込み部は、箱左側面部の下側領域における分離用切目線に接した領域に設けられ、分離用切目線を破断して、分離用切目線よりも上側の部分を含む該非引出し部（「上側の部分である該非引出し部」としてもよい）を取り除くことにより該引出し部が形成され、引出し部底面部が箱底面部により構成され、引出し部右側面部が箱右側面部の下側領域により構成され、引出し部左側面部が箱左側面部の下側領域により構成され、引出し部背面部が箱背面部により構成されることを特徴とする。
【００１３】
第３の構成によれば、分離用切目線を破断することにより、引出し部が形成されるので、容易に引出し部を形成することができる。
【００１４】
また、第４には、上記第２の構成において、引出し部を有する包装箱が、包装箱の底面を構成する箱底面部（２５０）と、包装箱の正面を構成する箱正面部（２１０）と、包装箱の右側面を構成する箱右側面部（２２０）と、包装箱の左側面を構成する箱左側面部（２３０）と、包装箱の背面を構成する箱背面部（２４０）と、包装箱の上面を構成する蓋部（「包装箱の上面を構成し、箱正面部と箱右側面部と箱左側面部と箱背面部からなる周壁部の上端から形成され、包装箱を開閉する蓋部」としてもよい）（３００）とを有し（「引出し部を有する包装箱が、スリーブ状部（２０５）と、スリーブ状部の下端に設けられた箱底面部（２５０）と、スリーブ状部の上端に設けられた蓋部（３００）とを有し、スリーブ状部は、スリーブ状部の正面側を構成する箱正面部（２１０）と、スリーブ状部の右側面側を構成する箱右側面部（２２０）と、スリーブ状部の左側面側を構成する箱左側面部（２３０）と、スリーブ状部の背面側を構成する箱背面部（２４０）とを有し」としてもよい）、箱正面部と箱右側面部と箱左側面部とを上側領域と下側領域に分離するための切目線である分離用切目線（３１０−１、３１０−２）が設けられ、箱右側面部の下側領域には、該右主構成部と該右差込み部が設けられ、該右差込み部は、箱右側面部の下側領域における分離用切目線に接した領域に設けられ、箱左側面部の下側領域には、該左主構成部と該左差込み部が設けられ、該左差込み部は、箱左側面部の下側領域における分離用切目線に接した領域に設けられ、分離用切目線を破断して、分離用切目線よりも上側の部分を含む該非引出し部（「上側の部分である該非引出し部」としてもよい）を取り除くことにより該引出し部（３５０）が形成され、引出し部底面部が箱底面部により構成され、引出し部正面部が箱正面部の下側領域により構成され、引出し部右側面部が箱右側面部の下側領域により構成され、引出し部左側面部が箱左側面部の下側領域により構成され、引出し部背面部が箱背面部により構成されることを特徴とする。
【００１５】
第４の構成によれば、分離用切目線を破断することにより、引出し部が形成されるので、容易に引出し部を形成することができる。
【００１６】
また、第５には、上記第３又は第４の構成において、分離用切目線が、箱背面部を上側領域と下側領域とに分離する切目線を有し、引出し部背面部が箱背面部の下側領域により構成されることを特徴とする。よって、引出し部の状態においては、箱背面部の上側部分が取り除かれているので、引出し部を本体部に取り付ける際に箱背面部が邪魔になることがない。
【００１７】
また、第６には、上記第３から第５までのいずれかの構成において、右差込み部は、分離用切目線から連設された第１切目線（Ｋ２２０）を介して該右主構成部と隣接し、左差込み部は、分離用切目線から連設された第１切目線（Ｋ２２０）を介して該右主構成部と隣接し、右差込み部を右主構成部との間の折れ線を介して右主構成部に対して外側下向きに折り曲げることにより、右差込み部における第１切目線に沿った辺部が右主構成部における第１切目線と接した辺部から分離し、左差込み部を左主構成部との間の折れ線を介して左主構成部に対して外側下向きに折り曲げることにより、左差込み部における第２切目線に沿った辺部が右主構成部における第２切目線と接した辺部から分離することを特徴とする。
【００１８】
また、第７には、上記第３から第６までのいずれかの構成において、分離用切目線が平行に２本形成されることにより、該２つの分離用切目線により形成されたジッパー（３１０）が設けられていることを特徴とする。
【００１９】
また、第８には、上記第２の構成において、引出し部を有する包装箱が、内箱部（Ａ１）と、内箱部を覆う外箱部（Ａ２）とを有し、内箱部が、正面側の辺部と左右両側の辺部と背面側の辺部を有する底面部（４５０）と、底面部の各辺から立設し底面部に対して略直角をなす内側スリーブ状部で、内側正面部（４１０）と、相対する一対の内側側面部（４２０、４３０）と、内側背面部（４４０）とからなる内側スリーブ状部（４０５）と、を有していて、内箱部の上部が開口し、相対する一対の内側側面部において、内側側面部の一部が分離部（４２４）として分離部以外の部分である内側側面部本体部（４２２）と切目線を介して分離可能に形成され、外箱部が、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部（５１０）と、一対の内側側面部における各内側側面部の外側の面に沿ってそれぞれ形成された外側側面部（５２０、５３０）と、内側背面部の外側の面に沿って形成された外側背面部（５４０）とを有する外側スリーブ状部（５０５）と、外側スリーブ状部の上端から折れ線を介して連設された蓋部（５７０、５８０）と、を有し、内箱部における分離部が設けられた内側側面部に対応した外側側面部に分離部が接着され、外側側面部における分離部が接着された領域を含み切目線を介して形成された片部（５２２、５３２）が該外側側面部の他の部分に対して回動可能に形成され、内箱部と外箱部とが、それぞれシート状のブランク（「それぞれ１枚のシート状のブランク」としてもよい）により形成されていて、右側面側の内側側面部である右内側側面部には、該右主構成部と該右差込み部が設けられ、該右差込み部は、右内側側面部における上辺で正面側の上端から背面側の上端までの上辺における少なくとも一部に接した領域に設けられ、左側面側の内側側面部である左内側側面部には、該左主構成部と該左差込み部が設けられ、該左差込み部は、左内側側面部における上辺で正面側の上端から背面側の上端までの上辺における少なくとも一部に接した領域に設けられ、外側側面部における分離部が接着された片部を該外側側面部の他の部分に対して回動させることにより、分離部と内側側面部本体部間の切目線が破断して分離部が第１片部に接着した状態のまま内箱部から分離し、外箱部と内箱部における分離部とからなる非引出し部を除去することにより、分離部が分離した内箱部が該引出し部（３５１）となり、引出し部底面部が内箱部の底面部により構成され、引出し部正面部が内側正面部により構成され、引出し部右側面部が分離部が分離した右内側側面部により構成され、引出し部左側面部が分離部が分離した左内側側面部により構成され、引出し部背面部が内側背面部により構成されることを特徴とする。
【００２０】
第８の構成の陳列具によれば、片部を外側側面部以外の部分に対して外側に回動させて、分離部を内箱部から分離して外箱部を上方に引き上げるのみで引出し部を形成できるので、容易に引出し部を形成することができる。
【００２１】
また、第９には、上記第８の構成において、右差込み部は、右内側側面部の上辺から連設された第１切目線（Ｋ４２０）を介して右主構成部と隣接し、左差込み部は、左内側側面部の上辺から連設された第２切目線（Ｋ４３０）を介して該右主構成部と隣接し、右差込み部を右主構成部との間の折れ線を介して右主構成部に対して外側下向きに折り曲げることにより、右差込み部における第１切目線に沿った辺部が右主構成部における第１切目線と接した辺部から分離し、左差込み部を左主構成部との間の折れ線を介して左主構成部に対して外側下向きに折り曲げることにより、左差込み部における第２切目線に沿った辺部が右主構成部における第２切目線と接した辺部から分離することを特徴とする。
【００２２】
また、第１０には、上記第１から第９までのいずれかの構成において、右被差込み部は、内側右板部の正面側の辺部から形成された右切欠きで、正面側の辺部から形成された右幅広部で、内側右板部における正面側の辺部の方向の幅が引出し部の右差込み部を差込み可能な幅に形成された右幅広部（Ｊ３２ａ、Ｊ３４ａ）と、右幅広部の背面側の端部から帯状に形成され、内側右板部における正面側の辺部の方向の幅が右幅広部よりも短く形成された右幅狭部（Ｊ３２ｂ、Ｊ３４ｂ）とを有する右切欠き（Ｊ３２、Ｊ３４）と、右構成部帯状部に形成された右開設部で、右切欠きから連設され、凹状の切欠き又は右構成部帯状部を上側と下側に分離する隙間により形成された右開設部（Ｊ２５、Ｊ２６）と、を有し、左被差込み部は、内側左板部の正面側の辺部から形成された左切欠きで、正面側の辺部から形成された幅広部で、内側右板部における正面側の辺部の方向の幅が引出し部の右差込み部を差込み可能な幅に形成された左幅広部（Ｊ８２ａ、Ｊ８４ａ）と、左幅広部の背面側の端部から帯状に形成され、内側左板部における正面側の辺部の方向の幅が左幅広部よりも短く形成された左幅狭部（Ｊ８２ｂ、Ｊ８４ｂ）とを有する左切欠き（Ｊ８２、Ｊ８４）と、左構成部帯状部に形成された左開設部で、左切欠きから連設され、凹状の切欠き又は左構成部帯状部を上側と下側に分離する隙間により形成された左開設部（Ｊ７５、Ｊ７６）と、を有することを特徴とする。
【００２３】
第１０の構成によれば、右切欠きと左切欠きとが設けられ、特に、右幅広部と右開設部が設けられ、左幅広部と左開設部が設けられているので、右差込み部と左差込み部の差込みが容易となる。
【００２４】
また、第１１には、上記第１から第１０までのいずれかの構成において、内側右板部の背面側の辺部から折返し右接着部（４３）が設けられ、折返し右接着部は、内側右板部の内側に折り返した状態で、外側右板部に接着され、
内側左板部の背面側の辺部から折返し左接着部（９３）が設けられ、折返し左接着部は、内側左板部の内側に折り返した状態で、外側左板部に接着されていることを特徴とする。
【００２５】
よって、外側右板部と内側右板部間の背面側に、右差込み部を配置するための隙間が形成されるので、右構成部帯状部により外側右板部と内側右板部間の正面側に隙間が形成されているのと相まって、外側右板部と内側右板部間の正面側から背面側にかけて隙間が形成され、右差込み部を外側右板部と内側右板部間に挿入しやすくできる。同様に、外側左板部と内側左板部間の背面側に、左差込み部を配置するための隙間が形成されるので、左構成部帯状部により外側左板部と内側左板部間の正面側に隙間が形成されているのと相まって、外側左板部と内側左板部間の正面側から背面側にかけて隙間が形成され、左差込み部を外側左板部と内側左板部間に挿入しやすくできる。
【００２６】
また、第１２には、上記第１から第１１までのいずれかの構成において、右構成部の正面側の下端部と左構成部の正面側の下端部間に固定して設けられた底正面部（１２２）と、底正面部の上辺から折れ線を介して連設された台板部（１２４）と、台板部の底正面部とは反対側の辺部から折れ線を介して連設された背面板部（１２６）と、台板部の右側面側の辺部から折れ線を介して連設された右側片部（１２８）と、台板部の左側面側の辺部から折れ線を介して連設された左側片部（１３０）とを有し、本体部の組立て状態では、台板部が内側右板部と内側左板部間に設けられ、右側片部が台板部に対して下側に折曲されて、内側右板部に沿って設けられるとともに、右側片部の下端の上下方向の高さが右構成部の下端の上下方向の高さと一致して設けられ、左側片部が台板部に対して下側に折曲されて、内側左板部に沿って設けられるとともに、左側片部の下端の上下方向の高さが左構成部の下端の上下方向の高さと一致して設けられ、背面板部は、台板部に対して上側に折曲されて、背面板部の上端が背面構成部の正面側の面に接し、台板部の上面に引出し部が載置されることを特徴とする。
【００２７】
第１２の構成の陳列具によれば、台板部の上面に引出し部を載置することにより、商品を陳列することができる。
【００２８】
また、第１３には、上記第１から第１２までのいずれかの構成において、右差込み部が、右主構成部から折れ線を介して連設された右差込み部帯状部であって、右主構成部との該折れ線に沿って帯状に形成された右差込み部帯状部（２２２、４２６）と、右差込み部帯状部の右主構成部とは反対側の辺部から折れ線を介して連設された右フラップ部（２２４、４２８）とを有し、左差込み部が、左主構成部から折れ線を介して連設された左差込み部帯状部であって、左主構成部との該折れ線に沿って帯状に形成された左差込み部帯状部（２３２、４３６）と、左差込み部帯状部の左主構成部とは反対側の辺部から折れ線を介して連設された左フラップ部（２３４、４３８）とを有し、引出し部を本体部に取り付けた場合には、右差込み部帯状部が内側右板部における右被差込み部の辺部の上に設けられ、右フラップ部は、外側右板部と内側右板部の間に設けられ、左差込み部帯状部が内側左板部における左被差込み部の辺部の上に設けられ、左フラップ部は、外側左板部と内側左板部の間に設けられることを特徴とする。
【００２９】
第１３の構成の陳列具によれば、右差込み部帯状部が内側右板部における右被差込み部の辺部の上に設けられ、右フラップ部は、外側右板部と内側右板部の間に設けられ、左差込み部帯状部が内側左板部における左被差込み部の辺部の上に設けられ、左フラップ部は、外側左板部と内側左板部の間に設けられるので、引出し部を安定した状態で本体部に取り付けることができる。
【００３０】
また、第１４には、陳列具用本体部（１０）と、陳列具用本体部に取り付ける引出し部（３５０、３５１）を有する包装箱（２０１、４０１）とを有する陳列具セットであって、包装箱が、引出し部（３５０、３５１）と、引出し部以外の部分である非引出し部とを有し、引出し部が、引出し部底面部（２５０、４５０）と、引出し部底面部の右側面側の辺部から形成された引出し部右側面部で、引出し部底面部の右側面側の辺部から形成された右主構成部（２２０−１ａ、４２２−１）と、右主構成部から折れ線を介して連設された右差込み部（２２１、４２５）とを有する引出し部右側面部（２２０−１、４２２）と、引出し部底面部の左側面側の辺部から形成された引出し部左側面部で、引出し部底面部の左側面側の辺部から形成された左主構成部（２３０−１ａ、４３２−１）と、左主構成部から折れ線を介して連設された左差込み部（２３１、４３５）とを有する引出し部左側面部（２３０−１、４３２）と、引出し部底面部の背面側の辺部から形成された引出し部背面部（２４０−１、４４０）と、を有し、包装箱が、シート状のブランクにより形成され、陳列具用本体部が、右構成部（２０）と、左構成部（７０）と、右構成部の背面側の辺部と左構成部の背面側の辺部間に設けられた背面構成部（１００）とを有し、右構成部が、右構成部の外側の面を構成する外側右板部（２２）と、外側右板部の正面側の辺部から折れ線を介して連設され、外側右板部の正面側の辺部に沿って帯状に形成された右構成部帯状部（２４）と、右構成部帯状部の外側右板部とは反対側の辺部から折れ線を介して連設され、外側右板部の内側に外側右板部と略平行に設けられた内側右板部（３０）と、を有し、内側右板部には、右構成部帯状部から内側右板部にかけて切り欠いて右被差込み部（３２、３４）が設けられるとともに、内側右板部の領域の一部を折れ線（第１折れ線）を介して回動可能に形成してなる右支持フラップ（３６、３８）が設けられ、左構成部が、左構成部の外側の面を構成する外側左板部（７２）と、外側左板部の正面側の辺部から折れ線を介して連設され、外側左板部の正面側の辺部に沿って帯状に形成された左構成部帯状部（７４）と、左構成部帯状部の外側左板部とは反対側の辺部から折れ線を介して連設され、外側左板部の内側に外側左板部と略平行に設けられた内側左板部（８０）と、を有し、内側左板部には、左構成部帯状部から内側左板部にかけて切り欠いて左被差込み部（８２、８４）が設けられるとともに、内側左板部の領域の一部を折れ線（第２折れ線）を介して回動可能に形成してなる左支持フラップ（８６、８８）が設けられ、右構成部と左構成部とを左右両側に対向させた本体部の組立て状態において、右被差込み部と左被差込み部とは左右両側に互いに対向して設けられるとともに、右支持フラップと左支持フラップとは左右両側に互いに対向して設けられ、引出し部を陳列具用本体部に取り付ける際には、包装箱から非引出し部を除去して引出し部を形成し、右支持フラップを内側右板部における右支持フラップが折れ線（第１折れ線）を介して連設された領域（３１）に対して回動させる（「外側に回動させる」、「略直角に回動させる」としてもよい）とともに、左支持フラップを内側左板部における左支持フラップが折れ線（第２折れ線）を介して連設された領域（８１）に対して回動させた状態で（「外側に回動させた状態で」、「略直角に回動させた状態で」としてもよい）、、引出し部の右差込み部を右主構成部との間の折れ線を介して右主構成部に対して外側下向きに折り曲げた状態で、右被差込み部に差し込んで（「挿入して」としてもよい）、右差込み部の少なくとも先端側の領域を外側右板部と内側右板部の間に設けるとともに、引出し部の左差込み部を左主構成部との間の折れ線を介して左主構成部に対して外側下向きに折り曲げた状態で、左被差込み部に差し込んで（「挿入して」としてもよい）、左差込み部の少なくとも先端側の領域を外側左板部と内側左板部の間に設けることにより、引出し部が陳列具用本体部に取り付けられ、引出し部を陳列具用本体部に取り付けた状態では、右支持フラップと左支持フラップが引出し部の引出し部底面部に接触することを特徴とする。
【００３１】
第１４の構成の陳列具セットによれば、商品の運搬に使用した包装箱の一部をそのまま利用して引出し部とできるので、商品を包装箱から移し替える必要がなく、運搬された商品の陳列を容易とすることができる。
【００３２】
また、第１５には、上記第１４の構成において、引出し部が、引出し部底面部の正面側の辺部から形成された引出し部正面部（２１０−１、４１０）を有することを特徴とする。
【００３３】
また、第１６には、上記第１４の構成において、包装箱が、包装箱の底面を構成する箱底面部（２５０）と、包装箱の正面を構成する箱正面部（２１０）と、包装箱の右側面を構成する箱右側面部（２２０）と、包装箱の左側面を構成する箱左側面部（２３０）と、包装箱の背面を構成する箱背面部（２４０）と、包装箱の上面を構成する蓋部（「包装箱の上面を構成し、箱正面部と箱右側面部と箱左側面部と箱背面部からなる周壁部の上端から形成され、包装箱を開閉する蓋部」としてもよい）（３００）とを有し（「包装箱が、スリーブ状部（２０５）と、スリーブ状部の下端に設けられた箱底面部（２５０）と、スリーブ状部の上端に設けられた蓋部（３００）とを有し、スリーブ状部は、スリーブ状部の正面側を構成する箱正面部（２１０）と、スリーブ状部の右側面側を構成する箱右側面部（２２０）と、スリーブ状部の左側面側を構成する箱左側面部（２３０）と、スリーブ状部の背面側を構成する箱背面部（２４０）とを有し」としてもよい）、箱正面部と底面部とを分離するための切目線と、箱右側面部と箱左側面部とを上側領域と下側領域に分離するための切目線とを有する分離用切目線が設けられ、箱右側面部の下側領域には、該右主構成部（２２０−１ａ）と該右差込み部（２２１）が設けられ、該右差込み部は、箱右側面部の下側領域における分離用切目線に接した領域に設けられ、箱左側面部の下側領域には、該左主構成部（２３０−１ａ）と該左差込み部（２３１）が設けられ、該左差込み部は、箱左側面部の下側領域における分離用切目線に接した領域に設けられ、分離用切目線を破断して、分離用切目線よりも上側の部分を含む該非引出し部（「上側の部分である該非引出し部」としてもよい）を取り除くことにより該引出し部が形成され、引出し部底面部が箱底面部により構成され、引出し部正面部が箱正面部の下側領域により構成され、引出し部右側面部が箱右側面部の下側領域により構成され、引出し部左側面部が箱左側面部の下側領域により構成され、引出し部背面部が箱背面部により構成されることを特徴とする。
【００３４】
第１６の構成によれば、分離用切目線を破断することにより、引出し部が形成されるので、容易に引出し部を形成することができる。
【００３５】
また、第１７には、上記第１５の構成において、包装箱が、包装箱の底面を構成する箱底面部（２５０）と、包装箱の正面を構成する箱正面部（２１０）と、包装箱の右側面を構成する箱右側面部（２２０）と、包装箱の左側面を構成する箱左側面部（２３０）と、包装箱の背面を構成する箱背面部（２４０）と、包装箱の上面を構成する蓋部（「包装箱の上面を構成し、箱正面部と箱右側面部と箱左側面部と箱背面部からなる周壁部の上端から形成され、包装箱を開閉する蓋部」としてもよい）（３００）とを有し（「包装箱が、スリーブ状部（２０５）と、スリーブ状部の下端に設けられた箱底面部（２５０）と、スリーブ状部の上端に設けられた蓋部（３００）とを有し、スリーブ状部は、スリーブ状部の正面側を構成する箱正面部（２１０）と、スリーブ状部の右側面側を構成する箱右側面部（２２０）と、スリーブ状部の左側面側を構成する箱左側面部（２３０）と、スリーブ状部の背面側を構成する箱背面部（２４０）とを有し」としてもよい）、箱正面部と箱右側面部と箱左側面部とを上側領域と下側領域に分離するための切目線である分離用切目線（３１０−１、３１０−２）が設けられ、箱右側面部の下側領域には、該右主構成部（２２０−１ａ）と該右差込み部（２２１）が設けられ、該右差込み部は、箱右側面部の下側領域における分離用切目線に接した領域に設けられ、箱左側面部の下側領域には、該左主構成部（２３０−１ａ）と該左差込み部（２３１）が設けられ、該左差込み部は、箱左側面部の下側領域における分離用切目線に接した領域に設けられ、分離用切目線を破断して、分離用切目線よりも上側の部分を含む該非引出し部（「上側の部分である該非引出し部」としてもよい）を取り除くことにより該引出し部（３５０）が形成され、引出し部底面部が箱底面部により構成され、引出し部正面部が箱正面部の下側領域により構成され、引出し部右側面部が箱右側面部の下側領域により構成され、引出し部左側面部が箱左側面部の下側領域により構成され、引出し部背面部が箱背面部により構成されることを特徴とする。
【００３６】
第１７の構成によれば、分離用切目線を破断することにより、引出し部が形成されるので、容易に引出し部を形成することができる。
【００３７】
また、第１８には、上記第１６又は第１７の構成において、分離用切目線が、箱背面部を上側領域と下側領域とに分離する切目線を有し、引出し部背面部が箱背面部の下側領域により構成されることを特徴とする。
【００３８】
よって、引出し部の状態においては、箱背面部の上側部分が取り除かれているので、引出し部を本体部に取り付ける際に箱背面部が邪魔になることがない。
【００３９】
また、第１９には、上記第１６から第１８までのいずれかの構成において、右差込み部は、分離用切目線から連設された第１切目線（Ｋ２２０）を介して該右主構成部と隣接し、左差込み部は、分離用切目線から連設された第１切目線（Ｋ２２０）を介して該右主構成部と隣接し、右差込み部を右主構成部との間の折れ線を介して右主構成部に対して外側下向きに折り曲げることにより、右差込み部における第１切目線に沿った辺部が右主構成部における第１切目線と接した辺部から分離し、左差込み部を左主構成部との間の折れ線を介して左主構成部に対して外側下向きに折り曲げることにより、左差込み部における第２切目線に沿った辺部が右主構成部における第２切目線と接した辺部から分離することを特徴とする。
【００４０】
また、第２０には、上記第１６から第１９までのいずれかの構成において、分離用切目線が平行に２本形成されることにより、ジッパー（３１０）が形成されていることを特徴とする。
【００４１】
また、第２１には、上記第１５の構成において、包装箱が、内箱部（Ａ１）と、内箱部を覆う外箱部（Ａ２）とを有し、内箱部が、正面側の辺部と左右両側の辺部と背面側の辺部を有する底面部（４５０）と、底面部の各辺から立設し底面部に対して略直角をなす内側スリーブ状部で、内側正面部（４１０）と、相対する一対の内側側面部（４２０、４３０）と、内側背面部（４４０）とからなる内側スリーブ状部（４０５）と、を有していて、内箱部の上部が開口し、相対する一対の内側側面部において、内側側面部の一部が分離部（４２４）として分離部以外の部分である内側側面部本体部（４２２）と切目線を介して分離可能に形成され、外箱部が、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部（５１０）と、一対の内側側面部における各内側側面部の外側の面に沿ってそれぞれ形成された外側側面部（５２０、５３０）と、内側背面部の外側の面に沿って形成された外側背面部（５４０）とを有する外側スリーブ状部（５０５）と、外側スリーブ状部の上端から折れ線を介して連設された蓋部（５７０、５８０）と、を有し、内箱部における分離部が設けられた内側側面部に対応した外側側面部に分離部が接着され、外側側面部における分離部が接着された領域を含み切目線を介して形成された片部（５２２、５３２）が該外側側面部の他の部分に対して回動可能に形成され、内箱部と外箱部とが、それぞれシート状のブランク（「それぞれ１枚のシート状のブランク」としてもよい）により形成されていて、右側面側の内側側面部である右内側側面部には、該右主構成部（４２２−１）と該右差込み部（４２５）が設けられ、該右差込み部は、右内側側面部における上辺で正面側の上端から背面側の上端までの上辺における少なくとも一部に接した領域に設けられ、左側面側の内側側面部である左内側側面部には、該左主構成部（４３２−１）と該左差込み部（４３５）が設けられ、該左差込み部は、左内側側面部における上辺で正面側の上端から背面側の上端までの上辺における少なくとも一部に接した領域に設けられ、外側側面部における分離部が接着された片部を該外側側面部の他の部分に対して回動させることにより、分離部と内側側面部本体部間の切目線が破断して分離部が第１片部に接着した状態のまま内箱部から分離し、外箱部と内箱部における分離部とからなる非引出し部を除去することにより、分離部が分離した内箱部が該引出し部（３５１）となり、引出し部底面部が内箱部の底面部により構成され、引出し部正面部が内側正面部により構成され、引出し部右側面部が分離部が分離した右内側側面部により構成され、引出し部左側面部が分離部が分離した左内側側面部により構成され、引出し部背面部が内側背面部により構成されることを特徴とする。
【００４２】
第２１の構成の陳列具セットによれば、片部を外側側面部以外の部分に対して外側に回動させて、分離部を内箱部から分離して外箱部を上方に引き上げるのみで引出し部を形成できるので、容易に引出し部を形成することができる。
【００４３】
また、第２２には、上記第２１の構成において、右差込み部は、右内側側面部の上辺から連設された第１切目線（Ｋ４２０）を介して右主構成部と隣接し、左差込み部は、左内側側面部の上辺から連設された第２切目線（Ｋ４３０）を介して該右主構成部と隣接し、右差込み部を右主構成部との間の折れ線を介して右主構成部に対して外側下向きに折り曲げることにより、右差込み部における第１切目線に沿った辺部が右主構成部における第１切目線と接した辺部から分離し、左差込み部を左主構成部との間の折れ線を介して左主構成部に対して外側下向きに折り曲げることにより、左差込み部における第２切目線に沿った辺部が右主構成部における第２切目線と接した辺部から分離することを特徴とする。
【００４４】
また、第２３には、上記第１４から第２２までのいずれかの構成において、右被差込み部は、内側右板部の正面側の辺部から形成された右切欠きで、正面側の辺部から形成された右幅広部で、内側右板部における正面側の辺部の方向の幅が引出し部の右差込み部を差込み可能な幅に形成された右幅広部（Ｊ３２ａ、Ｊ３４ａ）と、右幅広部の背面側の端部から帯状に形成され、内側右板部における正面側の辺部の方向の幅が右幅広部よりも短く形成された右幅狭部（Ｊ３２ｂ、Ｊ３４ｂ）とを有する右切欠き（Ｊ３２、Ｊ３４）と、右構成部帯状部に形成された右開設部で、右切欠きから連設され、凹状の切欠き又は右構成部帯状部を上側と下側に分離する隙間により形成された右開設部（Ｊ２５、Ｊ２６）と、を有し、左被差込み部は、内側左板部の正面側の辺部から形成された左切欠きで、正面側の辺部から形成された幅広部で、内側右板部における正面側の辺部の方向の幅が引出し部の右差込み部を差込み可能な幅に形成された左幅広部（Ｊ８２ａ、Ｊ８４ａ）と、左幅広部の背面側の端部から帯状に形成され、内側左板部における正面側の辺部の方向の幅が左幅広部よりも短く形成された左幅狭部（Ｊ８２ｂ、Ｊ８４ｂ）とを有する左切欠き（Ｊ８２、Ｊ８４）と、左構成部帯状部に形成された左開設部で、左切欠きから連設され、凹状の切欠き又は左構成部帯状部を上側と下側に分離する隙間により形成された左開設部（Ｊ７５、Ｊ７６）と、を有することを特徴とする。
【００４５】
第２３の構成によれば、右切欠きと左切欠きとが設けられ、特に、右幅広部と右開設部が設けられ、左幅広部と左開設部が設けられているので、右差込み部と左差込み部の差込みが容易となる。
【００４６】
また、第２４には、上記第１４から第２３までのいずれかの構成において、内側右板部の背面側の辺部から折返し右接着部（４３）が設けられ、折返し右接着部は、内側右板部の内側に折り返した状態で、外側右板部に接着され、内側左板部の背面側の辺部から折返し左接着部（９３）が設けられ、折返し左接着部は、内側左板部の内側に折り返した状態で、外側左板部に接着されていることを特徴とする。
【００４７】
よって、外側右板部と内側右板部間の背面側に、右差込み部を配置するための隙間が形成されるので、右構成部帯状部により外側右板部と内側右板部間の正面側に隙間が形成されているのと相まって、外側右板部と内側右板部間の正面側から背面側にかけて隙間が形成され、右差込み部を外側右板部と内側右板部間に挿入しやすくできる。同様に、外側左板部と内側左板部間の背面側に、左差込み部を配置するための隙間が形成されるので、左構成部帯状部により外側左板部と内側左板部間の正面側に隙間が形成されているのと相まって、外側左板部と内側左板部間の正面側から背面側にかけて隙間が形成され、左差込み部を外側左板部と内側左板部間に挿入しやすくできる。
【００４８】
また、第２５には、上記第１４から第２４までのいずれかの構成において、右構成部の正面側の下端部と左構成部の正面側の下端部間に固定して設けられた底正面部（１２２）と、底正面部の上辺から折れ線を介して連設された台板部（１２４）と、台板部の底正面部とは反対側の辺部から折れ線を介して連設された背面板部（１２６）と、台板部の右側面側の辺部から折れ線を介して連設された右側片部（１２８）と、台板部の左側面側の辺部から折れ線を介して連設された左側片部（１３０）とを有し、陳列具用本体部の組立て状態では、台板部が内側右板部と内側左板部間に設けられ、右側片部が台板部に対して下側に折曲されて、内側右板部に沿って設けられるとともに、右側片部の下端の上下方向の高さが右構成部の下端の上下方向の高さと一致して設けられ、左側片部が台板部に対して下側に折曲されて、内側左板部に沿って設けられるとともに、左側片部の下端の上下方向の高さが左構成部の下端の上下方向の高さと一致して設けられ、背面板部は、台板部に対して上側に折曲されて、背面板部の上端が背面構成部の正面側の面に接し、台板部の上面に引出し部が載置されることを特徴とする。
【００４９】
第２５の構成の陳列具によれば、台板部の上面に引出し部を載置することにより、商品を陳列することができる。
【００５０】
また、第２６には、上記第１４から第２５までのいずれかの構成において、右差込み部が、右主構成部から折れ線を介して連設された右差込み部帯状部であって、右主構成部との該折れ線に沿って帯状に形成された右差込み部帯状部（２２２、４２６）と、右差込み部帯状部の右主構成部とは反対側の辺部から折れ線を介して連設された右フラップ部（２２４、４２８）とを有し、左差込み部が、左主構成部から折れ線を介して連設された左差込み部帯状部であって、左主構成部との該折れ線に沿って帯状に形成された左差込み部帯状部（２３２、４３６）と、左差込み部帯状部の左主構成部とは反対側の辺部から折れ線を介して連設された左フラップ部（２３４、４３８）とを有し、引出し部を陳列具用本体部に取り付けた場合には、右差込み部帯状部が内側右板部における右被差込み部の辺部の上に設けられ、右フラップ部は、外側右板部と内側右板部の間に設けられ、左差込み部帯状部が内側左板部における左被差込み部の辺部の上に設けられ、左フラップ部は、外側左板部と内側左板部の間に設けられることを特徴とする。
【００５１】
第２６の構成の陳列具セットによれば、右差込み部帯状部が内側右板部における右被差込み部の辺部の上に設けられ、右フラップ部は、外側右板部と内側右板部の間に設けられ、左差込み部帯状部が内側左板部における左被差込み部の辺部の上に設けられ、左フラップ部は、外側左板部と内側左板部の間に設けられるので、引出し部を安定した状態で本体部に取り付けることができる。
【００５２】
また、第２７には、陳列具用本体部（１０）に取り付けるための引出し部（３５０）を有する陳列具用包装箱（２０１）であって、陳列具用包装箱の底面を構成する箱底面部（２５０）と、陳列具用包装箱の正面を構成する箱正面部（２１０）と、陳列具用包装箱の右側面を構成する箱右側面部（２２０）と、陳列具用包装箱の左側面を構成する箱左側面部（２３０）と、陳列具用包装箱の背面を構成する箱背面部（２４０）と、陳列具用包装箱の上面を構成する蓋部（「陳列具用包装箱の上面を構成し、箱正面部と箱右側面部と箱左側面部と箱背面部からなる周壁部の上端から形成され、陳列具用包装箱を開閉する蓋部」としてもよい）（３００）とを有し（「スリーブ状部（２０５）と、スリーブ状部の下端に設けられた箱底面部（２５０）と、スリーブ状部の上端に設けられた蓋部（３００）とを有し、スリーブ状部は、スリーブ状部の正面側を構成する箱正面部（２１０）と、スリーブ状部の右側面側を構成する箱右側面部（２２０）と、スリーブ状部の左側面側を構成する箱左側面部（２３０）と、スリーブ状部の背面側を構成する箱背面部（２４０）とを有し」としてもよい）、箱正面部と底面部とを分離するための切目線と、箱右側面部と箱左側面部とを上側領域と下側領域に分離するための切目線とを有する分離用切目線が設けられ、箱右側面部の下側領域には、箱底面部の右側面側の辺部から形成された右主構成部（２２０−１ａ）と、右主構成部から折れ線を介して連設された右差込み部（２２１）とが設けられ、該右差込み部は、箱右側面部の下側領域における分離用切目線に接した領域に設けられ、箱左側面部の下側領域には、箱底面部の左側面側の辺部から形成された左主構成部（２３０−１ａ）と、左主構成部から折れ線を介して連設された左差込み部（２３１）とが設けられ、該左差込み部は、箱左側面部の下側領域における分離用切目線に接した領域に設けられ、陳列具用包装箱が、シート状のブランクにより形成され、  陳列具用包装箱における分離用切目線を破断して、分離用切目線よりも上側の部分を含む非引出し部（「上側の部分である該非引出し部」としてもよい）を取り除くことにより該引出し部（３５０）が形成され、引出し部の底面部が箱底面部により構成され、引出し部の右側面部が箱右側面部の下側領域により構成され、引出し部の左側面部が箱左側面部の下側領域により構成され、引出し部の背面部が箱背面部により構成され、陳列具用本体部には、右差込み部を差し込むための右被差込み部と左差込み部を差し込むための左被差込み部が設けられ、右差込み部を右主構成部との間の折れ線を介して右主構成部に対して外側下向きに折り曲げた状態で、右被差込み部に差し込むとともに、左差込み部を左主構成部との間の折れ線を介して左主構成部に対して外側下向きに折り曲げた状態で、左被差込み部に差し込むことにより、引出し部が陳列具用本体部に取り付けられることを特徴とする。
【００５３】
第２７の構成の陳列具用包装箱によれば、商品の運搬に使用した包装箱の一部をそのまま利用して引出し部とできるので、商品を包装箱から移し替える必要がなく、運搬された商品の陳列を容易とすることができる。また、分離用切目線を破断することにより、引出し部が形成されるので、容易に引出し部を形成することができる。
【００５４】
また、第２８には、陳列具用本体部（１０）に取り付けるための引出し部（３５０）を有する陳列具用包装箱（２０１）であって、陳列具用包装箱の底面を構成する箱底面部（２５０）と、陳列具用包装箱の正面を構成する箱正面部（２１０）と、陳列具用包装箱の右側面を構成する箱右側面部（２２０）と、陳列具用包装箱の左側面を構成する箱左側面部（２３０）と、陳列具用包装箱の背面を構成する箱背面部（２４０）と、陳列具用包装箱の上面を構成する蓋部（「陳列具用包装箱の上面を構成し、箱正面部と箱右側面部と箱左側面部と箱背面部からなる周壁部の上端から形成され、陳列具用包装箱を開閉する蓋部」としてもよい）（３００）とを有し（「スリーブ状部（２０５）と、スリーブ状部の下端に設けられた箱底面部（２５０）と、スリーブ状部の上端に設けられた蓋部（３００）とを有し、スリーブ状部は、スリーブ状部の正面側を構成する箱正面部（２１０）と、スリーブ状部の右側面側を構成する箱右側面部（２２０）と、スリーブ状部の左側面側を構成する箱左側面部（２３０）と、スリーブ状部の背面側を構成する箱背面部（２４０）とを有し」としてもよい）、箱正面部と箱右側面部と箱左側面部とを上側領域と下側領域に分離するための切目線である分離用切目線（３１０−１、３１０−２）が設けられ、箱右側面部の下側領域には、箱底面部の右側面側の辺部から形成された右主構成部（２２０−１ａ）と、右主構成部から折れ線を介して連設された右差込み部（２２１）とが設けられ、該右差込み部は、箱右側面部の下側領域における分離用切目線に接した領域に設けられ、箱左側面部の下側領域には、箱底面部の左側面側の辺部から形成された左主構成部（２３０−１ａ）と、左主構成部から折れ線を介して連設された左差込み部（２３１）とが設けられ、該左差込み部は、箱左側面部の下側領域における分離用切目線に接した領域に設けられ、陳列具用包装箱が、シート状のブランクにより形成され、陳列具用包装箱における分離用切目線を破断して、分離用切目線よりも上側の部分を含む非引出し部（「上側の部分である該非引出し部」としてもよい）を取り除くことにより該引出し部（３５０）が形成され、引出し部の底面部が箱底面部により構成され、引出し部の正面部が箱正面部の下側領域により構成され、引出し部の右側面部が箱右側面部の下側領域により構成され、引出し部の左側面部が箱左側面部の下側領域により構成され、引出し部の背面部が箱背面部により構成され、陳列具用本体部には、右差込み部を差し込むための右被差込み部と左差込み部を差し込むための左被差込み部が設けられ、右差込み部を右主構成部との間の折れ線を介して右主構成部に対して外側下向きに折り曲げた状態で、右被差込み部に差し込むとともに、左差込み部を左主構成部との間の折れ線を介して左主構成部に対して外側下向きに折り曲げた状態で、左被差込み部に差し込むことにより、引出し部が陳列具用本体部に取り付けられることを特徴とする。
【００５５】
第２８の構成の陳列具用包装箱によれば、商品の運搬に使用した包装箱の一部をそのまま利用して引出し部とできるので、商品を包装箱から移し替える必要がなく、運搬された商品の陳列を容易とすることができる。また、分離用切目線を破断することにより、引出し部が形成されるので、容易に引出し部を形成することができる。
【００５６】
また、第２９には、第２７又は第２８の構成において、分離用切目線が、箱背面部を上側領域と下側領域とに分離する切目線を有し、引出し部背面部が箱背面部の下側領域により構成されることを特徴とする。
【００５７】
また、第３０には、上記第２７から第２９までのいずれかの構成において、右差込み部は、分離用切目線から連設された第１切目線（Ｋ２２０）を介して該右主構成部と隣接し、左差込み部は、分離用切目線から連設された第１切目線（Ｋ２２０）を介して該右主構成部と隣接し、右差込み部を右主構成部との間の折れ線を介して右主構成部に対して外側下向きに折り曲げることにより、右差込み部における第１切目線に沿った辺部が右主構成部における第１切目線と接した辺部から分離し、左差込み部を左主構成部との間の折れ線を介して左主構成部に対して外側下向きに折り曲げることにより、左差込み部における第２切目線に沿った辺部が右主構成部における第２切目線と接した辺部から分離することを特徴とする。
【００５８】
また、第３１には、上記第２７から第３０までのいずれかの構成において、分離用切目線が平行に２本形成されることにより、該２つの分離用切目線により形成されたジッパー（３１０）が設けられていることを特徴とする。
【００５９】
また、第３２には、陳列具用本体部（１０）に取り付けるための引出し部（３５０）を有する陳列具用包装箱（２０１）であって、陳列具用包装箱が、内箱部（Ａ１）と、内箱部を覆う外箱部（Ａ２）とを有し、内箱部が、正面側の辺部と左右両側の辺部と背面側の辺部を有する底面部（４５０）と、底面部の各辺から立設し底面部に対して略直角をなす内側スリーブ状部で、内側正面部（４１０）と、相対する一対の内側側面部（４２０、４３０）と、内側背面部（４４０）とからなる内側スリーブ状部（４０５）と、を有していて、内箱部の上部が開口し、相対する一対の内側側面部において、内側側面部の一部が分離部（４２４）として分離部以外の部分である内側側面部本体部（４２２）と切目線を介して分離可能に形成され、外箱部が、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部（５１０）と、一対の内側側面部における各内側側面部の外側の面に沿ってそれぞれ形成された外側側面部（５２０、５３０）と、内側背面部の外側の面に沿って形成された外側背面部（５４０）とを有する外側スリーブ状部（５０５）と、外側スリーブ状部の上端から折れ線を介して連設された蓋部（５７０、５８０）と、を有し、内箱部における分離部が設けられた内側側面部に対応した外側側面部に分離部が接着され、外側側面部における分離部が接着された領域を含み切目線を介して形成された片部（５２２、５３２）が該外側側面部の他の部分に対して回動可能に形成され、内箱部と外箱部とが、それぞれシート状のブランク（「それぞれ１枚のシート状のブランク」としてもよい）により形成されていて、右側面側の内側側面部である右内側側面部には、該右主構成部（４２２−１）と該右差込み部（４２５）が設けられ、該右差込み部は、右内側側面部における上辺で正面側の上端から背面側の上端までの上辺における少なくとも一部に接した領域に設けられ、左側面側の内側側面部である左内側側面部には、該左主構成部（４３２−１）と該左差込み部（４３５）が設けられ、該左差込み部は、左内側側面部における上辺で正面側の上端から背面側の上端までの上辺における少なくとも一部に接した領域に設けられ、外側側面部における分離部が接着された片部を該外側側面部の他の部分に対して回動させることにより、分離部と内側側面部本体部間の切目線が破断して分離部が第１片部に接着した状態のまま内箱部から分離し、外箱部と内箱部における分離部とからなる非引出し部を除去することにより、分離部が分離した内箱部が該引出し部（３５１）となり、陳列具用本体部には、右差込み部を差し込むための右被差込み部と左差込み部を差し込むための左被差込み部が設けられ、右差込み部を右主構成部との間の折れ線を介して右主構成部に対して外側下向きに折り曲げた状態で、右被差込み部に差し込むとともに、左差込み部を左主構成部との間の折れ線を介して左主構成部に対して外側下向きに折り曲げた状態で、左被差込み部に差し込むことにより、引出し部が陳列具用本体部に取り付けられることを特徴とする。
【００６０】
第３１の構成の陳列具用包装箱によれば、商品の運搬に使用した包装箱の一部をそのまま利用して引出し部とできるので、商品を包装箱から移し替える必要がなく、運搬された商品の陳列を容易とすることができる。また、片部を外側側面部以外の部分に対して外側に回動させて、分離部を内箱部から分離して外箱部を上方に引き上げるのみで引出し部を形成できるので、容易に引出し部を形成することができる。
【００６１】
また、第３３には、上記第３２の構成において、右差込み部は、右内側側面部の上辺から連設された第１切目線（Ｋ４２０）を介して右主構成部と隣接し、左差込み部は、左内側側面部の上辺から連設された第２切目線（Ｋ４３０）を介して該右主構成部と隣接し、右差込み部を右主構成部との間の折れ線を介して右主構成部に対して外側下向きに折り曲げることにより、右差込み部における第１切目線に沿った辺部が右主構成部における第１切目線と接した辺部から分離し、左差込み部を左主構成部との間の折れ線を介して左主構成部に対して外側下向きに折り曲げることにより、左差込み部における第２切目線に沿った辺部が右主構成部における第２切目線と接した辺部から分離することを特徴とする。
【００６２】
また、第３４には、上記第２７から第３３までのいずれかの構成において、陳列具用本体部は、右構成部（２０）と、左構成部（７０）と、右構成部の背面側の辺部と左構成部の背面側の辺部間に設けられた背面構成部（１００）とを有し、右構成部が、右構成部の外側の面を構成する外側右板部（２２）と、外側右板部の正面側の辺部から折れ線を介して連設され、外側右板部の正面側の辺部に沿って帯状に形成された右構成部帯状部（２４）と、右構成部帯状部の外側右板部とは反対側の辺部から折れ線を介して連設され、外側右板部の内側に外側右板部と略平行に設けられた内側右板部（３０）と、を有し、内側右板部には、右構成部帯状部から内側右板部にかけて切り欠いて右被差込み部（３２、３４）が設けられるとともに、内側右板部の領域の一部を折れ線（第１折れ線）を介して回動可能に形成してなる右支持フラップ（３６、３８）が設けられ、左構成部が、左構成部の外側の面を構成する外側左板部（７２）と、外側左板部の正面側の辺部から折れ線を介して連設され、外側左板部の正面側の辺部に沿って帯状に形成された左構成部帯状部（７４）と、左構成部帯状部の外側左板部とは反対側の辺部から折れ線を介して連設され、外側左板部の内側に外側左板部と略平行に設けられた内側左板部（８０）と、を有し、内側左板部には、左構成部帯状部から内側左板部にかけて切り欠いて左被差込み部（８２、８４）が設けられるとともに、内側左板部の領域の一部を折れ線（第２折れ線）を介して回動可能に形成してなる左支持フラップ（８６、８８）が設けられ、右構成部と左構成部とを左右両側に対向させた陳列具用本体部の組立て状態において、右被差込み部と左被差込み部とは左右両側に互いに対向して設けられるとともに、右支持フラップと左支持フラップとは左右両側に互いに対向して設けられ、引出し部を陳列具用本体部に取り付ける際には、右差込み部を右主構成部との間の折れ線を介して右主構成部に対して外側下向きに折り曲げることにより、右差込み部における第１切目線に沿った辺部が右主構成部における第１切目線と接した辺部から分離し、左差込み部を左主構成部との間の折れ線を介して左主構成部に対して外側下向きに折り曲げることにより、左差込み部における第２切目線に沿った辺部が右主構成部における第２切目線と接した辺部から分離し、右支持フラップを内側右板部における右支持フラップが折れ線（第１折れ線）を介して連設された領域（３１）に対して回動させる（「外側に回動させる」、「略直角に回動させる」としてもよい）とともに、左支持フラップを内側左板部における左支持フラップが折れ線（第２折れ線）を介して連設された領域（８１）に対して回動させた状態で（「外側に回動させた状態で」、「略直角に回動させた状態で」としてもよい）、引出し部の右差込み部を右主構成部との間の折れ線を介して右主構成部に対して外側下向きに折り曲げた状態で、右被差込み部に差し込んで（「挿入して」としてもよい）、右差込み部の少なくとも先端側の領域を外側右板部と内側右板部の間に設けるとともに、引出し部の左差込み部を左主構成部との間の折れ線を介して左主構成部に対して外側下向きに折り曲げた状態で、左被差込み部に差し込んで（「挿入して」としてもよい）、左差込み部の少なくとも先端側の領域を外側左板部と内側左板部の間に設けることにより、引出し部が陳列具用本体部に取り付けられ、引出し部を陳列具用本体部に取り付けた状態では、右支持フラップと左支持フラップが箱底面部に接触することを特徴とする。
【００６３】
なお、上記第１から第３３の構成において、本体部（陳列具用本体部）が、シート状のブランクにより形成されているものとしてもよい。
【発明の効果】
【００６４】
本発明に基づく陳列具、陳列具セット及び陳列具用包装箱によれば、商品の運搬に使用した包装箱の一部をそのまま利用して引出し部とできるので、商品を包装箱から移し替える必要がなく、運搬された商品の陳列を容易とすることができる。
【図面の簡単な説明】
【００６５】
【図１】陳列具の斜視図である（実施例１）。
【図２】陳列具における本体部の右側面側からの斜視図である（実施例１）。
【図３】陳列具における本体部の左側面側からの斜視図である（実施例１）。
【図４】陳列具の本体部を構成するブランクの展開図である（実施例１）。
【図５】図４の要部拡大図である（実施例１）。
【図６】陳列具の本体部を構成するブランクの展開図である（実施例１）。
【図７】図６の要部拡大図である（実施例１）。
【図８】陳列具の本体部を構成するブランクの展開図である（実施例１）。
【図９】陳列具の本体部を折り畳んだ状態を示す平面図である（実施例１）。
【図１０】引出し部の使用状態を示す斜視図である（実施例１）。
【図１１】包装箱の前方斜視図である（実施例１）。
【図１２】包装箱の後方斜視図である（実施例１）。
【図１３】包装箱の展開図である（実施例１）。
【図１４】引出し部の斜視図である（実施例１）。
【図１５】包装箱の使用状態を示す斜視図である（実施例１）。
【図１６】包装箱の使用状態を示す斜視図である（実施例１）。
【図１７】包装箱の使用状態を示す斜視図である（実施例１）。
【図１８】包装箱の使用状態を示す斜視図である（実施例１）。
【図１９】他の例の陳列具を示す斜視図である（実施例２）。
【図２０】包装箱の前方斜視図である（実施例２）。
【図２１】包装箱の後方斜視図である（実施例２）。
【図２２】包装箱の分解斜視図である（実施例２）。
【図２３】包装箱の右側面図であり、特に、片部５２２と分離部４２４の位置関係を説明する図である（実施例２）。
【図２４】包装箱の底面図である（実施例２）。
【図２５】内箱部の展開図である（実施例２）。
【図２６】図２５の要部拡大図である（実施例２）。
【図２７】外箱部の展開図である（実施例２）。
【図２８】包装箱を折り畳んだ状態を示す平面図である（実施例２）。
【図２９】包装箱を折り畳んだ際の内箱部の折り畳み状態を示す平面図である（実施例２）。
【図３０】包装箱の使用状態を示す斜視図である（実施例２）。
【図３１】包装箱の使用状態を示す斜視図である（実施例２）。
【図３２】包装箱の使用状態を示す斜視図である（実施例２）。
【図３３】包装箱の使用状態を示す斜視図である（実施例２）。
【図３４】広告表示部の組立て工程を示す斜視図である（実施例２）。
【図３５】広告表示部の組立て工程を示す斜視図である（実施例２）。
【図３６】広告表示部の組立て工程を示す斜視図である（実施例２）。
【図３７】包装箱の使用状態を示す斜視図である（実施例２）。
【図３８】包装箱の使用状態を示す斜視図であり、商品を省略して表した図である（実施例２）。
【発明を実施するための形態】
【００６６】
本発明においては、箱詰めで運搬された商品の陳列を容易とする陳列具を提供するという目的を以下のようにして実現した。
【実施例１】
【００６７】
本発明に基づく陳列具５Ａは、本体部１０と、本体部１０に対して設置される引出し部３５０とを有している。図１の例では、３つの引出し部３５０が本体部１０に設けられている。
【００６８】
ここで、本体部（陳列具用本体部）１０は、図１〜図３に示すように、右構成部２０と、右構成部２０と間隔を介して設けられた左構成部７０と、右構成部２０及び左構成部７０の背面側の端部から連設された背面構成部１００と、本体部１０の底部を構成する底構成部１２０とを有している。
【００６９】
本体部１０は、図４に示すブランク１０Ａと、図５に示すブランク１０Ｂと、図６に示すブランク１０Ｃとから構成され、右構成部２０は、主としてブランク１０Ａにより構成され、左構成部７０と背面構成部１００は、主としてブランク１０Ｂにより構成され、底構成部１２０は、主としてブランク１０Ｃにより構成されている。ブランク１０Ａ、１０Ｂ、１０Ｃはいずれも１枚のシート状のブランク（具体的には、段ボール製のブランクであり、厚紙製のブランク等の他の紙製のブランクでもよい）により形成されている。つまり、本体部１０は、シート状のブランクにより形成されていて、段ボール材（特に、両面段ボール材）等の紙製である。段ボールにおける断面略波形形状の中芯の段の方向は、図４、図６、図８における円内に示す方向となっている。すなわち、ブランク１０Ａにおいては、辺部２２ｆに対して平行で、辺部２２ａに対して直角の方向で、ブランク１０Ｂにおいては、辺部７２ｆに対して平行で、辺部７２ａに対して直角の方向で、ブランク１０Ｃにおいては、辺部１３０ａと平行な方向である。
【００７０】
ここで、ブランク１０Ａは、図４に示すように、外側右板部２２と、外側右板部２２の正面側の傾斜辺（辺部２２ｄ）から折れ線を介して連設された帯状部（右構成部帯状部）２４と、外側右板部２２の上側の辺部から折れ線を介して連設された帯状部２５と、外側右板部２２の正面下側の辺部から折れ線を介して連設された帯状部２６と、帯状部２６の外側右板部２２とは反対側の辺部から折れ線を介して連設された糊代部２７と、外側右板部２２の背面側の辺部から折れ線を介して連設された帯状部２８と、帯状部２８の外側右板部２２とは反対側の辺部から折れ線を介して連設された糊代部２９と、帯状部２４から折れ線を介して連設された内側右板部３０と、内側右板部３０の背面側の辺部から折れ線を介して連設された帯状部４０と、帯状部４０の内側右板部３０とは反対側の辺部から折れ線を介して連設された折返し接着板部４２と、帯状部２５の外側右板部２２とは反対側の辺部から折れ線を介して連設された内側上右板部４４と、内側上右板部４４の帯状部２５と反対側の辺部から折れ線を介して連設された帯状部４６と、帯状部４６の内側上右板部４４と反対側の辺部から連設された接着板部４８とを有している。
【００７１】
ここで、外側右板部２２は、縦長の略台形形状を呈し、底側の辺部２２ａと、辺部２２ａの正面側の端部から辺部２２ａに対して直角に形成された辺部２２ｂと、辺部２２ｂの上端から背面側斜め上方に形成された辺部２２ｃと、辺部２２ｃの辺部２２ｂとは反対側の端部から背面側斜め上方に形成された辺部２２ｄと、辺部２２ｄの上端から背面側に向けて辺部２２ａと平行に形成された辺部２２ｅと、辺部２２ｅの背面側の端部と辺部２２ａの背面側の端部間に形成された辺部２２ｆとにより囲まれた形状を呈している。辺部２２ｄの辺部２２ａの方向に対する角度（鋭角）は、辺部２２ｂの辺部２２ａの方向に対する角度（鋭角）よりも大きく形成されている。つまり、辺部２２ｄは、辺部２２ａの方向に対する直角方向に対してやや傾斜して形成されている。辺部２２ａ〜辺部２２ｆは、直線状の辺部である。
【００７２】
また、帯状部２４は、外側右板部２２の辺部２２ｄに沿って形成され、上側から下側に向けて間隔を介して帯状部２４−１と、帯状部２４−２と、帯状部２４−３とを有している。すなわち、帯状部２４−１と帯状部２４−２間には、隙間（右開設部）Ｊ２５が設けられ、帯状部２４−２と帯状部２４−３間には、隙間（右開設部）Ｊ２６が形成されている。隙間Ｊ２５は、引出し部３５０のフラップ部２２４を差し込むための被差込み部３２の一部を構成し、隙間Ｊ２６は、引出し部３５０のフラップ部２３４を差し込むための被差込み部３４の一部を構成する。このように隙間Ｊ２５、Ｊ２６が設けられているので、フラップ部２２４、２３４を挿入する際に帯状部２４が邪魔になることがない。なお、隙間Ｊ２５、Ｊ２６は、帯状部２４を上側と下側に分離する隙間であるが、切欠きＪ３２、Ｊ３４から連設された凹部の切欠き（つまり、該凹状の切欠きは縦方向に細長い切欠きであり、凹状の切欠きの右側面側では、帯状部２４が上下方向につながっている）としてもよい。
【００７３】
また、帯状部２５は、外側右板部２２の上辺（辺部２２ｅ）に沿って形成され、辺部２２ｅに沿って帯状に形成されている。
【００７４】
また、帯状部２６は、外側右板部２２の正面下側の辺部（辺部２２ｂ）から折れ線を介して連設され、辺部２２ｂに沿って帯状を呈している。
【００７５】
また、糊代部２７は、帯状部２６に沿って形成され、帯状（具体的には、台形形状）を呈している。糊代部２７は、ブランク１０Ｃの底正面部１２２と接着される。
【００７６】
また、帯状部２８は、外側右板部２２の背面側の辺部（辺部２２ｆ）から折れ線を介して連設され、辺部２２ｆに沿って帯状に形成されている。
【００７７】
また、糊代部２９は、帯状部２８の外側右板部２２と反対側の辺部から折れ線を介して連設され、帯状部２８に沿って帯状（具体的には、細長台形形状）に形成されている。糊代部２９は、本体部１０を組み立てた状態では、背面板部１０２の右側端部領域の内側の面と接着される。
【００７８】
また、内側右板部３０は、ブランク１０Ａの展開状態において、帯状部２４を介して外側右板部２２と線対称で、かつ、外側右板部２２に対応する領域の一部を欠切した形状を呈し、帯状部２４に沿った辺部３０ａと、辺部３０ａの下端から本体部１０の組立て状態において背面側に向けて斜め下方に形成された辺部３０ｂと、辺部３０ｂの背面側の端部から本体部１０の組立て状態において、辺部２２ａと平行に形成された辺部３０ｃと、辺部３０ｃの背面側の端部から形成され、本体部１０の組立て状態において辺部２２ｆと平行に形成された辺部３０ｄと、辺部３０ｄの上端から形成され、本体部１０の組立て状態において辺部２２ｅと平行に正面側に向けて形成された辺部３０ｅと、辺部３０ｅの辺部３０ｄとは反対側の端部（正面側の端部）から形成され、本体部１０の組立て状態において正面側斜め上方に向けて形成された辺部３０ｆとに囲まれた形状を呈している。つまり、内側右板部３０は、外側右板部２２と線対称の形状において、下端側の領域と上端側の領域が欠切された形状であるといえる。
【００７９】
内側右板部３０には、隙間Ｊ２５から連設された切欠き（右切欠き）Ｊ３２が形成され、隙間Ｊ２５から連設された幅広部（右幅広部）Ｊ３２ａと、幅広部Ｊ３２ａの背面側の端部から背面側に形成された幅狭部（右幅狭部）Ｊ３２ｂとを有し、全体に略鉤状を呈している。つまり、幅広部Ｊ３２ａの上辺と下辺とは、ブランク１０Ａの展開状態において、隙間Ｊ２５の上辺と下辺の延長線上に形成され、また、切欠きＪ３２の下辺の背面側の端部からは上方（つまり、外側右板部２２の辺部２２ｄと平行な方向）に直線状に伸び、その後、幅狭部Ｊ３２ｂの下辺とアールを介して連設するように円弧状に形成されている。幅広部Ｊ３２ａの上辺と下辺とは直線状を呈している。なお、幅広部Ｊ３２ａや隙間Ｊ２５の上下方向の幅は、フラップ部２２４が挿入可能なように、フラップ部２２４の基端から先端までの長さよりも長く形成されている。つまり、幅広部Ｊ３２ａにおいては、内側右板部３０における正面側の辺部の方向の幅が差込み部２２１や差込み部４２５（後述）を差込み可能な幅に形成されている。
【００８０】
また、幅狭部Ｊ３２ｂは、帯状に形成され、その上辺は、幅広部Ｊ３２ａの上辺から連設され、下辺は、該円弧状の辺部から連設されていて、上辺と下辺とは平行に形成されている。幅狭部Ｊ３２ｂは、本体部１０の組立て状態において背面側にいくに従い下方に傾斜するように形成され、幅狭部Ｊ３２ｂの背面側の端部は、内側右板部３０の背面側の辺部には達しておらず、幅狭部Ｊ３２ｂの背面側の端部と辺部３０ｄ間には間隔が設けられている。幅狭部Ｊ３２ｂにおける上辺と下辺間の間隔は、引出し部３５０を構成するブランクの厚みよりも長く、フラップ部２２４の基端から先端までの長さよりも短く形成されている。
【００８１】
なお、ブランク１０Ａの展開状態においては、切欠きＪ３２と隙間Ｊ２５とで略鉤状の開口部Ｈ１０が形成されている。切欠きＪ３２と隙間Ｊ２５により被差込み部（右被差込み部）３２が形成される。
【００８２】
また、内側右板部３０には、隙間Ｊ２６から連設された切欠き（右切欠き）Ｊ３４が形成され、隙間Ｊ２６から連設された幅広部（右幅広部）Ｊ３４ａと、幅広部Ｊ３４ａの背面側の端部から背面側に形成された幅狭部（右幅狭部）Ｊ３４ｂとを有し、全体に略鉤状を呈している。幅広部Ｊ３４ａは幅広部Ｊ３２ａと同様の構成であり、また、幅狭部Ｊ３４ｂは幅狭部Ｊ３２ｂとその長手方向の長さが異なる以外は同様の構成であるので、詳しい説明を省略する。なお、幅狭部Ｊ３４ｂは、幅狭部Ｊ３２ｂと平行に形成されている。また、幅狭部Ｊ３４ｂの背面側の端部から辺部３０ｄまでの長さ（すなわち、幅狭部Ｊ３４ｂの延長線に沿った長さ）は、幅狭部Ｊ３２ｂの背面側の端部から辺部３０ｄまでの長さ（すなわち、幅狭部Ｊ３２ｂの延長線に沿った長さ）と同一（略同一としてもよい）に形成されている。幅広部Ｊ３４ａにおいては、内側右板部３０における正面側の辺部の方向の幅が差込み部２２１や差込み部４２５を差込み可能な幅に形成されている。
【００８３】
なお、ブランク１０Ａの展開状態においては、切欠きＪ３４と隙間Ｊ２６とで略鉤状の開口部Ｈ１１が形成されている。切欠きＪ３４と隙間Ｊ２６により被差込み部（右被差込み部）３４が形成される。なお、隙間（左開設部）Ｊ７５、Ｊ７６は、帯状部７４を上側と下側に分離する隙間であるが、切欠きＪ８２、Ｊ８４から連設された凹部の切欠き（つまり、該凹状の切欠きは縦方向に細長い切欠きであり、凹状の切欠きの右側面側では、帯状部７４が上下方向につながっている）としてもよい。
【００８４】
また、内側右板部３０には、支持フラップ（右支持フラップ）３６が形成されている。支持フラップ３６は、切欠きＪ３２の下側位置で、切欠きＪ３４よりも上側位置に形成され、支持フラップ３６は、略台形形状の本体部３６−１と、本体部３６−１の下辺から突出した突状部３６−２とを有している。
【００８５】
本体部３６−１は、台形形状の上側の２つの角部を円弧状に欠切した形状を呈し、また、突状部３６−２は、本体部３６−１の下辺に沿って細長の長方形状を呈している。また、支持フラップ３６は、内側右板部３０の支持フラップ３６、３８以外の領域である本体部（内側右板部本体部）３１とは、本体部３６−１の背面側の辺部に沿った切込みＪ３６ａと、半円状の開口部Ｊ３６ｂと、本体部３６−１の正面側の辺部に沿った切込みＪ３６ｃと、突状部３６−２の三辺を構成する略コ字状の切込みＪ３６ｄと、切込みＪ３６ａと切込みＪ３６ｄ間の折れ線Ｃ３６ａと、切込みＪ３６ｃと切込みＪ３６ｄ間の折れ線Ｃ３６ｂとにより区画されている。。
【００８６】
支持フラップ３６を折れ線Ｃ３６ａ、Ｃ３６ｂを中心に回動して、本体部３１に対して直角とすることにより突状部３６−２の先端（本体部３６−１とは反対側の端部）が外側右板部２２の内側の面に接して、支持フラップ３６が本体部３１に対して直角方向の向きで維持される。
【００８７】
また、支持フラップ３６の上下方向の形成位置は、引出し部３５０のフラップ部２２４を被差込み部３２に差し込むとともに、引出し部３５０のフラップ部２３４を被差込み部８２に差し込んで引出し部３５０を本体部１０に取り付けた際に、引出し部３５０の底面部２５０が支持フラップ３６の上面に接する長さに形成されている。これにより、引出し部３５０は、支持フラップ３６に支持される。
【００８８】
また、内側右板部３０には、支持フラップ（右支持フラップ）３８が形成されている。支持フラップ３８は、切欠きＪ３４の下側位置に形成され、支持フラップ３８は、略台形形状の本体部３８−１と、本体部３８−１の下辺から突出した突状部３８−２、３８−３とを有している。
【００８９】
本体部３８−１は、台形形状の上側の２つの角部を円弧状に欠切した形状を呈し、また、突状部３８−２と突状部３８−３は、本体部３８−１の下辺に沿って細長の長方形状を呈している。突状部３８−２と突状部３８−３とは間隔を介して設けられている。また、支持フラップ３８は、本体部３１とは、本体部３６−１の背面側の辺部に沿った切込みＪ３８ａと、半円状の開口部Ｊ３８ｂと、本体部３６−１の正面側の辺部に沿った切込みＪ３８ｃと、突状部３８−２の三辺を構成する略コ字状の切込みＪ３８ｄと、突状部３８−３の三辺を構成する略コ字状の切込みＪ３８ｅと、切込みＪ３８ａと切込みＪ３８ｄ間の折れ線Ｃ３８ａと、切込みＪ３８ｄと切込みＪ３８ｅ間の折れ線Ｃ３８ｂと、切込みＪ３８ｃと切込みＪ３８ｅ間の折れ線Ｃ３８ｃとにより囲まれた形状を呈している。
【００９０】
支持フラップ３８を折れ線Ｃ３８ａ、Ｃ３８ｂ、Ｃ３８ｃを中心に回動して、本体部３１に対して直角とすることにより突状部３８−２の先端（本体部３６−１とは反対側の端部）が外側右板部２２の内側の面に接して、支持フラップ３８が本体部３１に対して直角方向の向きで維持される。
【００９１】
また、支持フラップ３８の上下方向の形成位置は、引出し部３５０のフラップ部２２４を被差込み部３４に差し込むとともに、引出し部３５０のフラップ部２３４を被差込み部８４に差し込んで引出し部３５０を本体部１０に取り付けた際に、引出し部３５０の底面部２５０が支持フラップ３８の上面に接する長さに形成されている。これにより、引出し部３５０は、支持フラップ３８に支持される。
【００９２】
また、帯状部４０は、内側右板部３０の背面側の辺部（辺部３０ｄ）から折れ線を介して連設され、辺部３０ｄに沿って帯状を呈している。
【００９３】
また、接着板部４２は、帯状部４０の内側右板部３０とは反対側の辺部から折れ線を介して連設され、帯状部４０に沿って帯状（細長長方形状）に形成されている。接着板部４２は、ブランク１０Ａを組み立てた状態では、内側右板部３０に対して内側に折り返した状態で外側右板部２２に接着されている。この接着板部４２と帯状部２４とにより、外側右板部２２と内側右板部３０間の背面側に、フラップ部２２４を配置するための隙間が形成されるので、帯状部２４により外側右板部２２と内側右板部３０間の正面側に隙間が形成されているのと相まって、外側右板部２２と内側右板部３０間の正面側から背面側にかけて隙間が形成され、フラップ部２２４を外側右板部２２と内側右板部３０間に挿入しやすくできる。帯状部４０と接着板部４２とで、折返し接着部（折返し右接着部）４３が構成される。
【００９４】
また、内側上右板部４４は、台形形状（正面側の辺部が帯状部２５側の辺部に対して鋭角に傾斜している台形形状）を呈し、本体部１０の組立て状態では、正面側の辺部は、内側右板部３０の辺部３０ｆと当接する。
【００９５】
また、帯状部４６と接着板部４８とは、長手方向（帯状部４６と接着板部４８間の折れ線に沿った方向）に同一長さを有し、接着板部４８は、長方形状を呈している。接着板部４８は、ブランク１０Ａを組み立てた状態では、内側右板部３０に対して内側に折り返した状態で外側右板部２２に接着されている。帯状部４６と接着板部４８とで、折返し接着部４９が構成される。
【００９６】
次に、ブランク１０Ｂは、図５に示すように、外側左板部７２と、外側左板部７２の正面側の傾斜辺から折れ線を介して連設された帯状部（左構成部帯状部）７４と、外側左板部７２の上側の辺部から折れ線を介して連設された帯状部７５と、外側左板部７２の正面下側の辺部から折れ線を介して連設された帯状部７６と、帯状部７６の外側左板部７２とは反対側の辺部から折れ線を介して連設された糊代部７７と、外側左板部７２の背面側の辺部から折れ線を介して連設された帯状部７８と、帯状部７４から折れ線を介して連設された内側左板部８０と、内側左板部８０の背面側の辺部から折れ線を介して連設された帯状部９０と、帯状部９０の内側右板部３０とは反対側の辺部から折れ線を介して連設された接着板部９２と、帯状部７５の外側左板部７２とは反対側の辺部から折れ線を介して連設された内側上左板部９４と、内側上左板部９４の帯状部７５と反対側の辺部から折れ線を介して連設された帯状部９６と、帯状部９６の内側上左板部９４と反対側の辺部から連設された接着板部９８と、帯状部７８の外側左板部７２とは反対側の辺部から折れ線を介して連設された背面板部１０２とを有している。
【００９７】
ここで、外側左板部７２は、縦長の略台形形状を呈し、糊代部２９の代わりに背面板部１０２が設けられている点を除き、外側右板部２２と左右対称（本体部１０の組立て状態においては、前後及び上下方向の仮想平面を中心に面対称）に形成されている。
【００９８】
すなわち、縦長の略台形形状を呈し、底側の辺部７２ａと、辺部７２ａの正面側の端部から辺部７２ａに対して直角に形成された辺部７２ｂと、辺部７２ｂの上端から背面側斜め上方に形成された辺部７２ｃと、辺部７２ｃの辺部７２ｂとは反対側の端部から背面側斜め上方に形成された辺部７２ｄと、辺部７２ｄの上端から背面側に向けて辺部７２ａと平行に形成された辺部７２ｅと、辺部７２ｅの背面側の端部と辺部７２ａの背面側の端部間に形成された辺部７２ｆとにより囲まれた形状を呈している。辺部７２ｄの辺部７２ａの方向に対する角度（鋭角）は、辺部７２ｂの辺部７２ａの方向に対する角度（鋭角）よりも大きく形成されている。つまり、辺部７２ｄは、辺部７２ａの方向に対する直角方向に対してやや傾斜して形成されている。辺部７２ａ〜辺部７２ｆは、直線状の辺部である。
【００９９】
また、帯状部７４は、外側左板部７２の辺部７２ｄに沿って形成され、上側から下側に向けて間隔を介して帯状部７４−１と、帯状部７４−２と、帯状部７４−３とを有している。すなわち、帯状部７４−１と帯状部７４−２間には、隙間Ｊ７５が設けられ、帯状部７４−２と帯状部７４−３間には、隙間Ｊ７６が形成されている。隙間Ｊ７５は、引出し部３５０のフラップ部２３４を差し込むための被差込み部（左被差込み部）８２を構成し、隙間Ｊ７６は、引出し部３５０のフラップ部２３４を差し込むための被差込み部（左被差込み部）８４を構成する。
【０１００】
また、帯状部７５は、外側左板部７２の上辺（辺部７２ｅ）に沿って形成され、辺部７２ｅに沿って帯状に形成されている。
【０１０１】
また、帯状部７６は、外側左板部７２の正面下側の辺部（辺部７２ｂ）から折れ線を介して連設され、辺部７２ｂに沿って帯状を呈している。
【０１０２】
また、糊代部７７は、帯状部７６に沿って形成され、帯状（具体的には、台形形状）を呈している。糊代部７７は、本体部１０を組み立てた状態では、ブランク１０Ｃの底正面部１２２と接着される。
【０１０３】
また、帯状部７８は、外側左板部７２の背面側の辺部（辺部７２ｆ）から折れ線を介して連設され、辺部７２ｆに沿って帯状に形成されている。
【０１０４】
また、内側左板部８０は、ブランク１０Ｂの展開状態において、帯状部７４を介して外側左板部７２と線対称で、かつ、外側左板部７２に対応する領域の一部を欠切した形状を呈し、帯状部７４に沿った辺部８０ａと、辺部８０ａの下端から本体部１０の組立て状態において背面側に向けて斜め下方に形成された辺部８０ｂと、辺部８０ｂの背面側の端部から本体部１０の組立て状態において、辺部７２ａと平行に形成された辺部８０ｃと、辺部８０ｃの背面側の端部から形成され、本体部１０の組立て状態において辺部７２ｆと平行に形成された辺部８０ｄと、辺部８０ｄの上端から形成され、本体部１０の組立て状態において辺部７２ｅと平行に正面側に向けて形成された辺部８０ｅと、辺部８０ｅの辺部８０ｄとは反対側の端部（正面側の端部）から形成され、本体部１０の組立て状態において正面側斜め上方に向けて形成された辺部８０ｆとに囲まれた形状を呈している。つまり、内側左板部８０は、外側左板部７２と線対称の形状において、下端側の領域と上端側の領域が欠切された形状であるといえる。
【０１０５】
内側左板部８０には、隙間Ｊ７５から連設された切欠き（左切欠き）Ｊ８２が形成され、隙間Ｊ７５から連設された幅広部（左幅広部）Ｊ８２ａと、幅広部Ｊ８２ａの背面側の端部から背面側に形成された幅狭部（左幅狭部）Ｊ８２ｂとを有し、全体に略鉤状を呈している。つまり、幅広部Ｊ８２ａの上辺と下辺とは、ブランク１０Ｂの展開状態において、隙間Ｊ７５の上辺と下辺の延長線上に形成され、また、切欠きＪ８２の下辺の背面側の端部からは上方（つまり、外側左板部７２の辺部７２ｄと平行な方向）に直線状に伸び、その後、幅狭部Ｊ８２ｂの下辺とアールを介して連設するように円弧状に形成されている。幅広部Ｊ８２ａの上辺と下辺とは直線状を呈している。なお、幅広部Ｊ８２ａや隙間Ｊ７５の上下方向の幅は、フラップ部２３４が挿入可能なように、フラップ部２３４の基端から先端までの長さよりも長く形成されている。つまり、幅広部Ｊ８２ａにおいては、内側左板部８０における正面側の辺部の方向の幅が差込み部２３１や差込み部４３５（後述）を差込み可能な幅に形成されている。
【０１０６】
また、幅狭部Ｊ８２ｂは、帯状に形成され、その上辺は、幅広部Ｊ８２ａの上辺から連設され、下辺は、該円弧状の辺部から連設されていて、上辺と下辺とは平行に形成されている。幅狭部Ｊ８２ｂは、本体部１０の組立て状態において背面側にいくに従い下方に傾斜するように形成され、幅狭部Ｊ８２ｂの背面側の端部は、内側左板部８０の背面側の辺部には達しておらず、幅狭部Ｊ８２ｂの背面側の端部と辺部８０ｄ間には間隔が設けられている。幅狭部Ｊ８２ｂにおける上辺と下辺間の間隔は、引出し部３５０を構成するブランクの厚みよりも長く、フラップ部２３４の基端から先端までの長さよりも短く形成されている。
【０１０７】
なお、ブランク１０Ｂの展開状態においては、切欠きＪ８２と隙間Ｊ７５とで略鉤状の開口部Ｈ２０が形成されている。切欠きＪ８２と隙間Ｊ７５により被差込み部８２が形成される。
【０１０８】
また、内側左板部８０には、隙間Ｊ７６から連設された切欠き（左切欠き）Ｊ８４が形成され、隙間Ｊ７６から連設された幅広部（左幅広部）Ｊ８４ａと、幅広部Ｊ８４ａの背面側の端部から背面側に形成された幅狭部（左幅狭部）Ｊ８４ｂとを有し、全体に略鉤状を呈している。幅広部Ｊ８４ａは幅広部Ｊ８２ａと同様の構成であり、また、幅狭部Ｊ８４ｂは幅狭部Ｊ８２ｂとその長手方向の長さが異なる以外は同様の構成であるので、詳しい説明を省略する。なお、幅狭部Ｊ８４ｂは、幅狭部Ｊ８２ｂと平行に形成されている。また、幅狭部Ｊ８４ｂの背面側の端部から辺部８０ｄまでの長さ（すなわち、幅狭部Ｊ８４ｂの延長線に沿った長さ）は、幅狭部Ｊ８２ｂの背面側の端部から辺部８０ｄまでの長さ（すなわち、幅狭部Ｊ８２ｂの延長線に沿った長さ）と同一（略同一としてもよい）に形成されている。また、幅広部Ｊ８４ａにおいては、内側左板部８０における正面側の辺部の方向の幅が差込み部２３１や差込み部４３５（後述）を差込み可能な幅に形成されている。
【０１０９】
なお、ブランク１０Ｂの展開状態においては、切欠きＪ８４と隙間Ｊ７６とで略鉤状の開口部Ｈ２１が形成されている。切欠きＪ８４と隙間Ｊ７６により被差込み部８４が形成される。
【０１１０】
また、内側左板部８０には、支持フラップ（左支持フラップ）８６が形成されている。支持フラップ８６は、切欠きＪ８２の下側位置で、切欠きＪ８４よりも上側位置に形成され、支持フラップ８６は、略台形形状の本体部８６−１と、本体部８６−１の下辺から突出した突状部８６−２とを有している。
【０１１１】
本体部８６−１は、台形形状の上側の２つの角部を円弧状に欠切した形状を呈し、また、突状部８６−２は、本体部８６−１の下辺に沿って細長の長方形状を呈している。また、支持フラップ８６は、内側左板部８０の支持フラップ８６、８８以外の領域である本体部（内側左板部本体部）８１とは、本体部８６−１の背面側の辺部に沿った切込みＪ８６ａと、半円状の開口部Ｊ８６ｂと、本体部８６−１の正面側の辺部に沿った切込みＪ８６ｃと、突状部８６−２の三辺を構成する略コ字状の切込みＪ８６ｄと、切込みＪ８６ａと切込みＪ８６ｄ間の折れ線Ｃ８６ａと、切込みＪ８６ｃと切込みＪ８６ｄ間の折れ線Ｃ８６ｂとにより区画されている。
【０１１２】
支持フラップ８６を折れ線Ｃ８６ａ、Ｃ８６ｂを中心に回動して、本体部８１に対して直角とすることにより突状部８６−２の先端（本体部８６−１とは反対側の端部）が外側右板部２２の内側の面に接して、支持フラップ８６が本体部８１に対して直角方向の向きで維持される。
【０１１３】
また、支持フラップ８６の上下方向の形成位置は、引出し部３５０のフラップ部２２４を被差込み部３２に差し込むとともに、引出し部３５０のフラップ部２３４を被差込み部８２に差し込んで引出し部３５０を本体部１０に取り付けた際に、引出し部３５０の底面部２５０が支持フラップ８６の上面に接する長さに形成されている。これにより、引出し部３５０は、支持フラップ８６に支持される。
【０１１４】
また、内側左板部８０には、支持フラップ（左支持フラップ）８８が形成されている。支持フラップ８８は、切欠きＪ８４の下側位置に形成され、支持フラップ８８は、略台形形状の本体部８８−１と、本体部８８−１の下辺から突出した突状部８８−２、８８−３とを有している。
【０１１５】
本体部８８−１は、台形形状の上側の２つの角部を円弧状に欠切した形状を呈し、また、突状部８８−２と突状部８８−３は、本体部８８−１の下辺に沿って細長の長方形状を呈している。突状部８８−２と突状部８８−３とは間隔を介して設けられている。また、支持フラップ８８は、本体部８１とは、本体部８６−１の背面側の辺部に沿った切込みＪ８８ａと、半円状の開口部Ｊ８８ｂと、本体部８６−１の正面側の辺部に沿った切込みＪ８８ｃと、突状部８８−２の三辺を構成する略コ字状の切込みＪ８８ｄと、突状部８８−３の三辺を構成する略コ字状の切込みＪ８８ｅと、切込みＪ８８ａと切込みＪ８８ｄ間の折れ線Ｃ８８ａと、切込みＪ８８ｄと切込みＪ８８ｅ間の折れ線Ｃ８８ｂと、切込みＪ８８ｃと切込みＪ８８ｅ間の折れ線Ｃ８８ｃとにより囲まれた形状を呈している。
【０１１６】
支持フラップ８８を折れ線Ｃ８８ａ、Ｃ８８ｂ、Ｃ８８ｃを中心に回動して、本体部８１に対して直角とすることにより突状部８８−２の先端（本体部８６−１とは反対側の端部）が外側右板部２２の内側の面に接して、支持フラップ８８が本体部８１に対して直角方向の向きで維持される。
【０１１７】
また、支持フラップ８８の上下方向の形成位置は、引出し部３５０のフラップ部２２４を被差込み部３４に差し込むとともに、引出し部３５０のフラップ部２３４を被差込み部８４に差し込んで引出し部３５０を本体部１０に取り付けた際に、引出し部３５０の底面部２５０が支持フラップ８８の上面に接する長さに形成されている。これにより、引出し部３５０は、支持フラップ８８に支持される。
【０１１８】
また、帯状部９０は、内側左板部８０の背面側の辺部（辺部８０ｄ）から折れ線を介して連設され、辺部８０ｄに沿って帯状を呈している。
【０１１９】
また、接着板部９２は、帯状部９０の内側左板部８０とは反対側の辺部から折れ線を介して連設され、帯状部９０に沿って帯状（細長長方形状）に形成されている。接着板部９２は、ブランク１０Ｂを組み立てた状態では、内側左板部８０に対して内側に折り返した状態で外側左板部７２に接着されている。この接着板部９２と帯状部７４とにより、外側左板部７２と内側左板部８０間の背面側に、フラップ部２３４を配置するための隙間が形成されるので、帯状部７４により外側左板部７２と内側左板部８０間の正面側に隙間が形成されているのと相まって、外側左板部７２と内側左板部８０間の正面側から背面側にかけて隙間が形成され、フラップ部２３４を外側左板部７２と内側左板部８０間に挿入しやすくできる。帯状部９０と接着板部９２とで、折返し接着部（折返し左接着部）９３が構成される。
【０１２０】
また、内側上左板部９４は、台形形状（正面側の辺部が帯状部７５側の辺部に対して鋭角に傾斜している台形形状）を呈し、本体部１０の組立て状態では、正面側の辺部は、内側左板部８０の辺部８０ｆと当接する。
【０１２１】
また、帯状部９６と接着板部９８とは、長手方向（帯状部９６と接着板部９８間の折れ線に沿った方向）に同一長さを有し、接着板部９８は、長方形状を呈している。接着板部９８は、ブランク１０Ｂを組み立てた状態では、内側左板部８０に対して内側に折り返した状態で外側左板部７２に接着されている。帯状部９６と接着板部９８とで、折返し接着部９９が構成される。
【０１２２】
また、背面板部１０２は、縦長の長方形状を呈し、その左右方向の長さは、包装箱２０１の左右方向の長さ（すなわち、正面部２１０や背面部２４０の左右方向の長さ）よりも若干大きく形成され、引出し部３５０のフラップ部２２４を被差込み部３４に差し込むとともに、引出し部３５０のフラップ部２３４を被差込み部８４に差し込むことができる長さに形成されている。
【０１２３】
次に、ブランク１０Ｃは、方形状の底正面部１２２と、底正面部１２２の上辺から折れ線を介して連設された方形状の台板部１２４と、台板部１２４の背面側の辺部から折れ線を介して連設された背面板部（傾斜板部としてもよい）１２６と、台板部１２４の右側面側の辺部から折れ線を介して連設された右フラップ（右側片部）１２８と、台板部１２４の左側面側の辺部から折れ線を介して連設された左フラップ（左側片部）１３０とを有している。
【０１２４】
底正面部１２２の左右方向の長さは、背面板部１０２の左右方向の長さと同一（略同一としてもよい）であり、その上下方向の長さは、外側右板部２２の辺部２２ｂや外側左板部７２の辺部７２ｂの長さと略同一である。底正面部１２２の右側面側端部領域の内側の面に糊代部２７が接着され、左側面側端部領域の内側の面に糊代部７７が接着されている。
【０１２５】
背面板部１２６は、略方形状であり、上辺の両側の角部にアールが形成された形状である。
【０１２６】
また、右フラップ１２８は略台形形状を呈し、台板部１２４との折れ線に沿った辺部１２８ａと、辺部１２８ａの正面側の端部から連設され、該辺部１２８ａと鋭角をなす直線状の辺部１２８ｂと、辺部１２８ｂの辺部１２８ａと反対側の端部から連設された略円弧状の辺部１２８ｃと、辺部１２８ｃの辺部１２８ｂと反対側の端部から連設された直線状の辺部１２８ｄと、辺部１２８ｄの辺部１２８ｃと反対側の端部から連設された略円弧状の辺部１２８ｅと、辺部１２８ｅの辺部１２８ｄと反対側の端部から連設された直線状（略直線状としてもよい）の辺部１２８ｆにより囲まれた形状を呈している。
【０１２７】
ここで、辺部１２８ａと反対側の辺部１２８ｄは、辺部１２８ａの方向に対して傾斜して形成され、辺部１２８ｄの辺部１２８ａの方向との角度α１１は、内側右板部３０の切欠きＪ３２や切欠きＪ３４の方向の辺部２２ａ（つまり、水平方向）に対する傾斜角度と同一（略同一としてもよい）に形成され、これにより、台板部１２４に設置した引出し部３５０の背面側への傾斜角度と、被差込み部３２、８２や被差込み部３４、８４に取り付けた引出し部３５０の背面側への傾斜角度が同一になるように構成されている。
【０１２８】
また、左フラップ１３０は略台形形状を呈し、右フラップ１２８と対称（ブランク１０Ｃの展開状態で線対称であり、本体部１０の組立て状態において、前後及び上下方向の仮想平面を中心に面対称）に形成されている。
【０１２９】
この左フラップ１３０においても、台板部１２４との間の折れ線に沿った辺部１３０ａと反対側の辺部１３０ｄは、辺部１３０ａの方向に対して傾斜して形成され、辺部１３０ｄの辺部１３０ａの方向との角度α１２は、内側左板部８０の切欠きＪ８２や切欠きＪ８４の方向の辺部７２ａ（つまり、水平方向）に対する傾斜角度と同一（略同一としてもよい）に形成され、これにより、台板部１２４に設置した引出し部３５０の背面側への傾斜角度と、被差込み部３２、８２や被差込み部３４、８４に取り付けた引出し部３５０の背面側への傾斜角度が同一になるように構成されている。
【０１３０】
本体部１０を構成する各ブランクは以上のように構成され、右構成部２０は、ブランク１０Ａにおける糊代部２７と糊代部２９を除く構成により構成され、左構成部７０は、ブランク１０Ｂにおける糊代部７７と背面板部１０２を除く構成により構成され、背面構成部１００は、背面板部１０２と糊代部２９により構成され、底構成部１２０は、ブランク１０Ｃと糊代部２７、７７により構成される。
【０１３１】
本体部１０を組み立てた状態（「本体部の組立て状態」としてもよい）では、右構成部２０において、外側右板部２２と内側右板部３０の本体部３１とは互いに平行であり、左構成部７０において、外側左板部７２と内側左板部８０の本体部８１とは互いに平行であり、さらに、本体部３１と本体部８１とは左右両側に互いに対向して設けられている（「左右方向に間隔を介して互いに平行に形成されている」としてもよい）。また、右構成部２０と左構成部７０とは、左右両側に対向して設けられ、右構成部２０と背面構成部１００とは直角（略直角としてもよい）をなし、左構成部７０と背面構成部１００とは直角（略直角としてもよい）をなしている。
【０１３２】
また、本体部１０を組み立てた状態では、被差込み部３２と被差込み部８２とは左右両側に互いに対向して設けられ（「左右方向に対向して設けられ」としてもよい）、被差込み部３４と被差込み部８４とは左右両側に互いに対向して設けられている（「左右方向に対向して設けられている」としてもよい）。
【０１３３】
また、本体部１０を組み立てた状態では、支持フラップ３６と支持フラップ８６とは左右両側に互いに対向して設けられ（「左右方向に対向して設けられ」としてもよい）、支持フラップ３８と支持フラップ８８とは左右両側に互いに対向して設けられている（「左右方向に対向して設けられている」としてもよい）。
【０１３４】
また、底構成部１２０において、右フラップ１２８と左フラップ１３０とは台板部１２４に対して下側に折曲され、右フラップ１２８は外側右板部２２及び内側右板部３０の内側に配置され、左フラップ１３０は外側左板部７２及び内側左板部８０の内側に配置される。右フラップ１２８の辺部１２８ｄと左フラップ１３０の辺部１３０ｄは本体部１０の設置面に接し、これにより、台板部１２４は、背面側に向けて下方に傾斜して設けられ、また、背面板部１２６は、その上辺が背面構成部１００に接することにより、背面側に向けて上方に傾斜して設けられる。
【０１３５】
なお、本体部１０は、図９に示すように折り畳むことができる。つまり、底構成部１２０の底正面部１２２以外の部分を右構成部２０と左構成部７０間の領域から正面側に引き出して、底構成部１２０を展開状態とし、左構成部７０を背面構成部１００側に回動させることにより、左構成部７０と背面構成部１００間の角度が小さくなり、右構成部２０と背面構成部１００間の角度が大きくなって、本体部１０を折り畳んだ状態とすることができる。これにより、本体部１０の保管や運搬で省スペースとすることができる。
【０１３６】
なお、本体部１０において、帯状部２６、２８、７６、７８を省略した構成としてもよい。また、ブランクの厚みが薄い場合には、帯状部２５、４０、４６、７５、９０、９６を省略した構成としてもよい。
【０１３７】
次に、引出し部３５０を構成するための包装箱（陳列具用包装箱）２０１について説明する。なお、包装箱２０１と本体部１０により、陳列具セットが構成される。
【０１３８】
包装箱２０１は、図１１〜図１３に示すように、スリーブ状部２０５と、スリーブ状部２０５の下辺から連設された底面部（箱底面部、引出し部底面部）２５０と、蓋部３００と、横フラップ３０４、３０６とを有している。
【０１３９】
包装箱２０１は、１枚のシート状のブランク（具体的には、段ボール製（例えば、薄型段ボール製）のブランクであり、厚紙製のブランク等の他の紙製のブランクでもよい）により形成されている。つまり、包装箱２０１は、段ボール材（特に、両面段ボール材）等の紙製の箱である。段ボールにおける断面略波形形状の中芯の段の方向は、図１３における円内に示す方向となっている。つまり、正面部２１０の下辺に対して直角で、正面部２１０の右側面側の辺部や左側面側の辺部に対して平行な方向である。
【０１４０】
ここで、スリーブ状部２０５は、筒状を呈し、正面部（箱正面部）２１０と、正面部２１０の右側面側の辺部から折れ線を介して連設された側面部（箱右側面部）２２０と、正面部２１０の左側面側の辺部から折れ線を介して連設された側面部（箱左側面部）２３０と、側面部２２０の背面側の辺部から折れ線を介して連設された背面部（箱背面部）２４０と、側面部２３０の背面側の辺部から折れ線を介して連設された糊代部２４９とを有し、糊代部２４９は、背面部２４０の左側面側の端部領域に接着されている。
【０１４１】
正面部２１０と側面部２２０と側面部２３０と背面部２４０とは、いずれも方形状を呈し、正面部２１０の横方向の長さと背面部の横方向の長さは同一で、側面部２２０の横方向の長さと側面部２３０の横方向の長さは同一である。包装箱２０１の組立て状態では、正面部２１０と側面部２２０と側面部２３０と背面部２４０における隣接する各部は互いに直角となり、正面部２１０と背面部２４０とは互いに平行となり、側面部２２０と側面部２３０とは互いに平行となる。正面部２１０は包装箱２０１の正面を構成し、側面部２２０は包装箱２０１の右側面を構成し、側面部２３０は包装箱２０１の左側面を構成し、背面部２４０は包装箱２０１の背面を構成する。正面部２１０と側面部２２０、２３０と背面部２４０とで周壁部が構成される。
【０１４２】
また、底面部２５０は、いわゆるワンタッチ底であり、第１片部（底面部第１片部）２６０と、第２片部（底面部第２片部）２７０と、第３片部（底面部第３片部）２８０と、第４片部（底面部第４片部）２９０とを有し、包装箱２０１の組立て状態においては、略方形状の外形を呈している。底面部２５０は、包装箱２０１の底面を構成する。
【０１４３】
ここで、第１片部２６０は、正面部２１０の下端から折れ線を介して連設され、先端側にいくほど幅狭となる略台形形状に形成され、その上面の一部が包装箱２０１の内底面の一部を形成している。この第１片部２６０は、底面部２５０の組立て状態においては、第４片部２９０と点対称に形成されている。
【０１４４】
また、第２片部２７０は、側面部２２０の下端から折れ線を介して連設され、略長方形状に形成され、第２片部２７０の上面の一部が包装箱２０１の内底面の一部を形成している。また、第２片部２７０の角部（側面部２２０と背面部２４０の境界位置の下端）からは第２片部２７０の正面部２１０との境界をなす辺部に対して斜めに所定間隔で切込みが形成された（つまり、折曲しやすいように切込みが形成されている）折れ線２７０−１（この折れ線２７０−１は、上面側が山折れ線となっている）が形成され、包装箱２０１を折り畳む際に、容易に折り畳むことができるようになっている。第２片部２７０は、折れ線２７０−１を介して本体部２７２と先端部２７４とに区画される。本体部２７２の先端の先端部２７４側には、他方の本体部２８２と互いに係止するように切欠部２７２ａが形成されている。先端部２７４の上面は、第４片部２９０の下面に接着されている。
【０１４５】
また、第３片部２８０は、側面部２３０の下端から折れ線を介して連設され、底面部２５０の組立て状態においては、第２片部２７０と点対称に形成されている。すなわち、第３片部２８０は、背面部２４０の下端から折れ線を介して連設され、略長方形状に形成され、第３片部２８０の上面の一部が包装箱２０１の内底面の一部を形成している。また、第３片部２８０の角部（正面部２１０と側面部２３０の境界位置の下端）からは第３片部２８０の側面部２３０との境界をなす辺部に対して斜めに所定間隔で切込みが形成された（つまり、折曲しやすいように切込みが形成されている）折れ線２８０−１（この折れ線２８０−１は、上面側が山折れ線となっている）が形成され、包装箱２０１を折り畳む際に、容易に折り畳むことができるようになっている。第３片部２８０は、折れ線２８０−１を介して本体部２８２と先端部２８４とに区画される。本体部２８２の先端の先端部２８４側には、他方の本体部２７２と互いに係止するように切欠部２８２ａが形成されている。先端部２８４の上面は、第１片部２６０の下面に接着されている。
【０１４６】
また、第４片部２９０は、背面部２４０の下端から折れ線を介して連設され、先端側にいくほど幅狭となる略台形形状に形成され、その上面の一部が内箱部Ａ１の内底面の一部を形成している。
【０１４７】
以上のように、底面部２５０において、隣接する２つの片部（第１片部２６０と第３片部２８０）である底面部第１片部対の一方における他方の側の部分である先端部（第１端部領域）２８４が折れ線を介して折曲げ可能であり、該先端部２８４が第１片部２６０に接着され、他の隣接する２つの片部（第２片部２７０と第４片部２９０）である底面部第２片部対の一方における他方の側の部分である先端部（第２端部領域）２７４が折れ線を介して折曲げ可能であり、該先端部２７４が第４片部２９０に接着されている。
【０１４８】
また、蓋部３００は、蓋本体部３０１と、蓋フラップ３０２とを有し、蓋本体部３０１は、側面部２３０の上辺から折れ線を介して連設され、方形状を呈している。蓋フラップ３０２は、蓋部３００の側面部２３０とは反対側の辺部から折れ線を介して連設され、細長長方形状の先端の角部にアールを形成した形状を呈している。蓋本体部３０１と蓋フラップ３０２の境界の両側には切込みが形成されている。蓋部３００は、包装箱２０１の上面を構成する。
【０１４９】
また、横フラップ３０４は、正面部２１０の上辺から折れ線を介して連設され、略台形形状に形成されており（側面部２２０側の辺部が正面部２１０との折れ線に対して傾斜した傾斜辺であり、該傾斜辺と横フラップ３０４の先端辺間の角部にアールが形成されている）、また、横フラップ３０６は、背面部２４０の上辺から折れ線を介して連設され、略台形形状に形成されている（側面部２２０側の辺部が背面部２４０との折れ線に対して傾斜した傾斜辺であり、該傾斜辺と横フラップ３０４の先端辺間の角部にアールが形成されている）。
【０１５０】
また、スリーブ状部２０５には、スリーブ状部２０５を上下に分割可能なジッパー３１０が形成されている。このジッパー３１０は、スリーブ状部２０５に周設されていて、スリーブ状部２０５は、上側に設けられた切目線（分離用切目線）３１０−１と下側に設けられた切目線（分離用切目線）３１０−２とが平行に設けられて構成されている。
【０１５１】
すなわち、ジッパー３１０は、正面部２１０の左右方向の中央から側面部２２０を経て背面部２４０にまで形成された第１ジッパー３１２と、正面部２１０の左右方向の中央から側面部２３０にまで形成された第２ジッパー３１４とを有している。第１ジッパー３１２と第２ジッパー３１４はいずれも切込みを複数の間隔を介して形成された切れ目線を平行に設けることにより構成されている。
【０１５２】
ここで、第１ジッパー３１２は、正面部２１０の左右方向の中央から正面部２１０の右側面側の端部にまで左右方向に形成されたジッパー構成部３１２ａと、ジッパー構成部３１２ａの右側面側の端部から連設され、背面側に向けて上方となるように傾斜して形成されたジッパー構成部３１２ｂと、ジッパー構成部３１２ｂの背面側の端部から連設され、側面部２２０の背面側の端部にまで前後方向に形成されたジッパー構成部３１２ｃと、ジッパー構成部３１２ｃの背面側の端部から連設され、背面部２４０の左側面側の端部にまで左右方向に形成されたジッパー構成部３１２ｄとを有している。
【０１５３】
ジッパー構成部３１２ａは、正面部２１０の下辺と平行な方向に直線状に形成され、ジッパー構成部３１２ｃは、側面部２２０の下辺と平行な方向に直線状に形成され、ジッパー構成部３１２ｄは、背面部２４０の下辺と平行な方向に直線状形成されている。また、ジッパー構成部３１２ｂは、側面部２２０の下辺に対して傾斜した直線状に形成されている。
【０１５４】
また、第２ジッパー３１４は、正面部２１０の左右方向の中央から正面部２１０の左側面側の端部にまで左右方向に形成されたジッパー構成部３１４ａと、ジッパー構成部３１４ａの左側面側の端部から連設され、背面側に向けて上方となるように傾斜して形成されたジッパー構成部３１４ｂと、ジッパー構成部３１４ｂの背面側の端部から連設され、側面部２３０の背面側の端部にまで前後方向に形成されたジッパー構成部３１４ｃと、ジッパー構成部３１４ｃの背面側の端部から連設され、糊代部２４９を横切るように形成されたジッパー構成部３１４ｄとを有している。
【０１５５】
ジッパー構成部３１４ａは、正面部２１０の下辺と平行な方向に直線状に形成され、ジッパー構成部３１４ｃは、側面部２２０の下辺と平行な方向に直線状に形成されている。また、ジッパー構成部３１２ｂは、側面部２３０の下辺に対して傾斜した直線状に形成されている。ジッパー構成部３１４ｄは、糊代部２４９の左側面側の端部から右側面側の端部にまで左右方向に形成されている。
【０１５６】
なお、第１ジッパー３１２と第２ジッパー３１４とは、正面部２１０における左右方向の中央位置において、それらの端部が切込みを介して対向している。
【０１５７】
スリーブ状部２０５を構成する各部におけるジッパー３１０よりも下側の領域が下側領域となり、正面部２１０におけるジッパー３１０よりも下側の領域が下側領域２１０−１となり、側面部２２０におけるジッパー３１０よりも下側の領域が下側領域２２０−１となり、側面部２３０におけるジッパー３１０よりも下側の領域が下側領域２３０−１となり、背面部２４０におけるジッパー３１０よりも下側の領域が下側領域２４０−１となる。
【０１５８】
また、スリーブ状部２０５を構成する各部におけるジッパー３１０よりも上側の領域が上側領域となり、正面部２１０におけるジッパー３１０よりも上側の領域が上側領域２１０−２となり、側面部２２０におけるジッパー３１０よりも上側の領域が上側領域２２０−２となり、側面部２３０にけるジッパー３１０よりも上側の領域が上側領域２３０−２となり、背面部２４０におけるジッパー３１０よりも上側の領域が上側領域２４０−２となる。
【０１５９】
また、側面部２２０には、ジッパー構成部３１２ｂ、３１２ｃの下側にジッパー構成部３１２ｂ、３１２ｃに隣接してフラップ部（右フラップ部）２２４と、帯状部（右差込み部帯状部）２２２とが形成されている（フラップ部２２４と帯状部２２２とで差込み部（右差込み部）２２１が構成される）。つまり、ジッパー構成部３１２ｃのジッパー構成部３１２ｂとの接続位置から側面部２２０の背面側の端部への途中位置から下方に向けて（側面部２２０と背面部２４０間の折れ線と平行に）直線状の切目線（第１切目線）Ｋ２２０が形成され、切目線Ｋ２２０の下端から側面部２２０の下辺と平行な折れ線Ｃ２２２がジッパー構成部３１２ｂにまで形成され、さらに、折れ線Ｃ２２２の上側に折れ線Ｃ２２２と平行に折れ線Ｃ２２０が切目線Ｋ２２０とジッパー構成部３１２ｂ間に形成されている。そして、折れ線Ｃ２２０とジッパー構成部３１２ｂ、３１２ｃと切目線Ｋ２２０により囲まれた領域がフラップ部２２４となり、折れ線Ｃ２２０と折れ線Ｃ２２２間の領域が帯状部２２２となる。また、下側領域２２０−１におけるフラップ部２２４と帯状部２２２以外の領域が、下側領域主構成部（右主構成部）２２０−１ａとなる。
【０１６０】
ここで、折れ線Ｃ２２０と折れ線Ｃ２２２間の幅は、内側右板部３０を構成するブランク１０Ａの厚みよりも長く形成され、これにより、フラップ部２２４を被差込み部３２、３４に差し込んだ際に内側右板部３０と外側右板部２２間にフラップ部２２４が配置されるようになっている。
【０１６１】
また、フラップ部２２４の横方向の長さは、被差込み部３２、３４を構成する切欠きＪ３２、Ｊ３４の長さ（正面側の挿入口から奥側までの長さ）以下の長さに形成され、これにより、フラップ部２２４を被差込み部３２、３４に差し込んだ際にフラップ部２２４が右構成部２０の正面側から突出しないようになっている。
【０１６２】
また、側面部２３０には、ジッパー構成部３１４ｂ、３１４ｃの下側にジッパー構成部３１４ｂ、３１４ｃに隣接してフラップ部（左フラップ部）２３４と、帯状部（左差込み部帯状部）２３２とが形成されている（フラップ部２３４と帯状部２３２とで差込み部（左差込み部）２３１が構成される）。つまり、ジッパー構成部３１４ｃのジッパー構成部３１４ｂとの接続位置から側面部２３０の背面側の端部への途中位置から下方に向けて（側面部２３０と糊代部２４９間の折れ線と平行に）直線状の切目線（第２切目線）Ｋ２３０が形成され、切目線Ｋ２３０の下端から側面部２３０の下辺と平行な折れ線Ｃ２３２がジッパー構成部３１４ｂにまで形成され、さらに、折れ線Ｃ２３２の上側に折れ線Ｃ２３２と平行に折れ線Ｃ２３０が切目線Ｋ２３０とジッパー構成部３１４ｂ間に形成されている。そして、折れ線Ｃ２３０とジッパー構成部３１４ｂ、３１４ｃと切目線Ｋ２３０により囲まれた領域がフラップ部２３４となり、折れ線Ｃ２２０と折れ線Ｃ２２２間の領域が帯状部２３２となる。また、下側領域２３０−１におけるフラップ部２３４と帯状部２３２以外の領域が、下側領域主構成部（左主構成部）２３０−１ａとなる。
【０１６３】
ここで、折れ線Ｃ２３０と折れ線Ｃ２３２間の幅は、内側左板部８０を構成するブランク１０Ｂの厚みよりも長く形成され、これにより、フラップ部２３４を被差込み部８２、８４に差し込んだ際に内側左板部８０と外側左板部７２間にフラップ部２３４が配置されるようになっている。
【０１６４】
また、フラップ部２３４の横方向の長さは、被差込み部８２、８４を構成する切欠きＪ８２、Ｊ８４の長さ（正面側の挿入口から奥側までの長さ）以下の長さに形成され、これにより、フラップ部２３４を被差込み部８２、８４に差し込んだ際にフラップ部２３４が左構成部７０の正面側から突出しないようになっている。
【０１６５】
切目線Ｋ２２０、Ｋ２３０は、複数の切込みを間隔を介して直線状に形成したもので、該切込みはブランクの一方の面から他方の面まで貫通している。なお、切目線Ｋ２２０、Ｋ２３０は、連続した直線状の切込みにより形成してもよい。
【０１６６】
フラップ部２２４、２３４を被差込み部３２、８２に差し込んで、引出し部３５０を被差込み部３２、８２に取り付けた状態においては、フラップ部２２４が外側右板部２２と内側右板部３０間に挟まれた状態となり、帯状部２２２は、切欠きＪ３２の幅狭部Ｊ３２ｂの上辺と下辺の間に設けられ、該下辺に沿って該下辺の上に乗った状態となり、フラップ部２３４が外側左板部７２と内側左板部８０間に挟まれた状態となり、帯状部２３２は、切欠きＪ８２の幅狭部Ｊ８２ｂの上辺と下辺の間に設けられ、該下辺に沿って該下辺の上に乗った状態となる。
【０１６７】
包装箱２０１においては、包装箱２０１を組み立てた状態において、第１ジッパー３１２の正面部２１０における端部を手前に引き、第１ジッパー３１２を構成する切目線を破断するとともに、第２ジッパー３１４の正面部２１０における端部を手前に引き、第２ジッパー３１４を構成する切目線を破断して、ジッパー３１０を取り除くことにより、スリーブ状部２０５がジッパー３１０よりも上側の上側部分とジッパー３１０よりも下側の下側部分とに分離され、図１４に示すように、スリーブ状部２０５における下側部分（つまり、正面部２１０の下側領域２１０−１と、側面部２２０の下側領域（引出し部右側面部）２２０−１と、側面部２３０の下側領域（引出し部左側面部）２３０−１と、背面部２４０の下側領域（引出し部背面部）２４０−１）と底面部（引出し部底面部）２５０により引出し部３５０が構成される。つまり、引出し部３５０の底面部（引出し部底面部）が底面部２５０により構成され、引出し部３５０の正面部（引出し部正面部）が正面部２１０における下側領域２１０−１により構成され、引出し部３５０の右側面部（引出し部右側面部）が側面部２２０における下側領域２２０−１により構成され、引出し部３５０の左側面部（引出し部左側面部）が側面部２３０における下側領域２３０−１により構成され、引出し部３５０の背面部（引出し部背面部）が背面部２４０における下側領域２４０−１により構成される。
【０１６８】
また、包装箱２０１における引出し部３５０以外の部分、すなわち、ジッパー３１０とジッパー３１０よりも上側の部分（つまり、スリーブ状部２０５における上側領域と、蓋部３００と、横フラップ３０４、３０６）が非引出し部となる。つまり、非引出し部が、ジッパー３１０とジッパー３１０よりも上側の部分を含んでいる。
【０１６９】
陳列具５Ａの使用状態について説明すると、図１５に示すように、包装箱２０１に商品（被収納物）Ｇを収納して、蓋フラップ３０２を正面部２１０の内側に差し込み、図１６に示すように、包装箱２０１を閉状態とする。
【０１７０】
その後、商品Ｇの陳列場所にまで、本体部１０と複数の包装箱２０１を運ぶ（商品Ｇの陳列場所にすでに本体部１０がある場合には、商品Ｇが入った包装箱２０１のみを運べばよい）。
【０１７１】
そして、商品Ｇの陳列場所において、本体部１０を組み立てるとともに、包装箱２０１のジッパー３１０を取り除いて、図１７に示すように引出し部３５０を形成する。つまり、ジッパー３１０を形成する２つの切目線３１０−１、３１０−２を破断することにより引出し部３５０を形成できるので、容易に引出し部を形成することができる。
【０１７２】
その後、フラップ部２２４を帯状部２２２に対して折曲するとともに帯状部２２２を下側領域主構成部２２０−１ａに対して折曲し、フラップ部２３４を帯状部２３２に対して折曲するとともに帯状部２３２を下側領域主構成部２３０−１ａに対して折曲して、図１８に示す状態とする。図１８において、商品Ｇを省略した状態が図１０に示される。
【０１７３】
なお、本体部１０の下段には、引出し部３５０を台板部１２４に載置するので、図１８に示すようにフラップ部２２４、２３４や帯状部２２２、２３２を折曲する必要がなく、図１７に示す状態とすればよい。
【０１７４】
そして、引出し部３５０を本体部１０に設置することにより図１に示す商品Ｇの陳列状態とする。つまり、差込み部２２１、２３１を被差込み部３２、３４、８２、８４に差し込むことにより引出し部３５０を本体部１０に取り付ける。
【０１７５】
つまり、支持フラップ３６を内側右板部３０（厳密には、本体部３１（内側右板部３０における支持フラップ３６が折れ線（第１折れ線）Ｃ３６ａ、Ｃ３６ｂを介して連設された領域））に対して外側に（外側右板部２２とは反対側に）略直角に回動させた状態とするとともに、支持フラップ８６を内側左板部８０（厳密には、本体部８１（内側左板部８０における支持フラップ８６が折れ線（第２折れ線）Ｃ８６ａ、Ｃ８６ｂを介して連設された領域））に対して外側に（外側左板部７２とは反対側に）略直角に回動させた状態で、差込み部２２１を被差込み部３２に差し込むとともに、差込み部２３１を被差込み部８２に差し込んで、上段位置に引出し部３５０を取り付ける。その際、差込み部２２１における帯状部２２２は、被差込み部３２の辺部（具体的には、被差込み部３２の下側の辺部（下辺）で、幅狭部Ｊ３２ｂにおける下側の辺部（下辺））の上に該辺部に沿って設けられ、フラップ部２２４は、外側右板部２２と内側右板部３０の間に挟まれた状態で設けられ、差込み部２３１における帯状部２３２は、被差込み部８２の辺部（具体的には、被差込み部８２の下側の辺部（下辺）で、幅狭部Ｊ８２ｂにおける下側の辺部（下辺））の上に該辺部に沿って設けられ、フラップ部２３４は、外側左板部７２と内側左板部８０の間に挟まれた状態で設けられる。
【０１７６】
なお、差込み部２２１、２３１の差込みに際して、被差込み部３２の隙間Ｊ７５と幅広部Ｊ８２ａが幅広に形成されているので、差込みが容易となる。
【０１７７】
また、引出し部３５０を本体部１０に取り付けた状態では、差込み部２２１における帯状部２２２は、被差込み部３２の辺部の上に該辺部に沿って設けられ、フラップ部２２４は、外側右板部２２と内側右板部３０の間に設けられ、差込み部２３１における帯状部２３２は、被差込み部８２の辺部の上に該辺部に沿って設けられ、フラップ部２３４は、外側左板部７２と内側左板部８０の間に設けられるので、引出し部３５０を安定した状態で本体部１０に取り付けることができる。
【０１７８】
また、フラップ部２２４は、幅狭部Ｊ３２ｂの位置で、外側右板部２２と内側右板部３０の間に設けられ、フラップ部２２４は、フラップ部２２４の外側の面は、外側右板部２２の内側の面に接着した状態で固定されるので、フラップ部２２４が被差込み部３２から脱落することがない。同様に、フラップ部２３４は、幅狭部Ｊ８２ｂの位置で、外側左板部７２と内側左板部８０の間に設けられ、フラップ部２３４は、フラップ部２３４の外側の面は、外側左板部７２の内側の面に接着した状態で固定されるので、フラップ部２３４が被差込み部８２から脱落することがない。
【０１７９】
また、支持フラップ３８を内側右板部３０（厳密には、本体部３１（内側右板部３０における支持フラップ３８が折れ線（第１折れ線）Ｃ３８ａ、Ｃ３８ｂ、Ｃ３８ｃを介して連設された領域））に対して外側に（外側右板部２２とは反対側に）略直角に回動させた状態とするとともに、支持フラップ８８を内側左板部８０（厳密には、本体部８１（内側左板部８０における支持フラップ８８が折れ線（第２折れ線）Ｃ８８ａ、Ｃ８８ｂ、Ｃ８８ｃを介して連設された領域））に対して外側に（外側左板部７２とは反対側に）略直角に回動させた状態で、差込み部２２１を被差込み部３４に差し込むとともに、差込み部２３１を被差込み部８４に差し込んで、中段位置に引出し部３５０を取り付ける。その際、差込み部２２１における帯状部２２２は、被差込み部３４の辺部（具体的には、被差込み部３４の下側の辺部（下辺）で、幅狭部Ｊ３４ｂにおける下側の辺部（下辺））の上に該辺部に沿って設けられ、フラップ部２２４は、外側右板部２２と内側右板部３０の間に挟まれた状態で設けられ、差込み部２３１における帯状部２３２は、被差込み部８４の辺部（具体的には、被差込み部８４の下側の辺部（下辺）で、幅狭部Ｊ８４ｂにおける下側の辺部（下辺））の上に該辺部に沿って設けられ、フラップ部２３４は、外側左板部７２と内側左板部８０の間に挟まれた状態で設けられる。
【０１８０】
なお、差込み部２２１、２３１の差込みに際して、被差込み部３４の隙間Ｊ７６と幅広部Ｊ８４ａが幅広に形成されているので、差込みが容易となる。
【０１８１】
また、引出し部３５０を本体部１０に取り付けた状態では、差込み部２２１における帯状部２２２は、被差込み部３４の辺部の上に該辺部に沿って設けられ、フラップ部２２４は、外側右板部２２と内側右板部３０の間に設けられ、差込み部２３１における帯状部２３２は、被差込み部８４の辺部の上に該辺部に沿って設けられ、フラップ部２３４は、外側右板部２２と内側右板部３０の間に設けられるので、引出し部３５０を安定した状態で本体部１０に取り付けることができる。
【０１８２】
また、フラップ部２３４は、幅狭部Ｊ３４ｂの位置で、外側右板部２２と内側右板部３０の間に設けられ、フラップ部２２４は、フラップ部２２４の外側の面は、外側右板部２２の内側の面に接着した状態で固定されるので、フラップ部２２４が被差込み部３４から脱落することがない。同様に、フラップ部２３４は、幅狭部Ｊ８４ｂの位置で、外側左板部７２と内側左板部８０の間に設けられ、フラップ部２３４は、フラップ部２３４の外側の面は、外側左板部７２の内側の面に接着した状態で固定されるので、フラップ部２３４が被差込み部８２から脱落することがない。
【０１８３】
また、下段位置には、引出し部３５０を台板部１２４上に載置して引出し部３５０を設置する。
【０１８４】
また、引出し部３５０の状態においては、背面部２４０の上側領域２４０−２が取り除かれているので、引出し部３５０を本体部１０に取り付ける際に背面部が邪魔になることがない。
【０１８５】
また、本体部１０に設置されている引出し部３５０内の商品Ｇが全て取り出されて引出し部３５０が空になった場合には、空になった引出し部３５０を引き出して本体部１０から取り外し、新たに商品Ｇが収納された包装箱２０１のジッパー３１０を取り除いて、上記と同様に本体部１０に商品Ｇを収納した引出し部３５０を設置する。
【０１８６】
よって、商品Ｇの運搬に使用した包装箱の一部をそのまま利用して引出し部３５０とできるので、商品Ｇを包装箱から移し替える必要がなく、運搬された商品の陳列を容易とすることができる。
【０１８７】
なお、上記の説明において、ジッパー３１０が第１ジッパー３１２と第２ジッパー３１４とから形成されるとしたが、２つに分けずに１本のジッパーにより形成してもよい。
【０１８８】
また、包装箱２０１においては、２つの切目線を平行に設けたジッパー３１０によりスリーブ状部２０５を上下に分離する構成としたが、１つの切目線をスリーブ状部２０５に周設することにより、スリーブ状部２０５を上下に分離する構成としてもよい。
【０１８９】
また、上記の説明においては、包装箱２０１の正面部２１０がジッパー３１０により下側領域２１０−１と上側領域２１０−２に分離するとして説明したが、ジッパー３１０が正面部２１０の下端に左右方向に形成されて（つまり、下側の切目線３１０−２は、正面部２１０と第１片部２６０間の折れ線に沿って形成される）、これにより、ジッパー３１０を破断して引出し部３５０の状態とした場合には、正面部２１０の全体が取り除かれる。つまり、引出し部３５０には、正面部（引出し部正面部）が設けられない構成となる。この場合には、商品の入った引出し部３５０を本体部１０に取り付ける際に、引出し部３５０の正面側から商品が落下しないように注意する必要があるが、引出し部３５０が本体部１０に取り付けられた状態で商品を取り出す場合には、引出し部３５０の正面側が開いているので、商品を取り出しやすい。なお、この場合でも、２つの切目線を平行に設けたジッパー３１０によるのではなく、１つの切目線を正面部２１０と第１片部２６０間の折れ線に沿って形成してもよい。
【０１９０】
また、上記の説明では、背面部２４０がジッパー３１０により下側部分２４０−１と上側部分２４０−２とに分離されるとしたが、背面部２４０にはジッパーを設けず（つまり、背面部２４０を上下で分離する分離用切目線を設けない）に、引出し部３５０の状態でも背面部２４０をそのまま残す構成としてもよい。その場合の構成としては、側面部２２０に設けられたジッパー-を背面側の端部では、側面部２２０と背面部２４０間の折れ線の上端に向けて形成し（具体的には、下側の切目線３１０−２が側面部２２０と背面部２４０間の折れ線の上端に接するようにする）、側面部２２０に設けられたジッパー-を背面側の端部では、側面部２３０と糊代部２４９間の折れ線の上端に向けて形成する（具体的には、下側の切目線３１０−２が側面部２２０と糊代部２４９間の折れ線の上端に接するようにする）。２つの切目線を平行に設けたジッパー３１０によるのではなく、１つの切目線を側面部２２０、２３０に形成する場合には、該切目線が側面部２２０と背面部２４０間の折れ線の上端に接するようにするとともに、側面部２２０と糊代部２４９間の折れ線の上端に接するようにする。なお、その場合には、引出し部３５０において横フラップ３０６が残ったままとなるので、背面部２４０と横フラップ３０６間にミシン目状の切目線を設けて、横フラップ３０６を背面部２４０から分離できるようにするのが好ましい。なお、この場合には、正面部２１０に設けられたジッパーと、側面部２２０、２３０に設けられたジッパーと、それらのジッパーの上側の領域（蓋部３００を含む）と、横フラップ３０６とが非引出し部となる。つまり、分離用切目線（つまり、ジッパーを構成する切目線）よりも上側の部分を含む領域が非引出し部となる。すなわち、この場合には、分離用切目線よりも上側の部分以外の部分も非引出し部となる。
【０１９１】
なお、上記の例では、蓋部３００が側面部２３０の上辺から連設され、横フラップ３０４が正面部２１０の上辺から連設され、横フラップ３０６が背面部２４０の上辺から連設されるとしたが、蓋部３００は、正面部２１０、側面部２２０、背面部２４０のいずれかの上辺から連設した構成としてもよい。その場合には、横フラップは、蓋部３００が連設された部材に隣接する部材の上辺から連設されることになる。上記のように、背面部２４０を引出し部３５０にそのまま残す構成の場合には、正面部２１０の上辺から蓋部３００を連設させることにより、背面部２４０には横フラップが連設されないので、背面部２４０と横フラップ間の切目線が必要ないことになる。また、蓋部は、正面部と２つの側面部と背面部とからなる周壁部における相対する２つの部材から連設された構成としてもよい。
【０１９２】
また、背面部２４０を上下で分離する分離用切目線を設けない場合で、背面部２４０の上端から蓋部３００を形成する場合には、背面部２４０と蓋部３００間にミシン目状の切目線を設けて、蓋部３００を背面部２４０から分離できるようにするのが好ましい。なお、この場合には、正面部２１０に設けられたジッパーと、側面部２２０、２３０に設けられたジッパーと、それらのジッパーの上側の領域と、蓋部３００とが非引出し部となる。つまり、分離用切目線（つまり、ジッパーを構成する切目線）よりも上側の部分を含む領域が非引出し部となる。すなわち、この場合には、分離用切目線よりも上側の部分以外の部分も非引出し部となる。
【０１９３】
また、包装箱２０１においては、底面部２５０はワンタッチ底であるとして説明したが、これには限られず、方形状の板状とし、底面部の各辺から正面部と２つの側面部と背面部が連設され、正面部と２つの側面部と背面部において、隣接する部材を糊代部により連結する構成としてもよい。その場合も、蓋部は、正面部と２つの側面部と背面部の少なくともいずれかから連設される。特に、引出し部３５０の状態で、正面部が設けられていない構成とする場合には、底面部の強度の点で、ワンタッチ底ではなく、板状の底面部とするのが好ましい。
【実施例２】
【０１９４】
次に、陳列具の他の例について説明する。陳列具５Ｂは、図１９に示すように、本体部１０と、本体部１０に設置される引出し部３５１とを有している。本体部１０は、陳列具５Ａにおける本体部１０と同一の構成である。
【０１９５】
また、引出し部３５１は、図２０〜図２７に示す包装箱（陳列具用包装箱）４０１の一部により構成したものである。つまり、包装箱４０１における内箱部Ａ１の分離部４２４、４３４を除いた構成が引出し部３５１となる。なお、包装箱４０１と本体部１０により、陳列具セットが構成される。
【０１９６】
包装箱４０１は、内箱部Ａ１と、外箱部Ａ２とを有していて、それぞれが１枚のシート状のブランク（具体的には、段ボール製（例えば、薄型段ボール製）のブランクであり、厚紙製のブランク等の他の紙製のブランクでもよい）により形成されている。つまり、内箱部Ａ１と外箱部Ａ２は、段ボール材（特に、両面段ボール材）等の紙製の箱である。段ボールにおける断面略波形形状の中芯の段の方向は、図２５、図２７における円内に示す方向となっている。つまり、内箱部Ａ１では、側面部４２０の下辺に対して直角で、側面部４２０の背面側の辺部や正面側の辺部に対して平行な方向であり、外箱部Ａ２では、側面部５２０の下辺や上辺に対して直角で、側面部５２０の背面側の辺部や正面側の辺部に対して平行な方向である。
【０１９７】
内箱部Ａ１は、全体に上部が開口した容器状を呈し、図２２等に示すように、スリーブ状部（内側スリーブ状部）４０５と、底面部４５０とを有している。スリーブ状部４０５は、組立て状態では、底面部４５０の周囲から立設して形成され、正面部（内側正面部）４１０と、側面部（内側側面部）４２０と、側面部（内側側面部）４３０と、背面部（内側背面部）４４０と、糊代部４４９とを有していて、その展開状態は、図２５に示すように形成されている。
【０１９８】
ここで、図２６に示すように、正面部４１０は、正面本体部４１２と、正面本体部４１２から折れ線Ｃ４００を介して連設された折り出し板部１２００と、正面本体部４１２から折れ線Ｃ１２０２を介して連設された折り出し板部１２０２と、折り出し板部１２００から折れ線Ｃ１２１０を介して連設されるとともに、折り出し板部１２０２から折れ線Ｃ１２１１を介して連設された広告正面板部１２１０と、広告正面板部１２１０から折れ線Ｃ１２２０、Ｃ１２２１を介して連設された背面板部１２２０とを有している。広告正面板部１２１０における正面本体部４１２以外の構成、すなわち、折り出し板部１２００、１２０２と、広告正面板部１２１０と、背面板部１２２０とが広告表示部Ｐを構成する。広告正面板部１２１０は、広告表示部Ｐを組み立てる前の状態では、平板状を呈している。
【０１９９】
正面本体部４１２は、方形状（具体的には、長方形状）の上側に２つの切欠部を形成した形状を呈し、この２つの切欠部は、折り出し板部１２００と同大同形状をなす切欠部と、折り出し板部１２０２と同大同形状をなす切欠部となっている。正面本体部４１２の上辺と下辺（折れ線Ｃ１２６０と一致する）は互いに平行に形成され水平方向をなしている。
【０２００】
つまり、長方形状の上辺から該上辺に垂直に形成された直線状の切目線Ｋ１２００と略鉤状の切目線Ｋ１２０１を形成し、切目線Ｋ１２００の下端と切目線Ｋ１２０１の下端を結ぶ水平（正面本体部４１２と第１片部４６０間の折れ線Ｃ４６０と平行）な折れ線Ｃ１２００を形成することにより、該上辺と一致する折れ線Ｃ１２１０と切目線Ｋ１２００、Ｋ１２０１と折れ線Ｃ１２００とで囲まれる領域が折り出し板部１２００となる。
【０２０１】
なお、切目線Ｋ１２００は、ミシン目状の切込み（間隔をおきながら形成された切込み）（切断予定線）により形成され、部分的に切目線Ｋ１２００を挟んだ両側がつながっている。また、切目線Ｋ１２０１は、正面本体部４１２の上辺から垂直に形成され、直線状の切込みにより形成された切目線（第１構成部）Ｋ１２０１−１と、切目線Ｋ１２０１−１の下端から下方に行くほど内側（つまり、他の一方の第４切目線である切目線Ｋ１２０３側（折り出し板部１２０２側としてもよい））に傾斜して形成され、直線状の切込みにより形成された切目線Ｋ１２０１−２と、切目線Ｋ１２０１−２の下端から切目線Ｋ１２０１−１と同方向に形成され、直線状の切込みにより形成された切目線（第３構成部）Ｋ１２０１−３とを有していて、切目線Ｋ１２０１は、全体に連続した切込みにより形成されている。
【０２０２】
また、長方形状の上辺から該上辺に垂直に形成された直線状の切目線Ｋ１２０２と略鉤状の切目線Ｋ１２０３を形成し、切目線Ｋ１２０２の下端と切目線Ｋ１２０３の下端を結ぶ水平（正面本体部４１２と第１片部４６０間の折れ線Ｃ４６０と平行）な折れ線Ｃ１２０２を形成することにより、該上辺と一致する折れ線Ｃ１２１１と切目線Ｋ１２０２、Ｋ１２０３と折れ線Ｃ１２０２とで囲まれる領域が折り出し板部１２０２となる。
【０２０３】
なお、切目線Ｋ１２０２は、ミシン目状の切込み（間隔をおきながら形成された切込み）（切断予定線）により形成され、部分的に切目線Ｋ１２０２を挟んだ両側がつながっている。また、切目線Ｋ１２０３は、正面本体部４１２の上辺から垂直に形成され、直線状の切込みにより形成された切目線Ｋ１２０３−１と、切目線Ｋ１２０３−１の下端から下方に行くほど内側（つまり、折り出し板部１２００側）に傾斜して形成され、直線状の切込みにより形成された切目線Ｋ１２０３−２と、切目線Ｋ１２０３−２の下端から切目線Ｋ１２０３−１と同方向に形成され、直線状の切込みにより形成された切目線Ｋ１２０３−３とを有していて、切目線Ｋ１２０３は、全体に連続した切込みにより形成されている。
【０２０４】
正面本体部４１２において、切目線Ｋ１２０２は、切目線Ｋ１２００と線対称に形成され、切目線Ｋ１２０３は、切目線Ｋ１２０１と線対称に形成されている。なお、切目線Ｋ１２０１−２と切目線Ｋ１２０３−２とは、下方に行くほど幅狭となるテーパ状を呈している。
【０２０５】
ここで、ポケット正面板部１２１０を正面本体部４１２に対して正面側に引き出して、折り出し板部１２００と折り出し板部１２０２を正面本体部４１２に対して回動させた際に、折り出し板部１２００と折り出し板部１２０２間に形成される開口部Ｔ０は、図３４に示すように、幅広部Ｔ１と、幅変化部Ｔ２と、幅狭部Ｔ３とを有している。なお、幅変化部Ｔ２は、両側がテーパ状に形成されているので、幅広部Ｔ１側から幅狭部Ｔ３側にいくに従い、左右方向の幅が狭くなる。
【０２０６】
また、広告正面板部１２１０は、折り出し板部１２００から折れ線Ｃ１２１０を介して連設されるとともに、折り出し板部１２０２から折れ線Ｃ１２１１を介して連設され、全体に方形状を呈している。ポケット正面板部１２１０の左右両側の辺部Ｈ１２１０ａ、Ｈ１２１０ｂは、正面本体部４１２の上辺に対して直角に形成され、辺部Ｈ１２１０ａと正面本体部４１２の左端の間の距離と、辺部Ｈ１２１０ｂと正面本体部４１２の右端の間の距離は同一に形成されている。
【０２０７】
この広告正面板部１２１０は、正面本体部４１２とは、切目線Ｋ１２１０と切目線Ｋ１２１１と切目線Ｋ１２１２を介して隣接している。つまり、切目線Ｋ１２１０は、ミシン目状の切込み（間隔をおきながら形成された切込み）（切断予定線）であり、切目線Ｋ１２０１と切目線Ｋ１２０３の間に形成されている。また、切目線Ｋ１２１１は、連続した切込みであり、切目線Ｋ１２００から連設されている。また、切目線Ｋ１２１２は、連続した切込みであり、切目線Ｋ１２０２から連設されている。この広告正面板部１２１０の正面側の面には、収納する商品の広告を印刷等により表示させておく。
【０２０８】
切目線Ｋ１２１１と折れ線Ｃ１２１０と切目線Ｋ１２１０と折れ線Ｃ１２１１と切目線Ｋ１２１２は、折れ線Ｃ１２６０と平行な一直線上に形成されている。
【０２０９】
また、背面板部１２２０は、広告正面板部１２１０の折り出し板部１２００、１２０２側とは反対側の辺部から折れ線Ｃ１２２０を介して連設され、略長方形状の一方の辺部から係止片１２２４を形成した形状を呈している。
【０２１０】
つまり、背面板部１２２０は、略長方形状の本体部１２２２と、本体部１２２２の広告正面板部１２１０側とは反対側の辺部から突出して形成された係止片１２２４とを有している。本体部１２２２は、長方形状における広告正面板部１２１０側とは反対側の２つの角部にアールを形成した形状となっている。
【０２１１】
また、係止片１２２４は、本体部１２２２から突出して形成された幅狭部１２２５と、幅狭部１２２５の先端から連設された幅広部１２２６とを有し、幅広部１２２６の基端側に幅狭部１２２５が連設されていることにより、係止片１２２４は、基端側がくびれた形状となっている。幅狭部１２２５は、細長の長方形状を呈し、幅広部１２２６は、長方形状の両側を円弧状に形成した形状となっていて、左右方向の両側に幅狭部１２２５から突出した形状となっている。なお、突出した部分の本体部１２２２側の辺部は、幅狭部１２２５側にいくほど本体部１２２２に近づくように傾斜した直線状に形成され、係止片１２２４と本体部１２２２との間の切欠部Ｋ１２２０、Ｋ１２２１が切欠部の開口側にいくほど幅広となるように形成されている。
【０２１２】
なお、幅広部１２２６の左右方向の幅をα１、幅狭部１２２５の左右方向の幅をα２、切目線Ｋ１２０１−１と切目線Ｋ１２０３−１間の左右方向の長さをβ１、切目線Ｋ１２０１−３と切目線Ｋ１２０３−３間の左右方向の長さをβ２とした場合に、幅広部１２２６が折り出し板部１２００と折り出し板部１２０２間に形成される開口部Ｔ０における幅広部Ｔ１に入り込むことができるように、α１≦β１（具体的には、α１＝β１又はα１≒β１）に形成され、係止片１２２４が幅狭部Ｔ３の位置では折り出し板部１２００、１２０２と係止するように、α１＞β２に形成され、また、幅狭部１２２５が折り出し板部１２００と折り出し板部１２０２間に形成される開口部Ｔ０における幅狭部Ｔ３に入り込むことができるように、α２≦β２（具体的には、α２＝β２又はα２≒β２）に形成されている。
【０２１３】
また、背面板部１２２０における折れ線Ｃ４２０と幅広部１２２６の横方向の先端間の上下方向における長さγ３は、ポケット正面板部１２１０における折れ線Ｃ１２１０と折れ線Ｃ１２２０間の長さγ４より短く形成されている。また、本体部１２２２における折れ線Ｃ１２２０と折れ線Ｃ１２２０の反対側の辺部間の長さは、長さγ４よりも小さく形成されている。
【０２１４】
広告正面板部１２１０は上記のように構成されていて、広告正面板部１２１０は、広告正面板部１２１０の外形を有するシート状部材に、切目線と折れ線を形成することにより形成される。
【０２１５】
なお、広告正面板部１２１０において、ミシン目状の切込みにより形成した切目線は、連続した切込みにより形成してもよく、また、連続した切込みにより形成した切目線は、ミシン目状の切込みにより形成してもよい。例えば、切目線Ｋ１２００、Ｋ１２０２、Ｋ１２１０は、ミシン目状の切込みであるとしたが、連続した切込みにより構成してもよく、また、切目線Ｋ１２０１、Ｋ１２０３は、連続した切込みであるとしたが、ミシン目状の切込みとしてもよい。
【０２１６】
また、側面部４２０は、正面部４１０の正面視における右側の端部から折れ線を介して連設され、方形状における上側の一部を切り欠いた形状を呈し、側面部４２０の上辺は、正面部４１０の本体部４１２の上辺から連続して水平方向（側面部４２０の下辺（片部４７０との折れ線と一致する辺部）と平行な方向）に形成された直線状の辺部４２０ａと、辺部４２０ａの背面側の端部から連設され、背面側に上方に傾斜して形成された直線状の辺部４２０ｂと、辺部４２０ｂの上端から上方（側面部４２０の正面側の辺部や背面側の辺部に平行な方向）に向けて形成された辺部４２０ｃと、辺部４２０ｃの上端から背面側に向けて円弧状に形成された辺部４２０ｄと、辺部４２０ｄの背面側の端部から水平方向に形成された直線状の辺部４２０ｅと、辺部４２０ｅの背面側の端部から上方に形成された直線状の辺部４２０ｆと、辺部４２０ｆの上端から背面側に円弧状に形成された辺部４２０ｇと、辺部４２０ｇの背面側の端部から水平方向に形成された辺部４２０ｈとを有している。側面部４２０の背面側の端部においては、背面部４４０の上端の縁部の高さと同じに形成されている。この側面部４２０は、本体部（内側側面部本体部）４２２と、分離部４２４とを有し、本体部４２２は、本体部４２２における帯状部４２６及びフラップ部４２８以外の領域である主構成部（右主構成部）４２２−１と、帯状部（右差込み帯状部）４２６と、フラップ部（右フラップ部）４２８とを有している。
【０２１７】
また、分離部４２４は、側面部４２０の下端から形成された切目線４２４ａにより区画された領域であり、切目線４２４ａは、上下方向に円弧状に形成された（円弧は外側に膨出している）一対のミシン目状の切目線４２４ａ−１、４２４ａ−２と該一対のミシン目の上端をつなぎ水平方向に形成された切込みからなる切目線４２４ａ−３とにより形成されている。つまり、側面部４２０の下辺と切目線４２４ａにより囲まれた領域が分離部４２４となる。分離部４２４の下端には、指を係止しやすいように凹部４２４ｄが形成されている。本体部４２２は、側面部４２０において分離部４２４を除いた領域である。ここで、ミシン目状の切目線とは、間隔をおきながら連続して形成された複数の切込みをいう（他においても同じ）。
【０２１８】
この分離部４２４の形成位置は、外箱部Ａ２の片部５２２の裏側の領域であり、分離部４２４は片部５２２の裏側に接着され、片部５２２の下端を外側かつ上方に回動させることにより、分離部４２４も片部５２２の裏側に接着したまま切目線４２４ａが破断されて、分離部４２４が本体部４２２から分離するように形成されている。分離部４２４は、図２３に示すように、片部５２２よりも小さく形成されていて、分離部４２４の外形が片部５２２の外形よりもはみだすことがない。
【０２１９】
また、側面部４２０の辺部４２０ｆの下端から下方に（側面部４２０と背面部４４０間の折れ線と平行に）直線状の切目線（第１切目線）Ｋ４２０が形成され、切目線Ｋ４２０の下端から側面部４２０の下辺と平行な折れ線Ｃ４２２が辺部４２０ｂと辺部４２０ｃ間の角部にまで形成され、さらに、折れ線Ｃ４２２の上側に折れ線Ｃ４２２と平行に折れ線Ｃ４２０が切目線Ｋ４２０と辺部４２０ｃ間に形成されている。そして、折れ線Ｃ４２０の上側で切目線Ｋ４２０の正面側の領域がフラップ部４２８となり、折れ線Ｃ４２０と折れ線Ｃ４２２間の領域が帯状部（右差込み部帯状部）４２６となる。フラップ部４２８と帯状部４２６とで、差込み部（右差込み部）４２５が形成される。
【０２２０】
ここで、折れ線Ｃ４２０と折れ線Ｃ４２２間の幅は、内側右板部３０を構成するブランク１０Ａの厚みよりも長く形成され、これにより、フラップ部４２８を被差込み部３２、３４に差し込んだ際に内側右板部３０と外側右板部２２間にフラップ部４２８が配置されるようになっている。
【０２２１】
また、フラップ部４２８の横方向の長さは、被差込み部３２、３４を構成する切欠きＪ３２、Ｊ３４の長さ（正面側の挿入口から奥側までの長さ）以下の長さに形成され、これにより、フラップ部４２８を被差込み部３２、３４に差し込んだ際にフラップ部４２８が右構成部２０の正面側から突出しないようになっている。
【０２２２】
また、側面部４３０は、正面部４１０の正面視における左側の端部から折れ線を介して連設され、方形状における上側の一部を切り欠いた形状を呈し、側面部４３０の上辺は、正面部４１０の正面本体部４１２の上辺から連続して水平方向（側面部４３０の下辺（辺部４７０との折れ線と一致する辺部）と平行な方向）に形成された直線状の辺部４３０ａと、辺部４３０ａの背面側の端部から連設され、背面側に上方に傾斜して形成された直線状の辺部４３０ｂと、辺部４３０ｂの上端から上方（側面部４３０の正面側の辺部や背面側の辺部に平行な方向）に向けて形成された辺部４３０ｃと、辺部４３０ｃの上端から背面側に向けて円弧状に形成された辺部４３０ｄと、辺部４３０ｄの背面側の端部から水平方向に形成された直線状の辺部４３０ｅと、辺部４３０ｅの背面側の端部から上方に形成された直線状の辺部４３０ｆと、辺部４３０ｆの上端から背面側に円弧状に形成された辺部４３０ｇと、辺部４３０ｇの背面側の端部から水平方向に形成された辺部４３０ｈとを有している。この側面部４３０は、本体部（内側側面部本体部）４３２と、分離部４３４とを有し、本体部４３２は、本体部４３２における帯状部（左差込み部帯状部）４３６及びフラップ部４３８以外の領域である主構成部（左主構成部）４３２−１と、帯状部（左差込み帯状部）４３６と、フラップ部（左フラップ部）４３８とを有している。
【０２２３】
この側面部４３０の構成は、内箱部Ａ１の組立て状態では、側面部４２０と前後方向に垂直な仮想的な平面である中心面を介して対称に形成されていて、本体部４３２は本体部４２２と対称（展開状態では線対称）に形成され、分離部４３４は分離部４２４と対称（展開状態では線対称）に形成されていることから詳しい説明を省略する。なお、分離部４３４は、側面部４３０の下端から形成された切目線（第１切目線）４３４ａにより区画された領域であり、切目線４３４ａは、上下方向に円弧状に形成された（円弧は外側に膨出している）一対のミシン目状の切目線４３４ａ−１、４３４ａ−２と該一対のミシン目の上端をつなぎ水平方向に形成された切込みからなる切目線４３４ａ−３とにより形成されている。また、分離部４３４の下端には、指を係止しやすいように凹部４３４ｄが形成されている。
【０２２４】
この分離部４３４の形成位置は、外箱部Ａ２の片部５３２の裏側の領域であり、分離部４３４は片部５３２の裏側に接着され、片部５３２の下端を外側かつ上方に回動させることにより、分離部４３４も片部５３２の裏側に接着したまま切目線４３４ａが破断されて、分離部４３４が本体部４３２から分離するように形成されている。分離部４３４は、片部５３２よりも小さく形成されていて、分離部４３４の外形が片部５３２の外形よりもはみだすことがない。
【０２２５】
また、側面部４３０の辺部４２０ｆの下端から下方に（側面部４３０と糊代部４４９間の折れ線と平行に）直線状の切目線（第２切目線）Ｋ４３０が形成され、切目線Ｋ４３０の下端から側面部４３０の下辺と平行な折れ線Ｃ４３２が辺部４３０ｂと辺部４３０ｃ間の角部にまで形成され、さらに、折れ線Ｃ４３２の上側に折れ線Ｃ４３２と平行に折れ線Ｃ４３０が切目線Ｋ４３０と辺部４２０ｃ間に形成されている。そして、折れ線Ｃ４３０の上側で切目線Ｋ４３０の正面側の領域がフラップ部４３８となり、折れ線Ｃ４３０と折れ線Ｃ４３２間の領域が帯状部４３６となる。フラップ部４３８と帯状部４３６とで、差込み部（左差込み部）４３５が形成される。
【０２２６】
ここで、折れ線Ｃ４３０と折れ線Ｃ４３２間の幅は、内側右板部３０を構成するブランク１０Ａの厚みよりも長く形成され、これにより、フラップ部４２８を被差込み部３２、３４に差し込んだ際に内側右板部３０と外側右板部２２間にフラップ部４３８が配置されるようになっている。
【０２２７】
また、フラップ部４３８の横方向の長さは、被差込み部３２、３４を構成する切欠きＪ３２、Ｊ３４の長さ（正面側の挿入口から奥側までの長さ）以下の長さに形成され、これにより、フラップ部４３８を被差込み部３２、３４に差し込んだ際にフラップ部４２８が右構成部２０の正面側から突出しないようになっている。
【０２２８】
フラップ部４２８、４３８を被差込み部３２、８２に差し込んで、引出し部３５１を被差込み部３２、８２に取り付けた状態においては、フラップ部４２８が外側右板部２２と内側右板部３０間に挟まれた状態となり、帯状部４２６は、切欠きＪ３２の幅狭部Ｊ３２ｂの上辺と下辺の間に設けられ、該下辺に沿って該下辺の上に乗った状態となり、フラップ部４３８が外側左板部７２と内側左板部８０間に挟まれた状態となり、帯状部４３６は、切欠きＪ８２の幅狭部Ｊ８２ｂの上辺と下辺の間に設けられ、該下辺に沿って該下辺の上に乗った状態となる。
【０２２９】
なお、切目線Ｋ４２０、Ｋ４３０は、連続した直線状の切込みにより形成されているが、複数の切込みを間隔を介して直線状に形成したものでもよい。
【０２３０】
また、背面部４４０は、側面部４２０の右側面視における右端から折れ線を介して連設され、全体に方形状を呈している。この背面部４４０の横幅は、正面部４１０の横幅と同一に形成され、背面部４４０の縦幅は、側面部４２０、４３０の縦幅（最大縦幅）と同一に形成されている。
【０２３１】
また、糊代部４４９は、側面部４３０の左側面視における左端から折れ線を介して連設され、縦方向に細長の帯状台形形状を呈している。この糊代部４４９、その外側の面が背面部４４０の内側の面（左側面側の端部領域）に接着されている。
【０２３２】
また、底面部４５０は、第１片部４６０と、第２片部４７０と、第３片部４８０と、第４片部４９０とを有し、包装箱４０１の組立て状態においては、図２４に示すように、略方形状の外形を呈している。
【０２３３】
ここで、第１片部４６０は、正面部４１０の下端から折れ線を介して連設され、先端側にいくほど幅狭となる略台形形状に形成され、その上面の一部が内箱部Ａ１の内底面の一部を形成している。この第１片部４６０は、底面部４５０の組立て状態においては、第４片部４９０と点対称に形成されている。
【０２３４】
また、第２片部４７０は、側面部４２０の下端から折れ線を介して連設され、略長方形状に形成され、第２片部４７０の上面の一部が内箱部Ａ１の内底面の一部を形成している。また、第２片部４７０の角部（側面部４２０と背面部４４０の境界位置の下端）からは第２片部４７０の側面部４２０との境界をなす辺部に対して斜めに所定間隔で切込みが形成された（つまり、折曲しやすいように切込みが形成されている）折れ線４７０−１（この折れ線４７０−１は、上面側が山折れ線となっている）が形成され、内箱部Ａ１を折り畳む際に、容易に折り畳むことができるようになっている。第２片部４７０は、折れ線４７０−１を介して本体部４７２と先端部４７４とに区画される。本体部４７２の先端の先端部４７４側には、他方の本体部４８２と互いに係止するように切欠部４７２ａが形成されている。先端部４７４の上面は、第４片部４９０の下面に接着されている。
【０２３５】
また、この第１片部４６０の側面部４２０との境界側には、分離部４２４の下位置に分離部４２４の下端の横幅と略同幅の切欠部４７０ａが形成されている。この切欠部４７０ａは、片部５２２を回動させる際に、指を係止しやすくするために形成されている。
【０２３６】
また、第３片部４８０は、側面部４３０の下端から折れ線を介して連設され、底面部４５０の組立て状態においては、第２片部４７０と点対称に形成されている。すなわち、第３片部４８０は、側面部４３０の下端から折れ線を介して連設され、略長方形状に形成され、第３片部４８０の上面の一部が内箱部Ａ１の内底面の一部を形成している。また、第３片部４８０の角部（側面部４３０と正面部４１０の境界位置の下端）からは第３片部４８０の側面部４３０との境界をなす辺部に対して斜めに所定間隔で切込みが形成された（つまり、折曲しやすいように切込みが形成されている）折れ線４８０−１（この折れ線４８０−１は、上面側が山折れ線となっている）が形成され、内箱部Ａ１を折り畳む際に、容易に折り畳むことができるようになっている。第３片部４８０は、折れ線４８０−１を介して本体部４８２と先端部４８４とに区画される。本体部４８２の先端の先端部４８４側には、他方の本体部４７２と互いに係止するように切欠部４８２ａが形成されている。先端部４８４の上面は、第１片部４６０の下面に接着されている。
【０２３７】
また、第４片部４９０は、背面部４４０の下端から折れ線を介して連設され、先端側にいくほど幅狭となる略台形形状に形成され、その上面の一部が内箱部Ａ１の内底面の一部を形成している。
【０２３８】
また、この第４片部４９０の側面部４３０との境界側には、分離部４３４の下位置に分離部４３４の下端の横幅と略同幅の切欠部４８０ａが形成されている。この切欠部４７０ａは、片部５２２を回動させる際に、指を係止しやすくするために形成されている。
【０２３９】
内箱部Ａ１を箱状に組み立てた状態では、正面部４１０と背面部４４０とが互いに平行になり、側面部４２０と側面部４３０とが互いに平行になり、底面部４５０を構成する各部材は、正面部４１０、側面部４２０、４３０、背面部４４０に対して略直角（直角でもよい）となる。つまり、スリーブ状部４０５は、底面部４５０に対して略直角（直角でもよい）となる。また、スリーブ状部４０５を構成する各部材（正面部４１０、側面部４２０、４３０、背面部４４０）における隣接する部材は互いに直角となっている。また、内箱部Ａ１は、平板状に折り畳むことができ、正面部４１０と側面部４３０との角度を小さくし、背面部４４０と側面部４２０との角度を小さくさせることにより、底面部４５０を構成する各部がスリーブ状部４０５内に回動して、図２９に示すように、内箱部Ａ１が全体に平板状に折り畳むことができる。また、内箱部Ａ１を折り畳んだ状態では、底面部４５０を構成する各部は、スリーブ状部４０５内にスリーブ状部４０５を構成する正面部４１０、側面部４２０、４３０、背面部４４０に対して略平行な状態となる。
【０２４０】
次に、外箱部Ａ２は、内箱部Ａ１を覆う箱体であり、図２０〜図２２等に示すように、スリーブ状部（外側スリーブ状部）５０５と、蓋部５７０、５８０と、蓋フラップ５６０、５９０とを有していて、その展開状態は、図２７に示すように形成されている。
【０２４１】
ここで、スリーブ状部５０５は、組み立てた状態では、四角形状の筒状を呈し、正面部（外側正面部）５１０と、側面部（外側側面部）５２０と、側面部（外側側面部）５３０と、背面部（外側背面部）５４０とを有している。
【０２４２】
ここで、正面部５１０は、方形状（長方形状）の板状を呈している。この正面部５１０の横幅は、内箱部Ａ１を外箱部Ａ２内に収納することができるように、正面部４１０の横幅よりも若干大きく形成されている。
【０２４３】
また、側面部５２０は、正面部５１０の正面視における右側の端部から折れ線を介して連設され、方形状を呈している。また、側面部５２０の下端からは、一対の略円弧状のミシン目状の切目線５２２ａ、５２２ｂが縦方向に互いに対向して形成され、切目線５２２ａ、５２２ｂの上端を結ぶ折れ線５２２ｃが形成されていて、側面部５２０の下辺と切目線５２２ａ、５２２ｂと折れ線５２２ｃにより囲まれた領域が片部５２２となる。側面部５２０における片部５２２以外の部分が本体部５２１となる。つまり、片部５２２は、下端を外側に引き出すことにより切目線５２２ａ、５２２ｂが破断して折れ線５２２ｃを中心に本体部５２１（つまり、側面部５２０における片部５２２以外の部分）に対して回動するようになっている。
【０２４４】
なお、正面部５１０と側面部５２０の境界線の下側には、縦長の開口部Ｋ５１０が形成されている。
【０２４５】
また、側面部５３０は、正面部５１０の正面視における左側の端部から折れ線を介して連設され、方形状を呈し、ミシン目状の切目線５３２ａとミシン目状の切目線５３２ｂと折れ線５３２ｃとが形成され、側面部５３０の下辺と切目線５３２ａ、５３２ｂと折れ線５３２ｃにより囲まれた領域が片部５３２となる。側面部５３０における片部５３２以外の部分が本体部５３１となる。切目線５２２ａ、５２２ｂ、５３２ａ、５３２ｂが第２切目線に当たる。切目線５２２ａ、５２２ｂ、５３２ａ、５３２ｂは、ミシン目状の切目線としたが、連続して形成された１本の切目線でもよい。
【０２４６】
側面部５３０は、外箱部Ａ２の組立て状態において、側面部５２０と前後方向に垂直な仮想的な平面である中心面を介して対称に形成されていて、切目線５３２ａは切目線５２２ａと対称に形成され、切目線５３２ｂは切目線５２２ｂと対称に形成され、折れ線５３２ｃは折れ線５２２ｃと対称に形成されている。
【０２４７】
つまり、片部５３２は、下端を外側に引き出すことにより切目線５３２ａ、５３２ｂが破断して折れ線５３２ｃを中心に本体部５３１（つまり、側面部５３０における片部５３２以外の部分）に対して回動するようになっている。
【０２４８】
なお、正面部５１０と側面部５３０の境界位置における下側には、縦長の切欠部Ｋ５１１が形成されている。
【０２４９】
また、背面部５４０は、側面部５２０の右側面視における右端から折れ線を介して連設され、方形状を呈している。この背面部５４０の横幅は、内箱部Ａ１を外箱部Ａ２内に収納することができるように、背面部４４０の横幅よりも若干大きく形成されている。
【０２５０】
また、糊代部５４２は、背面部５４０の背面視における右端から折れ線を介して連設され、縦方向に細長の帯状台形形状を呈している。この糊代部５４２は、図２１に示すように、その内側の面が側面部５３０の外側の面に接着されている。
【０２５１】
また、正面部５１０と側面部５２０、５３０と背面部５４０の縦幅は同一に形成されていて、内箱部Ａ１の縦幅と同一又は若干大きく形成されている。
【０２５２】
また、蓋フラップ５６０は、正面部５１０の上端から折れ線を介して連設され、方形状（長方形状）を呈している。また、蓋部５７０は、側面部５２０の上端から折れ線を介して連設され、方形状（長方形状）を呈している。また、蓋部５８０は、側面部５３０の上端から折れ線を介して連設され、方形状（長方形状）を呈している。また、蓋フラップ５９０は、背面部５４０の上端から折れ線を介して連設され、方形状（長方形状）を呈している。これら２つの蓋部５７０、５８０と２つの蓋フラップ５６０、５９０は、外箱部Ａ２の上面を開閉するものであり、特に、蓋部５７０と蓋部５８０を閉状態とすることにより外箱部Ａ２の上面が塞がれる。蓋部５７０と蓋部５８０とを閉じた状態では、蓋部５７０と先端と蓋部５８０の先端が当接する。
【０２５３】
なお、蓋部５７０、５８０と蓋フラップ５６０、５９０は、予め上方に立設した状態になっていて、外箱部Ａ２の上方が開口した状態になっている。なお、外箱部Ａ２の展開状態においては、図２７に示すように、蓋部５７０、５８０と蓋フラップ５６０、５９０における隣接した上面部においては、隙間が形成されている。なお、蓋部５７０、５８０はスリーブ状部５０５における上辺における対向する辺部から連設されているが、少なくとも１つの辺部から連設されていればよい。
【０２５４】
外箱部Ａ２を箱状に組み立てた状態では、正面部５１０と背面部５４０とが互いに平行になり、側面部５２０と側面部５３０とが互いに平行になる。また、スリーブ状部５０５を構成する各部材（正面部５１０、側面部５２０、５３０、背面部５４０）における隣接する部材は互いに直角となっている。
【０２５５】
次に、内箱部Ａ１と外箱部Ａ２とは、分離部４２４、４３４の箇所で互いに接着されている。つまり、分離部４２４の外側の面と側面部５２０の内側の面とが接着剤その他の接着手段により接着されるとともに、分離部４３４の外側の面と側面部５３０の内側の面とが接着剤その他の接着手段により接着されることにより、包装箱２０１が全体に一体に形成される。つまり、分離部４２４の外側の面の全部又は一部の領域と側面部５２０（特に、片部５２２）の内側の面の間には接着剤層（図示せず）が設けられていて、同様に、分離部４３４の外側の面の全部又は一部の領域と側面部５３０（特に、片部５３２）の内側の面の間には接着剤層（図示せず）が設けられている。これにより、外箱部Ａ２のスリーブ状部５０５は、内箱部Ａ１におけるスリーブ状部４０５の外側の面に沿って設けられ、例えば、正面部４１０の外側の面に沿って正面部５１０が設けられ、側面部４２０の外側の面に沿って側面部５２０が設けられ、側面部４３０の外側の面に沿って側面部５３０が設けられ、背面部４４０の外側の面に沿って背面部５４０が設けられている。該接着剤層の接着力は、外箱部Ａ２の片部５２２を外側に回動させた際に、同時に分離部４２４の周囲の切目線４２４ａが破れて、分離部４２４が内箱部Ａ１から分離し、回動させた片部５２２に接着した状態で片部５２２に従動するように設定されていて、同様に、外箱部Ａ２の片部５３２を外側に回動させた際に、同時に分離部４３４の周囲の切目線４３４ａが破れて、分離部４３４が内箱部Ａ１から分離し、回動させた片部５３２に接着した状態で片部５３２に従動するように設定されている。
【０２５６】
また、内箱部Ａ１と外箱部Ａ２とが接着された状態では、内箱部Ａ１の下端と外箱部Ａ２の下端とが同じ高さになるように形成されている。なお、内箱部Ａ１と外箱部Ａ２とは、分離部４２４、４３４の箇所以外は互いに接着されていない。以上のように、内箱部Ａ１は外箱部Ａ２の内側に収納した状態となっていて、内箱部Ａ１の底面部４５０以外は外箱部Ａ２に被覆された状態となっている。つまり、外箱部Ａ２の下端の高さ方向の位置は、内箱部Ａ１の下端の高さ方向の位置と略同一であり、蓋部５７０、５８０を封止した状態では内箱部においては底面部４５０のみが露出している。
【０２５７】
なお、上記構成の包装箱２０１は、内箱部Ａ１が上記のように折り畳むことができ、また、外箱部Ａ２がスリーブ状部５０５を有し、全体に略スリーブ状を呈しているので、包装箱２０１の状態においても平板状に折り畳むことができ、正面部５１０を側面部５３０に対して略平行になるようにし、かつ、側面部５２０を背面部５４０に対して略平行になるようにすることにより、図２８に示すように平板状に折り畳むことができる。
【０２５８】
上記構成の包装箱４０１の使用状態について説明する。包装箱４０１を使用しない状況では、上記のように包装箱４０１は平板状に折り畳むことができるので、折り畳んで保管しておく。
【０２５９】
そして、包装箱４０１を使用する際に、包装箱４０１を組み立てる。すなわち、外箱部Ａ２における正面部５１０と背面部５４０とが互いに平行になり、側面部５２０と側面部５３０とが互いに平行になるようにするとともに、内箱部Ａ１における正面部４１０と背面部４４０とが互いに平行になり、側面部４２０と側面部４３０とが互いに平行になるようにし、底面部４５０がスリーブ状部４０５、５０５に直角になるようにすることにより包装箱４０１が立体状に組み立てられる。
【０２６０】
そして、図３０に示すように、包装箱４０１の上方から複数の商品（被収納物）Ｇを内箱部Ａ１内に収納する。図３０は、箱状の商品である例を示しているが、他の商品であってもよい。なお、商品の形状は任意である。また、蓋フラップ５６０、５９０と蓋部５７０、５８０は、予め上方に立設した状態になっていて、外箱部Ａ２の上方が開口した状態になっているので、商品Ｇはそのまま包装箱４０１の上方から収納すればよい。その後、蓋フラップ５６０、５９０と蓋部５７０、５８０を閉状態にして、接着テープＴを外箱部Ａ２の側面部５２０から上面を経て側面部５３０側にまで接着させることにより、図３１に示すように、蓋部５７０、５８０を封止する。
【０２６１】
以上のようにして、商品Ｇを包装箱４０１に包装したら、商品Ｇを収納した包装箱４０１を商品Ｇを陳列する場所に搬送する。
【０２６２】
その後、商品を陳列する場合には、外箱部Ａ２を内箱部Ａ１から分離する。すなわち、図３２に示すように、外箱部Ａ２の片部５２２を外側に引き出して切目線５２２ａ、５２２ｂを破断して折れ線５２２ｃを中心に回動させることにより、分離部４２４も片部５２２の裏側に接着したまま切目線４２４ａが破断されて、分離部４２４が本体部４２２から分離する。同様に、片部５３２を外側に引き出して切目線５３２ａ、５３２ｂを破断して折れ線５３２ｃを中心に回動させることにより、分離部４３４も片部５３２の裏側に接着したまま切目線４３４ａが破断されて、分離部４３４が本体部４３２から分離する。
【０２６３】
なお、片部５２２、５３２が回動する際の回動軸となる折れ線５２２ｃ、５３２ｃの箇所には折れ線として罫線を形成しておくのが好ましいが、罫線を形成しておかなくても片部５２２、５３２を回動させることにより自然と折れ線が形成されるが、予め該折れ線の箇所に罫線を形成しておいてもよい。
【０２６４】
以上のように、外箱部Ａ２の片部５２２を上側に回動させた際に、同時に分離部４２４の周囲の切目線４２４ａが破れて、分離部４２４が内箱部Ａ１から分離し、回動させた片部５２２に接着した状態で片部５２２に従動し、同様に、外箱部Ａ２の片部５３２を上側に回動させた際に、同時に分離部４３４の周囲の切目線４３４ａが破れて、分離部４３４が内箱部Ａ１から分離し、回動させた片部５３２に接着した状態で片部５３２に従動する。
【０２６５】
そして、図３３に示すように、外箱部Ａ２を上方に引き上げることにより、商品を収納した状態で、かつ、分離部４２４、４３４が分離した状態の内箱部Ａ１が残る。内箱部Ａ１において、分離部４２４、４３４が分離した構成が引出し部３５１となる。引出し部３５１の底面部（引出し部底面部）が底面部４５０により構成され、引出し部３５１の正面部（引出し部正面部）が正面部４１０により構成され、引出し部３５１の右側面（引出し部右側面部）部が本体部４２２（つまり、分離部４２４が分離した側面部４２０）により構成され、引出し部３５１の左側面部（引出し部左側面部）が本体部４３２（つまり、分離部４３４が分離した側面部４３０）により構成され、引出し部３５１の背面部（引出し部背面部）が背面部４４０により構成される。
【０２６６】
また、包装箱４０１における引出し部３５１以外の部分、すなわち、外箱部Ａ２と内箱部Ａ１における分離部４２４、４３４が非引出し部となる。なお、外箱部Ａ２には、切欠部Ｋ５１１や開口部Ｋ５１０が設けられているので、外箱部Ａ２を内箱部Ａ１に対して容易に引き上げることができる。
【０２６７】
その後、引出し部３５１において、広告表示部Ｐを組み立てるとともに、フラップ部４２８、４３８と帯状部４２６、４３６を本体部１０に差込み可能な状態にする。
【０２６８】
広告表示部Ｐを組み立てる際には、図３４〜図３７に示すように組立てを行なう。なお、図３４〜図３６においては、広告表示部Ｐの状態を分かりやすくするために商品を省略して描いている。
【０２６９】
まず、図３４に示すように、広告表示部Ｐにおける折り出し板部１２００、１２０２以外の構成（広告正面板部１２１０と背面板部１２２０）を正面本体部４１２に対して手前に引き出して、折り出し板部１２００、１２０２を正面本体部４１２に対して回動させる。つまり、折り出し板部１２００、１２０２を正面本体部４１２に対して正面側に折れ線Ｃ１２００、Ｃ１２０２を中心に折り曲げる。すると、折り出し板部１２００と折り出し板部１２０２間には開口部Ｔ０が形成される。この操作は、片手で行なうことができる。
【０２７０】
その後、背面板部１２２０を広告正面板部１２１０に対して折れ線Ｃ１２２０、Ｃ１２２１を中心に（折れ線Ｃ１２２０、Ｃ１２２１を介してとしてもよい）背面側に折り曲げる。この操作は、中指と薬指と小指とを開口部Ｔ０に入れた状態で、親指で背面板部１２２０を折り曲げることにより、片手で行なうことができる。
【０２７１】
そして、広告正面板部１２１０を一対の折り出し板部１２００、１２０２に対して背面側に折れ線Ｃ１２１０、Ｃ１２１１を中心に（折れ線Ｃ１２１０、Ｃ１２１１を介してとしてもよい）折り曲げ、背面板部１２２０を広告正面板部１２１０の背面側に回動させて、係止片１２２４を開口部Ｔ０の幅広部Ｔ１に挿通する（図３５参照）。例えば、親指と人差し指とで背面板部１２２０をつまんだ状態で操作する。この操作も片手で行なうことができる。
【０２７２】
係止片１２２４を幅広部Ｔ１に挿通した状態で、背面板部１２２０を支持していた手を離すと、広告正面板部１２１０に対して折り曲げた状態の背面板部１２２０が元に戻ろうとして背面板部１２２０と広告正面板部１２１０のなす角度が大きくなり、係止片１２２４の幅狭部１２２５が開口部Ｔ０における幅狭部Ｔ３に入り込み、係止片１２２４は、一対の折り出し板部１２００、１２０２に係止される。なお、幅広部Ｔ１と幅狭部Ｔ３の間には、幅変化部Ｔ２が設けられているので、係止片１２２４は、幅広部Ｔ１からスムーズに幅狭部Ｔ３に移動する（図３６参照）。以上のようにして、広告表示部Ｐが組み立てられて、図３６〜図３８に示すように、広告正面板部１２１０が正面側斜め上側を向いた状態となる。
【０２７３】
この状態では、背面板部１２２０の係止片１２２４は幅狭部Ｔ３に位置することから、背面板部１２２０は前後方向において幅狭部Ｔ３の位置にあり、背面板部１２２０の背面側の面は、正面本体部４１２の正面側の面に接する。
【０２７４】
また、広告正面板部１２１０は、正面本体部４１２に対して傾斜した状態となり、側面視においては、広告正面板部１２１０と背面板部１２２０と折り出し板部１２００、１２０２は略三角形状を呈する。
【０２７５】
また、フラップ部４２８、４３８と帯状部４２６、４３６を本体部１０に差込み可能な状態にするには、フラップ部４２８を帯状部４２６に対して折曲するとともに帯状部４２６を主構成部４２２−１に対して折曲し、フラップ部４３８を帯状部４３６に対して折曲するとともに帯状部４３６を主構成部４３２−１に対して折曲して、図３８に示す状態とする。なお、本体部１０の下段には、引出し部３５１を台板部１２４に載置するので、フラップ部４２８、４３８や帯状部４２６、４３６を折曲する必要がなく、図３７に示す状態とすればよい。
【０２７６】
そして、引出し部３５１を本体部１０に設置することにより図１９に示す商品Ｇの陳列状態とする（なお、図１９では、実際には、引出し部３５１に商品Ｇが収納されている）。つまり、フラップ部４２８、４３８を差込み部に差し込むことにより引出し部３５１を本体部１０に取り付ける。
【０２７７】
つまり、差込み部４２５を被差込み部３２に差し込むとともに、差込み部４３５を被差込み部８２に差し込んで、上段位置に引出し部３５１を取り付ける。その際、差込み部４２５における帯状部４２６は、被差込み部３２の辺部（具体的には、被差込み部３２の下側の辺部（下辺）で、幅狭部Ｊ３２ｂにおける下側の辺部（下辺））の上に該辺部に沿って設けられ、フラップ部４２８は、外側右板部２２と内側右板部３０の間に設けられ、差込み部４３５における帯状部４３６は、被差込み部８２の辺部（具体的には、被差込み部８２の下側の辺部（下辺）で、幅狭部Ｊ８２ｂにおける下側の辺部（下辺））の上に該辺部に沿って設けられ、フラップ部４３８は、外側右板部２２と内側右板部３０の間に設けられる。
【０２７８】
また、差込み部４２５を被差込み部３４に差し込むとともに、差込み部４３５を被差込み部８４に差し込んで、中段位置に引出し部３５１を取り付ける。その際、差込み部４２５における帯状部４２６は、被差込み部３４の辺部（具体的には、被差込み部３４の下側の辺部（下辺）で、幅狭部Ｊ３４ｂにおける下側の辺部（下辺））の上に該辺部に沿って設けられ、フラップ部４２８は、外側右板部２２と内側右板部３０の間に設けられ、差込み部４３５における帯状部４３６は、被差込み部８４の辺部（具体的には、被差込み部８４の下側の辺部（下辺）で、幅狭部Ｊ８４ｂにおける下側の辺部（下辺））の上に該辺部に沿って設けられ、フラップ部４３８は、外側右板部２２と内側右板部３０の間に設けられる。
【０２７９】
また、下段位置には、引出し部３５１を台板部１２４上に載置して引出し部３５１を設置する。
【０２８０】
つまり、図１９では、上段位置のみに引出し部３５１が設けられているが、実際には、中段位置や下段位置にも引出し部３５１が設けられる。
【０２８１】
また、本体部１０に設置されている引出し部３５１内の商品Ｇが全て取り出されて引出し部３５１が空になった場合には、空になった引出し部３５１を引き出して本体部１０から取り外し、新たに商品Ｇが収納された引出し部３５１（包装箱４０１から取り出した引出し部３５１）を本体部１０に設置する。
【０２８２】
よって、商品Ｇの運搬に使用した包装箱の一部をそのまま利用して引出し部３５１とできるので、商品Ｇを包装箱から移し替える必要がなく、箱詰めで運搬された商品の陳列を容易とすることができる。
【０２８３】
また、本実施例の包装箱４０１によれば、上方が開口した包装箱４０１に対して上方から被収納物である商品を収納して、蓋部５７０、５８０を閉じて１つの接着テープＴにより封止するのみであるので、容易に商品（被収納物）の梱包作業を行うことができる。
【０２８４】
また、本実施例の包装箱４０１によれば、片部５２２、５３２を外側に回動させて、分離部４２４、４３４を内箱部Ａ１から分離して外箱部Ａ２を上方に引き上げるのみで引出し部３５１を形成できるので、容易に引出し部を形成することができる。
【０２８５】
また、特に、内箱部Ａ１には、広告表示部Ｐが設けられ、広告表示部Ｐに広告等を表示することによりＰＯＰ広告として使用することができる。
【０２８６】
また、上記の説明では、片部５２２、５３２は、側面部５２０、５３０の下端領域に設けられ、分離部４２４、４３４も側面部４２０、４３０の下端領域に設けられているとしたが、片部５２２、５３２を側面部４２０、４３０の下端領域以外の領域に設けるとともに、分離部４２４、４３４を側面部４２０、４３０の下端領域以外の領域に設けてもよい。
【０２８７】
なお、上記の説明において、「陳列具５Ａ」、「陳列具５Ｂ」は、「陳列棚５Ａ」、「陳列棚５Ｂ」としてもよい。
【符号の説明】
【０２８８】
５Ａ、５Ｂ  陳列具
１０  本体部
１０Ａ、１０Ｂ、１０Ｃ  ブランク
２０  右構成部
２２  外側右板部
２４、２４−１、２４−２、２４−３、２５、２８、４０、４６、７４、７４−１、７４−２、７４−３、７５、７６、７８、９０  帯状部
２７、２９、７７  糊代部
３０  内側右板部
３１  本体部
３２、３４、８２、８４  被差込み部
３６、３８、８６、８８  支持フラップ
４２、４８、９２、９８  接着板部
４３、４９、９３、９９  折返し接着部
４４  内側上右板部
７０  左構成部
７２  外側左板部
８０  内側左板部
９４  内側上左板部
１００  背面構成部
１０２  背面板部
１２０  底構成部
１２２  底正面部
１２４  台板部
１２６  背面板部
１２８  右フラップ
１３０  左フラップ
２０１  包装箱
２０５、４０５、５０５  スリーブ状部
２１０  正面部
２２０、２３０  側面部
２２１、２３１  差込み部
２２２、２３２  帯状部
２２４、２３４  フラップ部
２１０−１、２２０−１、２３０−１、２４０−１  下側領域
２１０−２、２２０−２、２３０−２、２４０−２  上側領域
２２０−１ａ、２３０−１ａ  下側領域主構成部
２４９  糊代部
２５０  底面部
３００  蓋部
３０１  蓋本体部
３０２  蓋フラップ
３１０  ジッパー
３１０−１、３１０−２  切目線
３１２  第１ジッパー
３１４  第２ジッパー
４０１  包装箱
４１０、５１０  正面部
４２０、４３０、５２０、５３０  側面部
４２２、４３２  本体部
４２２−１、４３２−１  主構成部
４２４、４３４  分離部
４２４ａ、４３４ａ、５２２ａ、５２２ｂ、５３２ａ、５３２ｂ  切目線
４２５、４３５  差込み部
４２６、４３６  帯状部
４２８、４３８  フラップ部
４４０、５４０  背面部
４４９、５４２  糊代部
４５０  底面部
５２２、５３２  片部
５６０、５９０  蓋フラップ
５７０、５８０  蓋部
Ｊ２５、Ｊ２６、Ｊ７５、Ｊ７６  隙間
Ｊ３２、Ｊ３４、Ｊ８２、Ｊ８４  切欠き
Ｊ３２ａ、Ｊ３４ａ、Ｊ８２ａ、Ｊ８４ａ  幅広部
Ｊ３２ｂ、Ｊ３４ｂ、Ｊ８２ｂ、Ｊ８４ｂ  幅狭部
Ｈ１０、Ｈ１１、Ｈ２０、Ｈ２１  開口部
【図１】
2016106738.tif 000003
【図２】
2016106738.tif 000004
【図３】
2016106738.tif 000005
【図４】
2016106738.tif 000006
【図５】
2016106738.tif 000007
【図６】
2016106738.tif 000008
【図７】
2016106738.tif 000009
【図８】
2016106738.tif 000010
【図９】
2016106738.tif 000011
【図１０】
2016106738.tif 000012
【図１１】
2016106738.tif 000013
【図１２】
2016106738.tif 000014
【図１３】
2016106738.tif 000015
【図１４】
2016106738.tif 000016
【図１５】
2016106738.tif 000017
【図１６】
2016106738.tif 000018
【図１７】
2016106738.tif 000019
【図１８】
2016106738.tif 000020
【図１９】
2016106738.tif 000021
【図２０】
2016106738.tif 000022
【図２１】
2016106738.tif 000023
【図２２】
2016106738.tif 000024
【図２３】
2016106738.tif 000025
【図２４】
2016106738.tif 000026
【図２５】
2016106738.tif 000027
【図２６】
2016106738.tif 000028
【図２７】
2016106738.tif 000029
【図２８】
2016106738.tif 000030
【図２９】
2016106738.tif 000031
【図３０】
2016106738.tif 000032
【図３１】
2016106738.tif 000033
【図３２】
2016106738.tif 000034
【図３３】
2016106738.tif 000035
【図３４】
2016106738.tif 000036
【図３５】
2016106738.tif 000037
【図３６】
2016106738.tif 000038
【図３７】
2016106738.tif 000039
【図３８】
2016106738.tif 000040